(57)【要約】  一定の実施形態によれば、複数のセカンダリセル（１５０Ａ〜Ｂ）をアクティブ化または非アクティブ化するための方法は、第１のキャリアについて第１のセカンダリセル（第１のＳＣｅｌｌ）（１５０Ａ）のアクティブ化または非アクティブ化を要求する第１のメッセージを受信することを含む。第１のメッセージに応じて、第１のＳＣｅｌｌ（１５０Ａ）をアクティブ化または非アクティブ化するための第１のプロシージャが開始される。ワイヤレスデバイス（１１０Ａ）は、第１のプロシージャを完了させるべき第１の遅延期間（Ｔａｃｔｉｖａｔｅ＿ｂａｓｉｃ）を有し得る。第１のＳＣｅｌｌ（１５０Ａ）をアクティブ化または非アクティブ化するための第１のプロシージャを行っている間に、第２のキャリアについて第２のＳＣｅｌｌ（１５０Ｂ）をアクティブ化し、非アクティブ化し、設定し、または設定解除するための第２のメッセージが受信される。第２のＳＣｅｌｌ（１５０Ｂ）をアクティブ化し、非アクティブ化し、設定し、または設定解除するための第２のメッセージを受信することに応じて、第１の遅延期間を、第１のＳＣｅｌｌ（１５０Ａ）をアクティブ化または非アクティブ化するための第１のプロシージャを完了すべき第２の遅延期間（Ｔａｃｔｉｖａｔｅ＿ｔｏｔａｌ）に置換することによって、第１のプロシージャが修正され得る。第２の遅延期間（Ｔａｃｔｉｖａｔｅ＿ｔｏｔａｌ）は、第１の遅延期間（Ｔａｃｔｉｖａｔｅ＿ｂａｓｉｃ）よりも大きくてもよい。【選択図】図３
2017513379.tif 000002
【特許請求の範囲】
【請求項１】
プライマリセル（ＰＣｅｌｌ）（１４０Ａ）および複数のセカンダリセル（ＳＣｅｌｌ）（１５０Ａ〜Ｃ）において複数のキャリアから信号を受信するためにキャリアアグリゲーションを使用するワイヤレスデバイス（１１０Ａ）によって、複数のセカンダリセル（１５０Ａ〜Ｂ）をアクティブ化および非アクティブ化するための方法であって、
第１のキャリアについて第１のセカンダリセル（第１のＳＣｅｌｌ）（１５０Ａ）のアクティブ化または非アクティブ化を要求する第１のメッセージを受信することと、
前記第１のメッセージに応じて、前記第１のＳＣｅｌｌ（１５０Ａ）をアクティブ化または非アクティブ化するための第１のプロシージャを開始することであって、前記ワイヤレスデバイス（１１０Ａ）は、前記第１のプロシージャを完了させるべき第１の遅延期間（Ｔａｃｔｉｖａｔｅ＿ｂａｓｉｃ）を有する、開始することと、
前記第１のＳＣｅｌｌ（１５０Ａ）をアクティブ化または非アクティブ化するための前記第１のプロシージャを行っている間に、第２のキャリアについて第２のＳＣｅｌｌ（１５０Ｂ）をアクティブ化し、非アクティブ化し、設定し、または設定解除するための第２のメッセージを受信することと、
前記第２のＳＣｅｌｌ（１５０Ｂ）をアクティブ化し、非アクティブ化し、設定し、または設定解除するための前記第２のメッセージを受信することに応じて、前記第１の遅延期間を、前記第１のＳＣｅｌｌ（１５０Ａ）をアクティブ化または非アクティブ化するための前記第１のプロシージャを完了すべき第２の遅延期間（Ｔａｃｔｉｖａｔｅ＿ｔｏｔａｌ）に置換することによって、前記第１のプロシージャを修正することであって、前記第２の遅延期間（Ｔａｃｔｉｖａｔｅ＿ｔｏｔａｌ）は、前記第１の遅延期間（Ｔａｃｔｉｖａｔｅ＿ｂａｓｉｃ）よりも大きい、修正することと、
を含む、方法。
【請求項２】
前記第２の遅延期間（Ｔａｃｔｉｖａｔｅ＿ｔｏｔａｌ）は、少なくとも、整数Ｋの関数であり、前記Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように前記ワイヤレスデバイス（１１０Ａ）が要求される回数である、請求項１に記載の方法。
【請求項３】
前記第１のＳＣｅｌｌ（１５０Ａ）が、前記第１のプロシージャ中に検出可能なままであり、
前記第１のメッセージの前記受信前の少なくとも第３の遅延期間中に、前記ワイヤレスデバイス（１１０Ａ）が前記第１のＳＣｅｌｌ（１５０Ａ）についての測定レポートを送信しており、前記第１のＳＣｅｌｌ（１５０Ａ）が検出可能なままである場合、
Ｔａｃｔｉｖａｔｅ＿ｂａｓｉｃ＝２４サブフレームであり、
さもなければ、前記ワイヤレスデバイス（１１０Ａ）が、前記第１のプロシージャ中に前記第１のＳＣｅｌｌ（１４０Ａ）を検出するための最初の試行で前記第１のＳＣｅｌｌ（１４０Ａ）を成功裏に検出する場合、Ｔａｃｔｉｖａｔｅ＿ｂａｓｉｃ＝３４サブフレームである、
請求項１または２に記載の方法。
【請求項４】
前記第２の遅延期間（Ｔａｃｔｉｖａｔｅ＿ｔｏｔａｌ）が、
（Ｔａｃｔｉｖａｔｅ＿ｔｏｔａｌ）＝Ｔａｃｔｉｖａｔｅ＿ｂａｓｉｃ＋Ｋ＊５
として表され、ただし、Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように、前記ワイヤレスデバイス（１１０Ａ）が要求される回数を表す整数である、
請求項１から３のいずれか一項に記載の方法。
【請求項５】
前記第１のプロシージャを行っている間に、第３のセカンダリセル（第３のＳＣｅｌｌ）（１５０Ｃ）のアクティブ化、非アクティブ化、設定、または設定解除を要求する第３のメッセージを受信すること
をさらに含む、請求項１から４のいずれか一項に記載の方法。
【請求項６】
前記第１のメッセージが、第１のネットワークノード（１１５Ａ）から受信され、
前記第２のメッセージが、第２のネットワークノード（１１５Ｂ）から受信され、
前記第３メッセージが、第３のネットワークノード（１１５Ｃ）から受信される、
請求項５に記載の方法。
【請求項７】
前記第１のネットワークノード、前記第２のネットワークノード、および前記第３のネットワークノード（１１５Ａ〜Ｃ）が、同じサイトに配置され、または同じネットワークノードに存在する、請求項６に記載の方法。
【請求項８】
前記第１のメッセージ、前記第２のメッセージ、および前記第３のメッセージが、第１のネットワークノード（１１５Ａ）から受信される、請求項６または７に記載の方法。
【請求項９】
前記第１のメッセージ、前記第２のメッセージ、および前記第３のメッセージのうちの少なくとも１つが、前記ＰＣｅｌｌ（１４０Ａ）上で受信される、請求項６または７に記載の方法。
【請求項１０】
前記第１のメッセージが、前記ワイヤレスデバイス（１１０Ａ）に、下記のタスク、すなわち、
前記第１のＳＣｅｌｌ（１５０Ａ）の設定、
前記第１のＳＣｅｌｌ（１５０Ａ）の追加、
前記第１のＳＣｅｌｌ（１５０Ａ）の設定解除、
前記第１のＳＣｅｌｌ（１５０Ａ）の解放、
前記第１のＳＣｅｌｌ（１５０Ａ）のアクティブ化、および
前記第１のＳＣｅｌｌ（１５０Ａ）の非アクティブ化
のうちの１つまたは複数を行うように要求する、請求項１から９のいずれか一項に記載の方法。
【請求項１１】
前記第１のメッセージが、前記第１のＳＣｅｌｌ（１５０Ａ）を設定または設定解除するように、前記ワイヤレスデバイス（１１０Ａ）に要求し、
前記第１のメッセージが、ＲＲＣシグナリングを介して前記ワイヤレスデバイス（１１０Ａ）によって受信される、
請求項１から９のいずれか一項に記載の方法。
【請求項１２】
前記第１のメッセージが、前記第１のＳＣｅｌｌ（１５０Ａ）をアクティブ化または非アクティブ化するように、前記第１のワイヤレスデバイス（１１０Ａ）に要求し、
前記第１のメッセージが、ＭＡＣ  ＣＥコマンドまたはシグナリングを介して前記ワイヤレスデバイス（１１０Ａ）によって受信される、
請求項１から９のいずれか一項に記載の方法。
【請求項１３】
プライマリセル（ＰＣｅｌｌ）（１４０Ａ）および複数のセカンダリセル（ＳＣｅｌｌ）（１５０Ａ〜Ｂ）において複数のキャリアから信号を受信するためにキャリアアグリゲーションを使用するワイヤレスデバイス（１１０Ａ）であって、
実行可能な命令を含有するメモリ（２３０）と、
前記メモリ（２３０）と通信する１つまたは複数のプロセッサ（２２０）と、
を備え、前記１つまたは複数のプロセッサ（２２０）は、前記命令を実行して、前記ワイヤレスデバイス（１１０Ａ）に、
第１のキャリアについて第１のセカンダリセル（第１のＳＣｅｌｌ）（１５０Ａ）のアクティブ化または非アクティブ化を要求する第１のメッセージを受信させ、
前記第１のメッセージに応じて、前記第１のＳＣｅｌｌ（１５０Ａ）をアクティブ化または非アクティブ化するための第１のプロシージャを開始させ、前記ワイヤレスデバイス（１１０Ａ）は、前記第１のプロシージャを完了させるべき第１の遅延期間（Ｔａｃｔｉｖａｔｅ＿ｂａｓｉｃ）を有し、
前記第１のＳＣｅｌｌ（１５０Ａ）をアクティブ化または非アクティブ化するための前記第１のプロシージャを行っている間に、第２のキャリアについて第２のＳＣｅｌｌ（１５０Ｂ）をアクティブ化し、非アクティブ化し、設定し、または設定解除するための第２のメッセージを受信させ、
前記第２のＳＣｅｌｌ（１５０Ｂ）をアクティブ化し、非アクティブ化し、設定し、または設定解除するための前記第２のメッセージを受信することに応じて、前記第１の遅延期間を、前記第１のＳＣｅｌｌ（１５０Ａ）をアクティブ化または非アクティブ化するための前記第１のプロシージャを完了すべき第２の遅延期間（Ｔａｃｔｉｖａｔｅ＿ｔｏｔａｌ）に置換することによって、前記第１のプロシージャを修正させるように動作可能であり、前記第２の遅延期間（Ｔａｃｔｉｖａｔｅ＿ｔｏｔａｌ）は、前記第１の遅延期間（Ｔａｃｔｉｖａｔｅ＿ｂａｓｉｃ）よりも大きい、
ワイヤレスデバイス（１１０Ａ）。
【請求項１４】
前記第２の遅延期間（Ｔａｃｔｉｖａｔｅ＿ｔｏｔａｌ）は、少なくとも、整数Ｋの関数であり、前記Ｋは、前記第２のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように前記ワイヤレスデバイス（１１０Ａ）が要求される回数である、請求項１３に記載のワイヤレスデバイス（１１０Ａ）。
【請求項１５】
前記第１のＳＣｅｌｌ（１５０Ａ）が、前記第１のプロシージャ中に検出可能なままであり、
前記第１のメッセージの前記受信前の少なくとも第３の遅延期間中に、前記ワイヤレスデバイス（１１０Ａ）が前記第１のＳＣｅｌｌ（１５０Ａ）についての測定レポートを送信しており、前記第１のＳＣｅｌｌ（１５０Ａ）が検出可能なままである場合、
Ｔａｃｔｉｖａｔｅ＿ｂａｓｉｃ＝２４サブフレームであり、
さもなければ、前記ワイヤレスデバイス（１１０Ａ）が、前記第１のプロシージャ中に前記第１のＳＣｅｌｌ（１４０Ａ）を検出するための最初の試行で前記第１のＳＣｅｌｌ（１４０Ａ）を成功裏に検出する場合、Ｔａｃｔｉｖａｔｅ＿ｂａｓｉｃ＝３４サブフレームである、
請求項１３または１４に記載のワイヤレスデバイス（１１０Ａ）。
【請求項１６】
前記第２の遅延期間（Ｔａｃｔｉｖａｔｅ＿ｔｏｔａｌ）が、
（Ｔａｃｔｉｖａｔｅ＿ｔｏｔａｌ）＝Ｔａｃｔｉｖａｔｅ＿ｂａｓｉｃ＋Ｋ＊５
として表され、ただし、Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように、前記ワイヤレスデバイス（１１０Ａ）が要求される回数を表す整数である、
請求項１３から１５のいずれか一項に記載のワイヤレスデバイス（１１０Ａ）。
【請求項１７】
前記１つまたは複数のプロセッサ（２２０）が、前記命令を実行して、前記ワイヤレスデバイス（１１０Ａ）に、
前記第１のプロシージャを行っている間に、第３のセカンダリセル（第３のＳＣｅｌｌ）（１５０Ｃ）のアクティブ化、非アクティブ化、設定、または設定解除を要求する第３のメッセージを受信させる
ようにさらに動作可能である、請求項１３から１６のいずれか一項に記載のワイヤレスデバイス（１１０Ａ）。
【請求項１８】
前記第１のメッセージが、第１のネットワークノードから受信され、
前記第２のメッセージが、第２のネットワークノードから受信され、
前記第３メッセージが、第３のネットワークノードから受信される、
請求項１７に記載のワイヤレスデバイス（１１０Ａ）。
【請求項１９】
前記第１のネットワークノード、前記第２のネットワークノード、および前記第３のネットワークノード１１５Ａ〜Ｃが、同じサイトに配置され、または同じネットワークノードに存在する、請求項１８に記載のワイヤレスデバイス（１１０Ａ）。
【請求項２０】
前記第１のメッセージ、前記第２のメッセージ、および前記第３のメッセージが、第１のネットワークノード（１１５Ａ）から受信される、請求項１８または１９に記載のワイヤレスデバイス（１１０Ａ）。
【請求項２１】
前記第１のメッセージ、前記第２のメッセージ、および前記第３のメッセージのうちの少なくとも１つが、ＰＣｅｌｌ（１４０Ａ）上で受信される、請求項１８または１９に記載のワイヤレスデバイス（１１０Ａ）。
【請求項２２】
前記第１のメッセージが、下記のタスク、すなわち、
前記第１のＳＣｅｌｌ（１５０Ａ）の設定、
前記第１のＳＣｅｌｌ（１５０Ａ）の追加、
前記第１のＳＣｅｌｌ（１５０Ａ）の設定解除、
前記第１のＳＣｅｌｌ（１５０Ａ）の解放、
前記第１のＳＣｅｌｌ（１５０Ａ）のアクティブ化、および
前記第１のＳＣｅｌｌ（１５０Ａ）の非アクティブ化
のうちの１つまたは複数を行うように、前記ワイヤレスデバイス（１１０Ａ）に要求する、請求項１３から２１のいずれか一項に記載のワイヤレスデバイス（１１０Ａ）。
【請求項２３】
前記第１のメッセージが、前記第１のＳＣｅｌｌ（１５０Ａ）を設定または設定解除するように、前記ワイヤレスデバイス（１１０Ａ）に要求し、
前記第１のメッセージが、ＲＲＣシグナリングを介して前記ワイヤレスデバイス（１１０Ａ）によって受信される、
請求項２１に記載のワイヤレスデバイス（１１０Ａ）。
【請求項２４】
前記第１のメッセージが、前記第１のＳＣｅｌｌ（１５０Ａ）をアクティブ化または非アクティブ化するように、前記第１のワイヤレスデバイス（１１０Ａ）に要求し、
前記第１のメッセージが、ＭＡＣ  ＣＥコマンドまたはシグナリングを介して前記ワイヤレスデバイス（１１０Ａ）によって受信される、
請求項２１に記載のワイヤレスデバイス（１１０Ａ）。
【請求項２５】
プライマリセル（ＰＣｅｌｌ）（１４０Ａ）および複数のセカンダリセル（ＳＣｅｌｌ）（１５０Ａ〜Ｂ）において複数のキャリアから信号を受信するためにキャリアアグリゲーションを使用しているワイヤレスデバイス（１１０Ａ）にサーブする第１のネットワークノード（１１５Ａ）における方法であって、
第１のキャリアについて第１のＳＣｅｌｌ（１５０Ａ）をアクティブ化または非アクティブ化するように前記ワイヤレスデバイス（１１０Ａ）に要求する第１のメッセージを前記ワイヤレスデバイス（１１０Ａ）が受信したと、前記第１のネットワークノード（１１５Ａ）によって決定することと、
前記ワイヤレスデバイス（１１０Ａ）が前記第１のＳＣｅｌｌ（１５０Ａ）をアクティブ化または非アクティブ化するべき遅延期間（Ｔａｃｔｉｖａｔｅ＿ｂａｓｉｃ）を前記第１のネットワークノード（１１５Ａ）によって決定することと、
第２のＳＣｅｌｌ（１５０Ａ）のアクティブ化、非アクティブ化、設定、または設定解除を要求する第２のメッセージを送ることを前記第１のネットワークノード（１１５Ａ）によって遅延させることであって、前記第２のメッセージは、前記遅延期間の関数である時間だけ遅延される、遅延させることと、
を含む、方法。
【請求項２６】
前記第１のメッセージを前記ワイヤレスデバイス（１１０Ａ）が受信したと決定することが、
前記ＰＣｅｌｌ（１４０Ａ）に関連付けられた第１のネットワークノード（１１５Ａ）から標識を取り出すことと、
前記第１のＳＣｅｌｌ（１５０Ａ）に関連付けられた第２のネットワークノード（１１５Ｂ）から標識を受信することと、
前記ワイヤレスデバイス（１１０Ａ）から標識を受信することと、
前記ネットワークノード（１１５Ａ）によって、前記ワイヤレスデバイス（１１０Ａ）へ要求を送ることと、
のうちの１つまたは複数を含む、請求項２５に記載の方法。
【請求項２７】
第３のＳＣｅｌｌをアクティブ化し、非アクティブ化し、設定し、または設定解除するように前記ワイヤレスデバイス（１１０Ａ）に要求する第３のメッセージを前記ワイヤレスデバイス（１１０Ａ）が受信したと、前記第１のネットワークノード（１１５Ａ）によって決定することと、
前記ワイヤレスデバイス（１１０Ａ）が前記第１のＳＣｅｌｌの前記アクティブ化または非アクティブ化を完了すべき総遅延期間（Ｔａｃｔｉｖａｔｅ＿ｔｏｔａｌ）を前記第１のネットワークノード（１１５Ａ）によって決定することであって、前記ワイヤレスデバイス（１１０Ａ）が、前記第１のＳＣｅｌｌ（１５０Ａ）をアクティブ化または非アクティブしている間に、前記第３のＳＣｅｌｌ（１５０Ｃ）をアクティブ化し、非アクティブ化し、設定し、または設定解除するための前記第３のメッセージを受信する場合、前記第１のＳＣｅｌｌをアクティブ化または非アクティブ化するための前記総遅延期間（Ｔａｃｔｉｖａｔｅ＿ｔｏｔａｌ）は、前記遅延期間（Ｔａｃｔｉｖａｔｅ＿ｂａｓｉｃ）よりも大きい、決定することと、
をさらに含む、請求項２５または２６に記載の方法。
【請求項２８】
前記第２のＳＣｅｌｌ（１５０Ｂ）の前記アクティブ化、非アクティブ化、設定または設定解除を要求する前記第２のメッセージを送ることを前記第１のネットワークノード（１１５Ａ）によって遅延させることをさらに含み、総遅延期間（Ｔａｃｔｉｖａｔｅ＿ｔｏｔａｌ）は、前記遅延期間（Ｔａｃｔｉｖａｔｅ＿ｂａｓｉｃ）よりも既定の量だけ大きい、
請求項２７に記載の方法。
【請求項２９】
前記総遅延期間（Ｔａｃｔｉｖａｔｅ＿ｔｏｔａｌ）および前記遅延期間（Ｔａｃｔｉｖａｔｅ＿ｂａｓｉｃ）の前記決定が、既定のルールに基づく、請求項２７または２８に記載の方法。
【請求項３０】
前記第１のメッセージは、前記第１のネットワークノード（１１５Ａ）から前記ワイヤレスデバイスによって受信され、
前記第２のメッセージは、第２のネットワークノード（１１５Ｂ）から送られるべきであり、
前記第３のメッセージは、第３のネットワークノード（１１５Ｃ）から受信される、
請求項２７または２８に記載の方法。
【請求項３１】
前記第１のネットワークノード（１１５Ａ）、前記第２のネットワークノード（１１５Ｂ）、および前記第３のネットワークノード（１１５Ｃ）が、同じサイトに配置され、または同じネットワークノードにある、請求項３０に記載の方法。
【請求項３２】
前記第１のメッセージが、前記第１のネットワークノードからのものである、請求項２５から３１のいずれか一項に記載の方法。
【請求項３３】
前記第１のメッセージおよび前記第３のメッセージのうちの少なくとも１つが、ＰＣｅｌｌ（１４０Ａ）上で前記ワイヤレスデバイス（１１０Ａ）によって受信される、請求項３０から３２のいずれか一項に記載の方法。
【請求項３４】
前記第２のメッセージが、前記ＰＣｅｌｌ（１４０Ａ）上で前記ワイヤレスデバイス１１０Ａへ送られるべきである、請求項２５から３２のいずれか一項に記載の方法。
【請求項３５】
前記第１のメッセージが、下記のタスク、すなわち、
前記第１のＳＣｅｌｌ（１５０Ａ）の設定、
前記第１のＳＣｅｌｌ（１５０Ａ）の追加、
前記第１のＳＣｅｌｌ（１５０Ａ）の設定解除、
前記第１のＳＣｅｌｌ（１５０Ａ）の解放、
前記第１のＳＣｅｌｌ（１５０Ａ）のアクティブ化、および
前記第１のＳＣｅｌｌ（１５０Ａ）の非アクティブ化
のうちの１つまたは複数を行うための、前記ワイヤレスデバイス（１１０Ａ）に対する要求を含む、請求項２５から３４のいずれか一項に記載の方法。
【請求項３６】
プライマリセル（ＰＣｅｌｌ）（１４０Ａ）および複数のセカンダリセル（ＳＣｅｌｌ）（１５０Ａ〜Ｂ）において複数のキャリアから信号を受信するためにキャリアアグリゲーションを使用するワイヤレスデバイス（１１０Ａ）をサーブする第１のネットワークノード（１１５Ａ）であって、
実行可能な命令を含有するメモリ（５３０）と、
前記メモリ（５３０）と通信する１つまたは複数のプロセッサ（５２０）と、
を備え、前記１つまたは複数のプロセッサ（５２０）は、前記命令を実行して、前記第１のネットワークノード（１１５Ａ）に、
第１のキャリアについて第１のＳＣｅｌｌ（１５０Ａ）をアクティブ化または非アクティブ化するように前記ワイヤレスデバイス（１１０Ａ）に要求する第１のメッセージを前記ワイヤレスデバイス（１１０Ａ）が受信したと決定させ、
前記ワイヤレスデバイス（１１０Ａ）が前記第１のＳＣｅｌｌ（１５０Ａ）をアクティブ化または非アクティブするべき遅延期間（Ｔａｃｔｉｖａｔｅ＿ｂａｓｉｃ）を決定させ、
第２のＳＣｅｌｌ（１５０Ｂ）のアクティブ化、非アクティブ化、設定、または設定解除を要求する第２のメッセージを送ることを遅延させ、前記第２のメッセージは、前記遅延期間の関数である時間だけ遅延させるように動作可能である、
第１のネットワークノード（１１５Ａ）。
【請求項３７】
前記第１のメッセージを前記ワイヤレスデバイス（１１０Ａ）が受信したと決定することが、
前記ＰＣｅｌｌ（１４０Ａ）に関連付けられた第１のネットワークノード（１１５Ａ）から標識を取り出すことと、
前記第１のＳＣｅｌｌ（１５０Ａ）に関連付けられた第２のネットワークノード（１１５Ｂ）から標識を受信することと、
前記ワイヤレスデバイス（１１０Ａ）から標識を受信することと、
前記ネットワークノード（１１５Ａ）によって、前記ワイヤレスデバイス（１１０Ａ）へ要求を送ることと、
のうちの１つまたは複数を含む、請求項３６に記載の第１のネットワークノード（１１５Ａ）。
【請求項３８】
前記１つまたは複数のプロセッサ（５２０）が、前記命令を実行して、前記第１のネットワークノード（１１５Ａ）に、
第３のＳＣｅｌｌ（１４０Ｃ）をアクティブ化し、非アクティブ化し、設定し、または設定解除することを前記ワイヤレスデバイス（１１０Ａ）に要求する第３のメッセージを前記ワイヤレスデバイス（１１０Ａ）が受信したと決定させ、
前記ワイヤレスデバイス（１１０Ａ）が前記第１のＳＣｅｌｌの前記アクティブ化または非アクティブ化を完了すべき総遅延期間（Ｔａｃｔｉｖａｔｅ＿ｔｏｔａｌ）を決定させるようにさらに動作可能であり、前記ワイヤレスデバイス（１１０Ａ）が、前記第１のＳＣｅｌｌ（１５０Ａ）をアクティブ化または非アクティブしている間に、前記第３のＳＣｅｌｌ（１５０Ｃ）をアクティブ化し、非アクティブ化し、設定し、または設定解除するための前記第３のメッセージを受信する場合、前記第１のＳＣｅｌｌをアクティブ化または非アクティブ化するための前記総遅延期間（Ｔａｃｔｉｖａｔｅ＿ｔｏｔａｌ）は、前記遅延期間（Ｔａｃｔｉｖａｔｅ＿ｂａｓｉｃ）よりも大きい、
請求項３６または３７に記載の第１のネットワークノード（１１５Ａ）。
【請求項３９】
前記１つまたは複数のプロセッサ（５２０）が、前記命令を実行して、前記第１のネットワークノード（１１５Ａ）に、
前記第２のＳＣｅｌｌ（１５０Ｂ）のアクティブ化、非アクティブ化、設定、または設定解除を要求する前記第２のメッセージを送ることを前記第１のネットワークノード（１１５Ａ）によって遅延させるようにさらに動作可能であり、総遅延期間（Ｔａｃｔｉｖａｔｅ＿ｔｏｔａｌ）は、前記遅延期間（Ｔａｃｔｉｖａｔｅ＿ｂａｓｉｃ）よりも既定の量だけ大きい、
請求項３８に記載の第１のネットワークノード（１１５Ａ）。
【請求項４０】
前記総遅延期間（Ｔａｃｔｉｖａｔｅ＿ｔｏｔａｌ）および前記遅延期間（Ｔａｃｔｉｖａｔｅ＿ｂａｓｉｃ）の前記決定が、既定のルールに基づく、請求項３８または３９に記載の第１のネットワークノード（１１５Ａ）。
【請求項４１】
前記第１のメッセージは、前記第１のネットワークノード（１１５Ａ）から受信され、
前記第２のメッセージは、第２のネットワークノード（１１５Ｂ）から送られるべきであり、
前記第３のメッセージは、第３のネットワークノード（１１５Ｃ）から受信される、
請求項３８または３９に記載の第１のネットワークノード（１１５Ａ）。
【請求項４２】
前記第１のネットワークノード（１１５Ａ）、前記第２のネットワークノード（１１５Ｂ）、および前記第３のネットワークノード（１１５Ｃ）が、同じサイトに配置され、または同じネットワークノードにある、請求項４１に記載の第１のネットワークノード（１１５Ａ）。
【請求項４３】
前記第１のメッセージが、前記第１のネットワークノード（１１５Ａ）からのものである、請求項３６から４２のいずれか一項に記載の第１のネットワークノード（１１５Ａ）。
【請求項４４】
前記第１のメッセージおよび前記第３のメッセージのうちの少なくとも１つが、ＰＣｅｌｌ（１４０Ａ）上で前記ワイヤレスデバイス（１１０Ａ）によって受信される、請求項４２または４３に記載の第１のネットワークノード（１１５Ａ）。
【請求項４５】
前記第２のメッセージが、前記ＰＣｅｌｌ（１４０Ａ）上で前記ワイヤレスデバイス（１１０Ａ）へ送られるべきである、請求項３６から４４のいずれか一項に記載の第１のネットワークノード（１１５Ａ）。
【請求項４６】
前記第１のメッセージが、下記のタスク、すなわち、
前記第１のＳＣｅｌｌ（１５０Ａ）の設定、
前記第１のＳＣｅｌｌ（１５０Ａ）の追加、
前記第１のＳＣｅｌｌ（１５０Ａ）の設定解除、
前記第１のＳＣｅｌｌ（１５０Ａ）の解放、
前記第１のＳＣｅｌｌ（１５０Ａ）のアクティブ化、および
前記第１のＳＣｅｌｌ（１５０Ａ）の非アクティブ化
のうちの１つまたは複数を行うための、前記ワイヤレスデバイス（１１０Ａ）に対する要求を含む、請求項４３または４４に記載の第１のネットワークノード（１１５Ａ）。
【請求項４７】
装置（３００）であって、
第１のキャリアについて第１のセカンダリセル（第１のＳＣｅｌｌ）（１５０Ａ）のアクティブ化または非アクティブ化を要求する第１のメッセージを受信するように構成された第１の受信モジュール（３１０）と、
前記第１のメッセージに応じて、前記第１のＳＣｅｌｌ（１５０Ａ）をアクティブ化または非アクティブ化するための第１のプロシージャを開始するように構成された開始モジュール（３２０）であって、前記装置（３００）は、前記第１のプロシージャを完了させるべき第１の遅延期間（Ｔａｃｔｉｖａｔｅ＿ｂａｓｉｃ）を有する、開始モジュール（３２０）と、
前記第１のＳＣｅｌｌ（１５０Ａ）をアクティブ化または非アクティブ化するための前記第１のプロシージャを行っている間に、第２のキャリアについて第２のＳＣｅｌｌ（１５０Ｂ）をアクティブ化し、非アクティブ化し、設定し、または設定解除するための第２のメッセージを受信するように構成された第２の受信モジュール（３３０）と、
前記第２のＳＣｅｌｌ（１５０Ｂ）をアクティブ化し、非アクティブ化し、設定し、または設定解除するための前記第２のメッセージを受信することに応じて、前記第１のプロシージャを修正するように構成された修正モジュール（３４０）であって、前記第１のプロシージャを修正することは、前記第１の遅延期間を、前記第１のＳＣｅｌｌ（１５０Ａ）をアクティブ化または非アクティブ化するための前記第１のプロシージャを完了すべき第２の遅延期間（Ｔａｃｔｉｖａｔｅ＿ｔｏｔａｌ）に置換することを含み、前記第２の遅延期間（Ｔａｃｔｉｖａｔｅ＿ｔｏｔａｌ）は、前記第１の遅延期間（Ｔａｃｔｉｖａｔｅ＿ｂａｓｉｃ）よりも大きい、修正モジュール（３４０）と、
を備える、装置（３００）。
【請求項４８】
前記第２の遅延期間（Ｔａｃｔｉｖａｔｅ＿ｔｏｔａｌ）は、少なくとも、整数Ｋの関数であり、前記Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように前記装置（３００）が要求される回数である、請求項４７に記載の装置（３００）。
【請求項４９】
前記第１のプロシージャを行っている間に、第３のセカンダリセル（第３のＳＣｅｌｌ）（１５０Ｃ）のアクティブ化、非アクティブ化、設定、または設定解除を要求する第３のメッセージを受信するように構成された第３の受信モジュールをさらに備える、請求項４７または４８に記載の装置（３００）。
【請求項５０】
前記第１のメッセージは、第１のネットワークノード（１１５Ａ）から受信され、
前記第２のメッセージは、第２のネットワークノード（１１５Ｂ）から受信され、
前記第３のメッセージは、第３のネットワークノード（１１５Ｃ）から受信される、
請求項４９に記載の装置（３００）。
【請求項５１】
前記第１のネットワークノード、前記第２のネットワークノード、および前記第３のネットワークノード（１１５Ａ〜Ｃ）が、同じサイトに配置され、または同じネットワークノードにある、請求項５０に記載の装置（３００）。
【請求項５２】
第１のキャリアについて第１のＳＣｅｌｌ（１５０Ａ）をアクティブ化または非アクティブ化するようにワイヤレスデバイス（１１０Ａ）に要求する第１のメッセージを前記ワイヤレスデバイス（１１０Ａ）が受信したと決定するように構成された第１の決定モジュール（６１０）と、
前記ワイヤレスデバイス（１１０Ａ）が前記第１のＳＣｅｌｌ（１５０Ａ）をアクティブ化または非アクティブするべき遅延期間（Ｔａｃｔｉｖａｔｅ＿ｂａｓｉｃ）を決定するように構成された第２の決定モジュール（６２０）と、
第２のＳＣｅｌｌ（１５０Ｂ）のアクティブ化、非アクティブ化、設定、または設定解除を要求する第２のメッセージを送ることを遅延させるように構成された遅延モジュール（６３０）であって、前記第２のメッセージは、前記遅延期間の関数である時間だけ遅延される、遅延モジュール（６３０）と、
を備える、装置（６００）。
【請求項５３】
第３のＳＣｅｌｌ（１５０Ｃ）をアクティブ化し、非アクティブ化し、設定し、または設定解除するように前記ワイヤレスデバイス（１１０Ａ）に要求する第３のメッセージを前記ワイヤレスデバイス（１１０Ａ）が受信したと決定するように構成された第３の決定モジュールと、
前記ワイヤレスデバイス（１１０Ａ）が前記第１のＳＣｅｌｌ（１５０Ａ）の前記アクティブ化または非アクティブ化を完了させるべき総遅延期間（Ｔａｃｔｉｖａｔｅ＿ｔｏｔａｌ）を決定するように構成された第４の決定モジュールであって、前記ワイヤレスデバイス（１１０Ａ）が、前記第１のＳＣｅｌｌ（１５０Ａ）をアクティブ化または非アクティブしている間に、前記第３のＳＣｅｌｌ（１５０Ｃ）をアクティブ化し、非アクティブ化し、設定し、または設定解除するための前記第３のメッセージを受信する場合、前記第１のＳＣｅｌｌ（１５０Ａ）をアクティブ化または非アクティブ化するための前記総遅延期間（Ｔａｃｔｉｖａｔｅ＿ｔｏｔａｌ）は、前記遅延期間（Ｔａｃｔｉｖａｔｅ＿ｂａｓｉｃ）よりも大きい、第４の決定モジュールと、
をさらに備える、請求項５２に記載の装置（６００）。
【請求項５４】
前記第２のＳＣｅｌｌ（１５０Ｂ）の前記アクティブ化、非アクティブ化、設定または設定解除を要求する前記第２のメッセージを送ることを遅延させるように構成された第２の遅延モジュールをさらに備え、総遅延期間（Ｔａｃｔｉｖａｔｅ＿ｔｏｔａｌ）は、前記遅延期間（Ｔａｃｔｉｖａｔｅ＿ｂａｓｉｃ）よりも既定の量だけ大きい、請求項５３に記載の装置（６００）。
【請求項５５】
前記総遅延期間（Ｔａｃｔｉｖａｔｅ＿ｔｏｔａｌ）および前記遅延期間（Ｔａｃｔｉｖａｔｅ＿ｂａｓｉｃ）の前記決定が、既定のルールに基づく、請求項５３または５４に記載の装置（６００）。
【請求項５６】
前記第１のメッセージは、前記第１のネットワークノード（１１５Ａ）から前記ワイヤレスデバイスによって受信され、
前記第２のメッセージは、第２のネットワークノード（１１５Ｂ）から送られるべきであり、
前記第３のメッセージは、第３のネットワークノード（１１５Ｃ）から受信される、
請求項５３から５５のいずれか一項に記載の装置（６００）。
【請求項５７】
前記第１のネットワークノード（１１５Ａ）、前記第２のネットワークノード（１１５Ｂ）、および前記第３のネットワークノード（１１５Ｃ）が、同じサイトに配置され、または同じネットワークノードにある、請求項５６に記載の装置（６００）。
【発明の詳細な説明】
【技術分野】
【０００１】
特定の実施形態は、一般に、ワイヤレス通信に関し、より詳細には、複数のセカンダリセルをアクティブ化および非アクティブ化するためのシステムおよび方法に関する。
【背景技術】
【０００２】
一般に、プライマリキャリアは、ワイヤレス通信デバイスに固有の非常に重要なシグナリングを搬送する。プライマリキャリアは、アップリンク方向とダウンリンク方向との両方に存在する。したがって、単一のアップリンクコンポーネントキャリアのみが存在する場合、プライマリセル（ＰＣｅｌｌ）は、そのコンポーネントキャリア上に存在する。ネットワークは、同じセクタまたはセル内で動作する異なるワイヤレス通信デバイスに対して、異なるプライマリキャリアを割り当て得る。
【０００３】
ネットワークノードは、マルチキャリアセカンダリセル（ＳＣｅｌｌ）セットアッププロシージャを使用して、マルチキャリア動作が可能なワイヤレス通信デバイスについてのＳＣｅｌｌを少なくとも一時的にセットアップまたは解放する。ＳＣｅｌｌは、ダウンリンク、アップリンク、またはこれらの両方において、セットアップされ、または解放され得る。ネットワークがマルチキャリアＳＣｅｌｌセットアッププロシージャにおいて使用することができるコマンドの例は、ＳＣｅｌｌの設定、ＳＣｅｌｌの設定解除、ＳＣｅｌｌのアクティブ化、およびＳＣｅｌｌの非アクティブ化を含む。
【０００４】
設定プロシージャは、サービング無線ネットワークノード（例えば、ＬＴＥにおけるｅノードＢ）によって、キャリアアグリゲーション可能なワイヤレス通信デバイスを、ダウンリンク、アップリンク、またはこれらの両方において、１つまたは複数のＳＣｅｌｌを用いて設定するために使用される。設定解除プロシージャは、サービング無線ネットワークノードによって、ダウンリンク、アップリンク、またはこれらの両方において、１つまたは複数の既に設定されたＳＣｅｌｌを設定解除し、または除去するために使用される。設定プロシージャまたは設定解除プロシージャは、現在のマルチキャリア設定を変更するためにも使用され得る。例えば、ＳＣｅｌｌの数は、増加もしくは減少されてもよく、または、既存のＳＣｅｌｌが、新たなＳＣｅｌｌと交換されてもよい。
【０００５】
常にアクティブ化されるＰＣｅｌｌとは対照的に、ＳＣｅｌｌは、必要に応じてアクティブ化および非アクティブ化され得る。具体的には、サービング無線ネットワークノードは、１つもしくは複数の非アクティブ化されたＳＣｅｌｌのアクティブ化、または１つもしくは複数のアクティブなＳＣｅｌｌの非アクティブ化を、対応する設定済みのセカンダリキャリア上で開始し得る。設定済みのＳＣｅｌｌは、まず、セルの追加時に、およびハンドオーバなどのセル変更後に、非アクティブ化される。ＬＴＥにおいて、アクティブ化コマンドおよび非アクティブ化コマンドは、ｅノードＢによってワイヤレスデバイスへ、メディアアクセス制御−制御要素（ＭＡＣ−ＣＥ：ｍｅｄｉａ  ａｃｃｅｓｓ  ｃｏｎｔｒｏｌ−ｃｏｎｔｒｏｌ  ｅｌｅｍｅｎｔ）を介して送られる。ＳＣｅｌｌの非アクティブ化は、ワイヤレス通信デバイスのバッテリ電力を節約する。
【０００６】
ＳＣｅｌｌをアクティブ化または非アクティブ化するためのコマンドを受信することに応じて、ユーザ機器（ＵＥ）とも称され得るワイヤレスデバイスは、特定された最低時間要件内にＳＣｅｌｌをアクティブ化または非アクティブ化しなければならない。例えば、ＴＳ３６．１３３  ｒｅｌｅａｓｅ１０は、一定のＳＣｅｌｌアクティブ化遅延要件を規定している。具体的には、ＳＣｅｌｌアクティブ化コマンドをサブフレームｎ内で受信すると、ワイヤレスデバイスは、下記の条件がＳＣｅｌｌについて満たされるならば、有効なチャネル状態情報（ＣＳＩ：ｃｈａｎｎｅｌ  ｓｔａｔｅ  ｉｎｆｏｒｍａｔｉｏｎ）レポートを送信し、アクティブ化コマンドに関連するアクションを、アクティブ化されつつあるＳＣｅｌｌについて、サブフレームｎ＋２４までに適用することが可能であるべきである：１）ＳＣｅｌｌアクティブ化コマンドの受信前の、最大値に等しい期間（５ｍｅａｓＣｙｃｌｅＣｅｌｌ、５つの間欠受信（ＤＲＸ：Ｄｉｓｃｏｎｔｉｎｕｏｕｓ  ｒｅｃｅｐｔｉｏｎ）サイクル）中に、（ａ）ワイヤレス通信デバイスは、アクティブ化されつつあるＳｃｅｌｌについての有効な測定レポートを送っており、かつ、（ｂ）アクティブ化されつつあるＳＣｅｌｌが、セル識別条件に従って検出可能なままであること、２）アクティブ化されつつあるＳＣｅｌｌも、ＳＣｅｌｌアクティブ化遅延期間中に、セル識別条件に従って検出可能なままであること。さもなければ、ＳＣｅｌｌアクティブ化コマンドをサブフレームｎ内で受信すると、ワイヤレスデバイスは、ＳＣｅｌｌが最初の試行で成功裏に検出され得るならば、有効なＣＳＩレポートを送信し、アクティブ化されつつあるＳＣｅｌｌについてのアクティブ化コマンドに関連するアクションをサブフレームｎ＋３４までに適用することが可能であるべきである。
【０００７】
ＳＣｅｌｌ非アクティブ化遅延要件も、ＴＳ３６．１３３  ｒｅｌｅａｓｅ１０において規定されている。ＴＳ３６．１３３  ｒｅｌｅａｓｅ１０によれば、サブフレームｎにおいて、ＳＣｅｌｌ非アクティブ化コマンドを受信すると、またはｓＣｅｌｌＤｅａｃｔｉｖａｔｉｏｎＴｉｍｅｒが満了すると、ワイヤレスデバイスは、非アクティブ化されつつあるＳＣｅｌｌについての非アクティブ化アクションをサブフレームｎ＋８までに達成するべきである。
【０００８】
しかしながら、あるＳＣｅｌｌのアクティブ化または非アクティブ化は、別のＳＣｅｌｌに関連する動作によって干渉されることがある。例えば、ワイヤレスデバイスが、第１のＳＣｅｌｌについてのアクティブ化プロシージャまたは非アクティブ化プロシージャを実行している間に、ワイヤレスデバイスが、第２のＳＣｅｌｌを設定または設定解除するためのコマンドを受信する場合、第１のＳＣｅｌｌのアクティブ化または非アクティブ化は大幅に劣化され得る。
【発明の概要】
【０００９】
いくつかの実施形態は、複数のセカンダリセルをアクティブ化および非アクティブ化することに対する解決策を提案する。プライマリセル（ＰＣｅｌｌ）および複数のセカンダリセル（ＳＣｅｌｌ）において複数のキャリアから信号を受信するためにキャリアアグリゲーションを使用するワイヤレスデバイスによって、複数のセカンダリセルをアクティブ化および非アクティブ化するための方法。例えば、特定の実施形態によれば、方法は、第１のキャリアについて第１のセカンダリセル（第１のＳＣｅｌｌ）のアクティブ化または非アクティブ化を要求する第１のメッセージを受信することを含む。第１のメッセージに応じて、第１のＳＣｅｌｌをアクティブ化または非アクティブ化するための第１のプロシージャが開始される。ワイヤレスデバイスは、第１のプロシージャを完了させるべき第１の遅延期間（Ｔａｃｔｉｖａｔｅ＿ｂａｓｉｃ）を有する。第１のＳＣｅｌｌをアクティブ化または非アクティブ化するための第１のプロシージャを行っている間に、第２のキャリアについて第２のＳＣｅｌｌをアクティブ化し、非アクティブ化し、設定し、または設定解除するための第２のメッセージが受信される。第２のＳＣｅｌｌをアクティブ化し、非アクティブ化し、設定し、または設定解除するための第２のメッセージを受信することに応じて、第１の遅延期間を、第１のＳＣｅｌｌをアクティブ化または非アクティブ化するための第１のプロシージャを完了すべき第２の遅延期間（Ｔａｃｔｉｖａｔｅ＿ｔｏｔａｌ）に置換することによって、第１のプロシージャが修正される。第２の遅延期間（Ｔａｃｔｉｖａｔｅ＿ｔｏｔａｌ）は、第１の遅延期間（Ｔａｃｔｉｖａｔｅ＿ｂａｓｉｃ）よりも大きい。
【００１０】
別の例として、特定の実施形態によれば、プライマリセル（ＰＣｅｌｌ）および複数のセカンダリセル（ＳＣｅｌｌ）において複数のキャリアから信号を受信するためにキャリアアグリゲーションを使用するワイヤレスデバイスは、実行可能な命令を含有するメモリと、メモリと通信する１つまたは複数のプロセッサとを備える。１つまたは複数のプロセッサは、命令を実行して、ワイヤレスデバイスに、第１のキャリアについて第１のセカンダリセル（第１のＳＣｅｌｌ）のアクティブ化または非アクティブ化を要求する第１のメッセージを受信させるように動作可能である。第１のメッセージに応じて、第１のＳＣｅｌｌをアクティブ化または非アクティブ化するための第１のプロシージャが開始される。ワイヤレスデバイスは、第１のプロシージャを完了させるべき第１の遅延期間（Ｔａｃｔｉｖａｔｅ＿ｂａｓｉｃ）を有する。第１のＳＣｅｌｌをアクティブ化または非アクティブ化するための第１のプロシージャを行っている間に、第２のキャリアについて第２のＳＣｅｌｌをアクティブ化し、非アクティブ化し、設定し、または設定解除するための第２のメッセージが受信される。第２のＳＣｅｌｌをアクティブ化し、非アクティブ化し、設定し、または設定解除するための第２のメッセージを受信することに応じて、第１の遅延期間を、第１のＳＣｅｌｌをアクティブ化または非アクティブ化するための第１のプロシージャを完了すべき第２の遅延期間（Ｔａｃｔｉｖａｔｅ＿ｔｏｔａｌ）に置換することによって、第１のプロシージャが修正される。第２の遅延期間（Ｔａｃｔｉｖａｔｅ＿ｔｏｔａｌ）は、第１の遅延期間（Ｔａｃｔｉｖａｔｅ＿ｂａｓｉｃ）よりも大きい。
【００１１】
別の例として、特定の実施形態によれば、プライマリセル（ＰＣｅｌｌ）および複数のセカンダリセル（ＳＣｅｌｌ）において複数のキャリアから信号を受信するためにキャリアアグリゲーションを使用しているワイヤレスデバイスにサーブする第１のネットワークノードにおける方法。本方法は、第１のキャリアについて第１のＳＣｅｌｌをアクティブ化または非アクティブ化するようにワイヤレスデバイスに要求する第１のメッセージをワイヤレスデバイスが受信したと、第１のネットワークノードによって決定することを含む。第１のネットワークノードは、ワイヤレスデバイスが第１のＳＣｅｌｌをアクティブ化または非アクティブ化するべき遅延期間（Ｔａｃｔｉｖａｔｅ＿ｂａｓｉｃ）を決定する。第１のネットワークノードは、第２のＳＣｅｌｌのアクティブ化、非アクティブ化、設定、または設定解除を要求する第２のメッセージを送ることを遅延させる。第２のメッセージは、遅延期間の関数である時間だけ遅延される。
【００１２】
また別の例として、特定の実施形態によれば、プライマリセル（ＰＣｅｌｌ）および複数のセカンダリセル（ＳＣｅｌｌ）において複数のキャリアから信号を受信するためにキャリアアグリゲーションを使用するワイヤレスデバイスをサーブする第１のネットワークノードは、実行可能な命令を含有するメモリと、メモリと通信する１つまたは複数のプロセッサとを備える。１つまたは複数のプロセッサは、命令を実行して、第１のネットワークノードに、第１のキャリアについて第１のＳＣｅｌｌをアクティブ化または非アクティブ化するようにワイヤレスデバイスに要求する第１のメッセージをワイヤレスデバイスが受信したと決定させる。ワイヤレスデバイスが第１のＳＣｅｌｌをアクティブ化または非アクティブするべき遅延期間（Ｔａｃｔｉｖａｔｅ＿ｂａｓｉｃ）が決定される。第２のＳＣｅｌｌのアクティブ化、非アクティブ化、設定、または設定解除を要求する第２のメッセージを送ることが遅延される。第２のメッセージは、遅延期間の関数である時間だけ遅延される。
【００１３】
別の例として、特定の実施形態によれば、装置は、第１のキャリアについて第１のセカンダリセル（第１のＳＣｅｌｌ）のアクティブ化または非アクティブ化を要求する第１のメッセージを受信するように構成された第１の受信モジュールを含む。開始モジュールは、第１のメッセージに応じて、第１のＳＣｅｌｌをアクティブ化または非アクティブ化するための第１のプロシージャを開始するように構成される。装置は、第１のプロシージャを完了させるべき第１の遅延期間（Ｔａｃｔｉｖａｔｅ＿ｂａｓｉｃ）を有し得る。第２の受信モジュールは、第１のＳＣｅｌｌをアクティブ化または非アクティブ化するための第１のプロシージャを行っている間に、第２のキャリアについて第２のＳＣｅｌｌをアクティブ化し、非アクティブ化し、設定し、または設定解除するための第２のメッセージを受信するように構成される。修正モジュールは、第２のＳＣｅｌｌをアクティブ化し、非アクティブ化し、設定し、または設定解除するための第２のメッセージを受信することに応じて、第１のプロシージャを修正するように構成される。第１のプロシージャを修正することは、第１の遅延期間を、第１のＳＣｅｌｌをアクティブ化または非アクティブ化するための第１のプロシージャを完了すべき第２の遅延期間（Ｔａｃｔｉｖａｔｅ＿ｔｏｔａｌ）に置換することを含み得る。第２の遅延期間（Ｔａｃｔｉｖａｔｅ＿ｔｏｔａｌ）は、第１の遅延期間（Ｔａｃｔｉｖａｔｅ＿ｂａｓｉｃ）よりも大きい。
【００１４】
別の例として、特定の実施形態によれば、装置は、第１のキャリアについて第１のＳＣｅｌｌをアクティブ化または非アクティブ化するようにワイヤレスデバイスに要求する第１のメッセージをワイヤレスデバイスが受信したと決定するように構成された第１の決定モジュールを含む。第２の決定モジュールは、ワイヤレスデバイスが第１のＳＣｅｌｌをアクティブ化または非アクティブするべき遅延期間（Ｔａｃｔｉｖａｔｅ＿ｂａｓｉｃ）を決定するように構成される。遅延モジュールは、第２のＳＣｅｌｌのアクティブ化、非アクティブ化、設定、または設定解除を要求する第２のメッセージを送ることを遅延させるように構成される。第２のメッセージは、遅延期間の関数である時間だけ遅延される。
【００１５】
本開示のいくつかの実施形態は、１つまたは複数の技術的利点を提供し得る。例えば、一定の実施形態において、採用される技法は、ワイヤレスデバイスが、１つまたは複数の付加的なＳＣｅｌｌをアクティブ化し、非アクティブ化し、設定し、または設定解除するように要求されている間であっても、より効率的かつ正確に、１つのＳＣｅｌｌをアクティブ化または非アクティブ化することを可能にし得る。別の技術的利点は、ネットワークノードがユーザ機器性能を認識させられることであり得る。例えば、ユーザ機器が、２つ以上のＳＣｅｌｌのセットアップまたは解放を少なくとも部分的に重複する期間中に実行する場合、ネットワークノードは、ＳＣｅｌｌのセットアップまたは解放を実行するために必要な時間を知らされ得る。また別の技術的利点は、ユーザ機器がいくつかのＳＣｅｌｌを少なくとも部分的に重複する時間中にセットアップまたは解除することを要求される場合であっても、ユーザ機器の振る舞いが明確に規定されており、一貫していることを、本技法が確実にすることであり得る。また別の技術的利点は、ネットワークノードが、あるＳＣｅｌｌについてのＳＣｅｌｌセットアップまたは解除の完了を、別のＳＣｅｌｌのセットアップまたは解除を要求する前に待たなくてもよいことであり得る。つまり、ネットワークノードは、２つ以上のＳＣｅｌｌについてのＳＣｅｌｌセットアップまたは解除の実行についての同時要求をユーザ機器へ送り得る。
【００１６】
いくつかの実施形態は、これらの利点のうちの一部の利益を享受し、これらの利点から利益を享受せず、または、これらの利点のうちの全部の利益を享受し得る。他の技術的利点は、当業者によって容易に確認され得る。
【００１７】
本発明ならびに本発明の特徴および利点のより完全な理解のために、ここで、添付の図面と共に、下記の説明が参照される。
【図面の簡単な説明】
【００１８】
【図１】特定の実施形態に係る例示的なワイヤレスネットワークを例示するブロック図である。
【図２】特定の実施形態に係る、複数のセカンダリセルをアクティブ化および非アクティブ化するための例示的なワイヤレスデバイスを例示するブロック図である。
【図３】一定の実施形態に係る、コンピュータネットワーキング仮想装置として動作する例示的なワイヤレスデバイスの実施形態を例示するブロック図である。
【図４】特定の実施形態に係る、ワイヤレスデバイスによって複数のセカンダリセルをアクティブ化および非アクティブ化するための例示的な方法を例示するフローチャートである。
【図５】特定の実施形態に係る例示的なネットワークノードを例示するブロック図である。
【図６】一定の実施形態に係る、コンピュータネットワーキング仮想装置として動作する例示的なネットワークノードの実施形態を例示するブロック図である。
【図７】特定の実施形態に係る、ネットワークノードによって複数のセカンダリセルをアクティブ化および非アクティブ化するための例示的な方法を例示するフローチャートである。
【図８】特定の実施形態に係る例示的なコアネットワークノードを例示するブロック図である。
【発明を実施するための形態】
【００１９】
キャリアアグリゲーションについての既存の解決策に関する問題は、複数のセカンダリキャリアからサービスを受信するためにキャリアアグリゲーションを使用するワイヤレスネットワークノードが、セカンダリキャリアをアクティブ化または非アクティブ化するための複数の重複するコマンドを受信し得ることである。例えば、一定の実施形態によれば、第１のセカンダリセル（ＳＣｅｌｌ）をアクティブ化するための動作を現在行っているワイヤレスデバイスは、第２のＳＣｅｌｌを非アクティブ化し、アクティブ化し、設定し、または設定解除するためのコマンドを受信し得る。第２の受信コマンドは、第２のＳＣｅｌｌのアクティブ化または非アクティブ化の実行に干渉することがある。結果として、ワイヤレスデバイスは、アクティブ化または非アクティブ化のための特定された最低要件内に、第１のＳＣｅｌｌをアクティブ化または非アクティブ化しないことがある。
【００２０】
本開示の一定の実施形態は、この問題または他の問題に対して解決策を提供し得る。いくつかの実施形態において、少なくとも２つのＳＣｅｌｌに対応可能なワイヤレスデバイスは、第１のＳＣｅｌｌをアクティブ化または非アクティブ化するために使用されるプロシージャを、コマンドが第２のＳＣｅｌｌのアクティブ化、非アクティブ化、または他の再設定に関連して受信されるかに基づいて適応させ得る。例えば、第１のＳＣｅｌｌをセットアップまたは解放する間に、ワイヤレスデバイスは、第２のＳＣｅｌｌをセットアップまたは解放するための要求も受信し得る。この場合には、ワイヤレスデバイスは、そのプロシージャを、ＳＣｅｌｌセットアップまたは解放に関連する、１つまたは複数の第２の既定の要件を満たすように適応させ得る。一定の実施形態において、第２の既定の要件は、第１の既定の要件よりも緩やかであってもよい。この場合において、後者は、第２のＳＣｅｌｌのセットアップまたは解放について要求が受信されないときには、第１のＳＣｅｌｌをセットアップまたは解放する間に、ワイヤレスデバイスによって満たされる必要がある。特定の実施形態において、既定の要件の例は、ＳＣｅｌｌアクティブ化遅延、ＳＣｅｌｌ非アクティブ化遅延、または他のタイミング要件であり得る。
【００２１】
下記でより詳細に説明される一定の実施形態において、少なくとも２つのＳＣｅｌｌに対応可能なワイヤレスデバイスが、他のＳＣｅｌｌのセットアップまたは解放を既に行っており、または行うことが予期されるとネットワークノードによって決定されるならば、ネットワークノードは、第１のＳＣｅｌｌをセットまたは解除するために、ＳＣｅｌｌセットアップまたは解放要求メッセージをワイヤレスデバイスへ送ることを意図的に遅延させ得る。遅延されたメッセージは、ワイヤレスデバイスが第２のＳＣｅｌｌをセットアップまたは解放した後に送られ得る。アクティブ化の場合には、ネットワークは、他のＳＣｅｌｌがアクティブ化したと決定し得る。なぜなら、これは、他のＳＣｅｌｌについての有効なＣＱＩを送るワイヤレスデバイスによって示されるためである。非アクティブ化の場合には、設定、および設定解除、プロシージャによって費やされる時間についての最低要件（例えば、最大遅延）は、予め規定されていてもよく、もしくは、さもなければ、知られていてもよく、または、１つもしくは複数の技術的仕様に基づいて決定されてもよい。この方法を使用することによって、ネットワークノードは、特定の実施形態において、３つ以上のＳＣｅｌｌのセットアップまたは解放が部分的または完全に時間的に重複する状況を回避し得る。
【００２２】
特定の実施形態は、同様の符号が様々な図面の同様の部分および対応する部分について使用される図面の図１〜図８において説明される。
【００２３】
図１は、１つまたは複数のワイヤレスデバイス１１０Ａ〜Ｃと、無線ネットワークノード１１５Ａ〜Ｃと、無線ネットワークコントローラ１２０と、コアネットワークノード１３０とを含むワイヤレスネットワーク１００の実施形態を例示するブロック図である。ワイヤレスデバイス１１０は、無線ネットワークノード１１５Ａ〜Ｃとワイヤレスインターフェース上で通信し得る。例えば、ワイヤレスデバイス１１０Ａ〜Ｃは、無線ネットワークノード１１５Ａ〜Ｃへワイヤレス信号を送信し、および／または、無線ネットワークノード１１５Ａ〜Ｃからワイヤレス信号を受信し得る。ワイヤレス信号は、音声トラフィック、データトラフィック、制御信号、および／または任意の他の適切な情報を含有してもよい。
【００２４】
無線ネットワークノード１１５Ａ〜Ｃは、無線ネットワークコントローラ１２０とインターフェースし得る。無線ネットワークコントローラ１２０は、無線ネットワークノード１１５Ａ〜Ｃを制御し、一定の無線リソース管理機能、モビリティ管理機能、および／または、他の適切な機能を提供し得る。無線ネットワークコントローラ１２０は、コアネットワークノード１３０とインターフェースし得る。一定の実施形態において、無線ネットワークコントローラ１２０は、相互接続ネットワークを介してコアネットワークノード１３０とインターフェースし得る。相互接続ネットワークは、オーディオ、ビデオ、信号、データ、メッセージ、または、これらの任意の組み合わせを送信することが可能な任意の相互接続システムを指し得る。相互接続ネットワークは、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）の全部もしくは一部、公衆データネットワークもしくはプライベートデータネットワーク、ローカルエリアネットワーク（ＬＡＮ）、メトロポリタンエリアネットワーク（ＭＡＮ）、広域ネットワーク（ＷＡＮ：ｗｉｄｅ  ａｒｅａ  ｎｅｔｗｏｒｋ）、局所通信、地域通信、もしくはグローバル通信もしくはインターネットなどのコンピュータネットワーク、有線ネットワークもしくはワイヤレスネットワーク、企業イントラネット、または、これらの組み合わせを含む、任意の他の適切な通信リンクを含み得る。
【００２５】
いくつかの実施形態において、コアネットワークノード１３０は、ワイヤレスデバイス１１０Ａ〜Ｃについての通信セッションの確立および様々な他の機能性を管理し得る。ワイヤレスデバイス１１０Ａ〜Ｃは、非アクセスストラタム層を使用して、コアネットワークノード１３０と一定の信号を交換し得る。非アクセスストラタムシグナリングにおいて、ワイヤレスデバイス１１０とコアネットワークノード１３０との間の信号は、無線アクセスネットワークを通じて透過的に伝えられ得る。ワイヤレスデバイス１１０Ａ〜Ｃ、無線ネットワークノード１１５Ａ〜Ｃ、およびコアネットワークノードコントローラ１２０またはコアネットワークノード１３０の例示的な実施形態は、それぞれ図２、図４、および図６に関して説明される。
【００２６】
上記で図１に関して説明されたように、ネットワーク１００の実施形態は、１つまたは複数のワイヤレスデバイス１１０Ａ〜Ｃと、ワイヤレスデバイス１１０Ａ〜Ｃと（直接的または間接的に）通信することが可能な、１つまたは複数の異なるタイプのネットワークノードとを含み得る。ネットワークノードの例は、無線ネットワークノード１１５Ａ〜Ｃ、１２０、およびコアネットワークノード１３０を含む。ネットワークは、ワイヤレスデバイス１１０Ａ〜Ｃ間またはワイヤレスデバイス１１０Ａ〜Ｃと（固定電話などの）別の通信デバイスとの間の通信をサポートするのに適した任意の付加的な要素も含み得る。
【００２７】
ワイヤレスデバイス１１０Ａ〜Ｃ、無線ネットワークノード１１５Ａ〜Ｃ、およびコアネットワークノード１３０は、任意の適切な無線アクセス技術、例えば、ロングタームエボリューション（ＬＴＥ：ｌｏｎｇ  ｔｅｒｍ  ｅｖｏｌｕｔｉｏｎ）、ＬＴＥアドバンスト、ＵＭＴＳ、ＨＳＰＡ、移動通信用グローバルシステム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）、ｃｄｍａ２０００、ＷｉＭａｘ、ＷｉＦｉ、別の適切な無線アクセス技術、または、１つもしくは複数の無線アクセス技術の任意の適切な組み合わせなどを使用し得る。例示の目的のために、様々な実施形態は、ＷＣＤＭＡなどの一定の無線アクセス技術の文脈内で説明され得る。しかしながら、本開示の範囲は、例には限定されず、他の実施形態は、異なる無線アクセス技術を使用し得る。ワイヤレスデバイス１１０Ａ〜Ｃ、無線ネットワークノード１１５Ａ〜Ｃ、無線ネットワークコントローラ１２０、およびコアネットワークノード１３０の各々は、ハードウェアおよび／またはソフトウェアの任意の適切な組み合わせを含み得る。ワイヤレスデバイス１１０Ａ〜Ｃ、無線ネットワークノード１１５Ａ〜Ｃ、およびネットワークノード（無線ネットワークコントローラ１２０またはコアネットワークノード１３０など）の特定の実施形態の例は、それぞれ下記で図２、図５、および図８に関して説明される。
【００２８】
マルチキャリア概念またはキャリアアグリゲーション概念
一定の実施形態は、マルチキャリア動作またはキャリアアグリゲーション（ＣＡ）動作を含み得る。マルチキャリア動作またはＣＡ動作において、ワイヤレスデバイス１１０Ａ〜Ｃは、２つ以上のサービングセルからデータを受信すること、および／または２つ以上のサービングセルへデータを送信することが可能であり得る。換言すれば、ＣＡ可能において、ワイヤレスデバイス１１０Ａ〜Ｃは、２つ以上のサービングセルと共に動作するように構成され得る。
【００２９】
各サービングセルのキャリアは、一般に、コンポーネントキャリア（ＣＣ）と呼ばれ得る。簡単に言えば、コンポーネントキャリア（ＣＣ）は、マルチキャリアシステムにおける個々のキャリアを意味し得る。キャリアアグリゲーション（ＣＡ）という用語は、「マルチキャリアシステム」、「マルチセル動作」、「マルチキャリア動作」、「マルチキャリア」送信および／または受信と互換的に称されることもある。これは、ＣＡがアップリンク方向およびダウンリンク方向におけるシグナリングおよびデータの送信について使用されることを意味する。ＣＣのうちの１つは、プライマリコンポーネントキャリア（ＰＣＣ）、または単純にプライマリキャリア、またはアンカーキャリアとしてすら指定される。残りのＣＣは、セカンダリコンポーネントキャリア（ＳＣＣ）、または単純にセカンダリキャリア、または補助キャリアとしてすら指定される。サービングセルは、プライマリセル（ＰＣｅｌｌ）またはプライマリサービングセル（ＰＳＣ）と互換的に称され得る。同様に、セカンダリサービングセルは、セカンダリセル（ＳＣｅｌｌ）またはセカンダリサービングセル（ＳＳＣ）と互換的に称され得る。
【００３０】
一般に、プライマリＣＣまたはアンカーＣＣは、非常に重要なワイヤレスデバイス１１０Ａ〜Ｃに固有のシグナリングを搬送し、ワイヤレスデバイス１１０Ａ〜Ｃが無線リンクモニタリングを行うキャリアである。プライマリＣＣ（別名ＰＣＣまたはＰＣｅｌｌ）は、ＣＡにおいてアップリンク方向とダウンリンク方向との両方に存在する。単一のＵＬ  ＣＣが存在する場合、ＰＣｅｌｌは、そのＣＣ上に存在しなければならない。ネットワークは、同じセクタまたはセルの無線カバレッジ内の領域において動作する異なるワイヤレスデバイス１１０Ａ〜Ｃに対して、異なるプライマリキャリアを割り当て得る。
【００３１】
マルチキャリアＳＣｅｌｌセットアップまたは解放プロシージャ
本明細書において、マルチキャリアＳＣｅｌｌセットアップとは、ネットワークノード１１５Ａ〜Ｃが、ダウンリンク（ＤＬ）および／またはアップリンク（ＵＬ）におけるＣＡ可能な無線デバイス１１０Ａ〜ＣによるＳＣｅｌｌの使用を、少なくとも一時的にセットアップまたは解放することを可能にするプロシージャを指し得る。特定の実施形態において、ＳＣｅｌｌセットアップもしくは解除プロシージャ、またはＳＣｅｌｌセットアップもしくは解除コマンドは、下記のうちの任意の１つまたは複数を含み得る。
・ＳＣｅｌｌの設定、別名ＳＣｅｌｌの追加
・ＳＣｅｌｌの設定解除、別名ＳＣｅｌｌの解除
・ＳＣｅｌｌのアクティブ化
・ＳＣｅｌｌの非アクティブ化
一定の実施形態に係る、これらのセットアップまたは解放プロシージャは、下記で説明される。
【００３２】
ＳＣｅｌｌの設定および設定解除
一定の実施形態において、設定プロシージャ（すなわち、ＳＣｅｌｌの追加／解放）は、サービング無線ネットワークノード１１５Ａ（例えば、ＬＴＥにおけるｅノードＢ、またはＨＳＰＡにおけるノードＢ）によって、１つまたは複数のＳＣｅｌｌ（ＤＬ  ＳＣｅｌｌ、ＵＬ  ＳＣｅｌｌ、またはこれらの両方）に対応可能なＣＡワイヤレスデバイス１１０を設定するために使用され得る。他方で、設定解除プロシージャは、無線ネットワークノード１１５Ａ（例えば、ｅノードＢ）によって、１つまたは複数の既に設定済みのＳＣｅｌｌ（ＤＬ  ＳＣｅｌｌ、ＵＬ  ＳＣｅｌｌ、またはこれらの両方）を設定解除または除去するために使用され得る。設定プロシージャまたは設定解除プロシージャは、（例えば、特定の実施形態において、ＳＣｅｌｌの数を増加もしくは減少させるために、または既存のＳＣｅｌｌを新たなＳＣｅｌｌと交換するために）現在のマルチキャリア設定を変更するためにも使用され得る。設定および設定解除は、ｅノードＢなどの無線ネットワークノードおよび／または無線ネットワークコントローラ（ＲＮＣ）１２０によって、それぞれＬＴＥおよびＨＳＰＡにおけるＲＲＣシグナリングを使用して行われ得る。
【００３３】
セカンダリセルのアクティブ化および非アクティブ化
一定の実施形態において、サービング無線ネットワークノード１１５Ａ〜Ｃ（例えば、ＬＴＥにおけるｅノードＢ、またはＨＳＰＡにおけるノードＢ）は、対応する設定済みのセカンダリキャリア上で、１つもしくは複数の非アクティブ化されたＳＣｅｌｌをアクティブ化し、または、１つもしくは複数のＳＣｅｌｌを非アクティブ化し得る。ＰＣｅｌｌは、常にアクティブ化されていてもよい。特定の実施形態において、設定済みのＳＣｅｌｌは、まず、セルの追加時に、およびセル変更（例えば、ハンドオーバ）の後に、非アクティブ化され得る。ＨＳＰＡにおいて、アクティブ化コマンドおよび非アクティブ化コマンドは、特定の実施形態によれば、ネットワークノード１１５Ａ〜ＣによってＨＳ−ＳＣＣＨを介して送られ得る。ＬＴＥにおいては、アクティブ化コマンドおよび非アクティブ化コマンドは、ｅノードＢ１１５Ａ〜ＣによってＭＡＣ制御要素（ＭＡＣ−ＣＥ）を介して送られ得る。ＳＣｅｌｌの非アクティブ化は、ワイヤレスデバイス１１０Ａ〜Ｃのバッテリ電力を節約し得る。
【００３４】
ＳＣｅｌｌアクティブ化および非アクティブ化遅延要件
過去の技法によれば、ＳＣｅｌｌアクティブ化および非アクティブ化遅延要件は、下記で解説されるように、１つのＳＣｅｌｌについてのみ存在する。
・ＳＣｅｌｌアクティブ化遅延：ワイヤレスデバイス１１０Ａ〜Ｃが、非アクティブ化されたＳＣｅｌｌをアクティブ化することが可能となるべき遅延は、特定された条件に依存し得る。サブフレームｎにおいてＳＣｅｌｌアクティブ化コマンドを受信すると、ワイヤレスデバイス１１０Ａ〜Ｃは、一定の既定の条件がＳＣｅｌｌについて満たされるならば、アクティブ化されつつあるＳＣｅｌｌについての有効なＣＳＩレポートをサブフレームｎ＋２４までに送信することが可能となり得る。さもなければ、サブフレームｎにおいてＳＣｅｌｌアクティブ化コマンドを受信すると、ＵＥは、ＳＣｅｌｌが最初の試行で成功裏に検出され得るならば、アクティブ化されつつあるＳＣｅｌｌについての有効なＣＳＩレポートをサブフレームｎ＋３４までに送信することが可能であるべきである。有効なＣＳＩは、ＵＥ測定に基づいており、ＣＱＩインデックス＝０（範囲外）を例外として、任意の既定のＣＱＩ値に対応する。
・ＳＣｅｌｌ非アクティブ化遅延：サブフレームｎにおいて、ＳＣｅｌｌ非アクティブ化コマンドを受信すると、またはｓＣｅｌｌＤｅａｃｔｉｖａｔｉｏｎＴｉｍｅｒが満了すると、ワイヤレスデバイス１１０Ａ〜Ｃは、非アクティブ化されつつあるＳＣｅｌｌについての非アクティブ化アクションをサブフレームｎ＋８までに達成するべきである。
【００３５】
ＳＣｅｌｌセットアップまたは解放プロシージャまたは測定に起因する中断
特定の実施形態において、ＳＣｅｌｌのセットアップまたは解放（すなわち、ＳＣｅｌｌが設定され、設定解除され、アクティブ化され、または非アクティブ化される場合）は、ＰＣｅｌｌ上または任意の他のアクティブ化されたＳＣｅｌｌ上で、グリッチまたは動作の中断を引き起こし得る。ＳＣｅｌｌのセットアップまたは解放は、ＰＣｅｌｌ上または別のアクティブ化されたＳＣｅｌｌ上で、信号の受信および／または送信における中断を引き起こし得る。ＵＬおよび／またはＤＬにおけるグリッチは、典型的には、ワイヤレスデバイス１１０Ａ〜Ｃが、２つ以上のＣＣを受信および／または送信するための単一の無線チェーンを有する場合に発生する。ただし、グリッチは、ワイヤレスデバイス１１０Ａ〜Ｃが、同じチップ上に独立した無線チェーンを有する場合にも発生し得る。グリッチは、主に、キャリアアグリゲーション（ＣＡ）可能なワイヤレスデバイス１１０Ａ〜Ｃがその受信および／または送信帯域幅（ＢＷ：ｂａｎｄｗｉｄｔｈ）を単一キャリア動作から複数キャリア動作へ変更する場合、またはこの逆の場合に発生する。ＢＷを変更するために、ワイヤレスデバイス１１０Ａ〜Ｃは、一定の実施形態によれば、そのＲＦコンポーネントを、ＲＦチェーン、例えば、ＲＦフィルタ、電力増幅器（ＰＡ：ｐｏｗｅｒ  ａｍｐｌｉｆｉｅｒ）等において、再設定する必要があり得る。中断は、特定の実施形態によれば、２〜５ｍｓにわたり得る。中断は、ＢＷを再設定する（すなわち、縮小または拡大する）ためのＲＦチューニング、ＡＧＣセッティングなどの無線パラメータのセッティングまたは調整等を含む、いくつかの要因に起因し得る。
【００３６】
しかしながら、特定の実施形態によれば、最大で５つのサブフレームまでのＰＣｅｌｌ上の中断は、ＳＣｅｌｌセットアッププロシージャまたはＳＣｅｌｌ解除プロシージャのうちの一方がワイヤレスデバイス１１０Ａ〜Ｃによって実行される場合、帯域内ＣＡについて許容され得る。ただし、最大で１つのサブフレームまでのＰＣｅｌｌ上の中断は、ＳＣｅｌｌセットアッププロシージャまたはＳＣｅｌｌ解除プロシージャのうちの一方がワイヤレスデバイス１１０Ａ〜Ｃによって実行される場合、帯域間ＣＡについて許容され得る。
【００３７】
中断期間中に、ワイヤレスデバイス１１０Ａ〜Ｃは、一定の実施形態によれば、いかなる信号もしくは情報もネットワーク１３０から受信せず、および／または、いかなる信号もしくは情報もネットワーク１３０へ送信しないことがある。中断中に、ワイヤレスデバイス１１０Ａ〜Ｃは、ワイヤレスデバイス１１０Ａ〜Ｃ自体が信号を受信および／または送信できないことに起因して、測定を行うことができないことがある。これは、ワイヤレスデバイス１１０Ａ〜Ｃとそのサービングセルネットワークノード１１５Ａとの間で送信されるパケットのロスまたはドロップにつながり得る。中断は、いくつかまたは全てのアクティブキャリアに影響を与えることがあり、アップリンクとダウンリンクとの両方に影響を及ぼし得ることが留意されるべきである。
【００３８】
一定の実施形態において、ＳＣｅｌｌアクティブ化および非アクティブ化遅延要件は、少なくともＤＬにおいて１つのＳＣｅｌｌのみをサポートするワイヤレスデバイス１１０Ａ〜Ｃについて規定され得る。これは、そのようなワイヤレスデバイス１１０Ａ〜ＣがＳＣｅｌｌのアクティブ化または非アクティブ化により設定される場合に、このＳＣｅｌｌが任意の他のサービングセルによって影響を及ぼされないことを意味する。なぜなら、ＰＣｅｌｌは、決して設定解除または非アクティブ化され得ないためである。
【００３９】
しかしながら、２つ以上のＳＣｅｌｌに対応可能なワイヤレスデバイス１１０Ａ〜Ｃの場合、任意のＳＣｅｌｌのアクティブ化または非アクティブ化は、別のＳＣｅｌｌのセットアップまたは解放により干渉されることがある。このシナリオで動作するワイヤレスデバイス１１０Ａ〜Ｃの振る舞いは未規定である。その結果、ワイヤレスデバイス１１０Ａ〜Ｃが、進行中のＳＣｅｌｌアクティブ化プロシージャまたは非アクティブ化プロシージャを完了させることができないということになり得る。これは、そのような状況下では、ネットワークノードがＳＣｅｌｌを使用することができないことがあるという結果をもたらし得る。そのような状況を回避するために、一定のネットワーク実装が、たとえＳＣｅｌｌの全てが常時必要とされなくても、全てのＳＣｅｌｌをアクティブ化された状態に維持するというリスクが存在する。これは、ひいては、ワイヤレスデバイス１１０Ａ〜Ｃのバッテリ寿命を低下させ、ネットワークノード１１５Ａ〜Ｃにおいて、より多くの処理リソースも必要とし得る。そのため、２つ以上のＳＣｅｌｌをサポートするワイヤレスデバイス１１０Ａ〜ＣについてのＳＣｅｌｌのアクティブ化および非アクティブ化に関するワイヤレスデバイスの振る舞いが、特定の実施形態により、明確に規定されることが重要である。
【００４０】
特定の実施形態によれば、下記内容が、以下で詳細に説明されるであろう。
・ＳＣｅｌｌセットアップまたは解放に関与するシナリオの説明
・２つ以上のＳＣｅｌｌをセットアップまたは解放するための要件を満たすようにプロシージャを適応させる、ワイヤレスデバイス１１０Ａ〜Ｃにおける方法
・ＳＣｅｌｌのセットアップまたは解放を適応させる、ネットワークノードにおける方法
【００４１】
説明された実施形態は、ギャップなし測定および／またはマルチキャリア動作に関与する、任意のＲＡＴシステムまたはマルチＲＡＴシステムに対して適用可能であり得る。例えば、説明された実施形態は、ＬＴＥ周波数分割複信（ＦＤＤ）／時分割複信（ＴＤＤ）、ＷＣＤＭＡ／ＨＳＰＡ、ＧＳＭ、ＧＳＭエボリューション用ＧＳＭエンハンストデータレート（ＧＳＭ  ＥＤＧＥ：ＧＳＭ  Ｅｎｈａｎｃｅｄ  Ｄａｔａ  ｒａｔｅｓ  ｆｏｒ  ＧＳＭ  Ｅｖｏｌｕｔｉｏｎ）無線アクセスネットワーク（ＧＥＲＡＮ：ＧＳＭ  ＥＤＧＥ  Ｒａｄｉｏ  Ａｃｃｅｓｓ  Ｎｅｔｗｏｒｋ）、ＷｉＦｉ、および符号分割多元接続２０００（ＣＤＭＡ２０００）に対して適用可能であり得る。上記実施形態は、任意の無線リソース制御（ＲＲＣ：Ｒａｄｉｏ  Ｒｅｓｏｕｒｃｅ  Ｃｏｎｔｒｏｌ）状態にあるワイヤレスデバイス１１０Ａによって行われるプロシージャまたは無線動作に対しても適用可能であり得る。例えば、実施形態は、ＲＲＣ接続状態、ＣＥＬＬ＿ＤＣＨ状態、アイドル状態、アイドルモード、ＣＥＬＬ＿ＰＣＨ、ＵＲＡ＿ＰＣＨ、ＣＥＬＬ＿ＦＡＣＨ、または他のＲＲＣ状態に対して適用可能であり得る。
【００４２】
いくつかの実施形態において、ユーザ機器（ＵＥ）という非限定的な用語は、ワイヤレスデバイス１１０Ａ〜Ｃを指すためにも使用され得る。様々な実施形態において、本明細書におけるＵＥは、無線信号上でネットワークノードまたは別のＵＥと通信することが可能な、任意のタイプのワイヤレスデバイスであり得る。図２は、一定の実施形態に係る例示的なワイヤレスデバイス１１０Ａを例示するブロック図である。ワイヤレスデバイス１１０Ａ〜Ｃの例は、携帯電話、スマートフォン、ＰＤＡ（Ｐｅｒｓｏｎａｌ  Ｄｉｇｉｔａｌ  Ａｓｓｉｓｔａｎｔ（携帯情報端末））、ポータブルコンピュータ（例えば、ラップトップ、タブレット）、センサ、モデム、マシンタイプ（ＭＴＣ）デバイス／マシンツーマシン（Ｍ２Ｍ）デバイス、ラップトップ内蔵機器（ＬＥＥ：ｌａｐｔｏｐ  ｅｍｂｅｄｄｅｄ  ｅｑｕｉｐｍｅｎｔ）、ラップトップ取付機器（ＬＭＥ：ｌａｐｔｏｐ  ｍｏｕｎｔｅｄ  ｅｑｕｉｐｍｅｎｔ）、ＵＳＢドングル、デバイスツーデバイス対応可能なデバイス、または、ワイヤレス通信を提供することができる別のデバイスを含む。ワイヤレスデバイス１１０Ａは、無線通信デバイス、ターゲットデバイス、デバイスツーデバイスＵＥ、マシンタイプＵＥまたはマシンツーマシン通信可能なＵＥ、ＵＥを備えたセンサ、ｉＰＡＤ、タブレット、モバイル端末、スマートフォン、ラップトップ内蔵機器（ＬＥＥ）、ラップトップ取付機器（ＬＭＥ）、ＵＳＢドングル、顧客構内機器（ＣＰＥ：Ｃｕｓｔｏｍｅｒ  Ｐｒｅｍｉｓｅｓ  Ｅｑｕｉｐｍｅｎｔ）等であってもよい。ＵＥおよびワイヤレスデバイス１１０Ａ〜Ｃという用語が、本明細書においては主として使用されるが、機器は、いくつかの実施形態において、局（ＳＴＡ）、デバイス、または端末とも称され得る。図示されるように、ワイヤレスデバイス１１０Ａは、送受信器２１０と、プロセッサ２２０と、メモリ２３０と、アンテナ２４０とを含む。
【００４３】
いくつかの実施形態において、送受信器２１０は、（例えば、アンテナ２４０を介して）無線ネットワークノード１２０へワイヤレス信号を送信し、無線ネットワークコントローラ１２０からワイヤレス信号を受信することを促進し、プロセッサ２２０は、ワイヤレスデバイス１１０Ａによって提供されるものとして上述された機能性のうちの一部または全部を提供するための命令を実行し、メモリ２３０は、プロセッサ２２０によって実行される命令を記憶する。
【００４４】
プロセッサ２２０は、ワイヤレスデバイス１１０Ａの説明された機能のうちの一部または全部を行うべく命令を実行し、データを操作するために、１つまたは複数のモジュールにおいて実装される、ハードウェアとソフトウェアとの任意の適切な組み合わせを含み得る。いくつかの実施形態において、プロセッサ２２０は、例えば、１つもしくは複数のコンピュータ、１つもしくは複数の中央処理装置（ＣＰＵ）、１つもしくは複数のマイクロプロセッサ、１つもしくは複数のアプリケーション、および／または、他のロジックを含んでもよい。
【００４５】
メモリ２３０は、一般に、命令、例えば、コンピュータプログラム、ソフトウェア、ロジック、ルール、アルゴリズム、コード、テーブル等のうちの１つもしくは複数を含むアプリケーション、および／または、プロセッサによって実行されることが可能な他の命令などを記憶するように動作可能である。メモリ２３０の例は、コンピュータメモリ（例えば、ランダムアクセスメモリ（ＲＡＭ）もしくは読み出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／または、情報を記憶する任意の他の揮発性もしくは不揮発性の、非一時的なコンピュータ読取可能および／もしくはコンピュータ実行可能なメモリデバイスを含む。
【００４６】
ワイヤレスデバイス１１０Ａの他の実施形態は、上述された機能性のうちのいずれかおよび／または任意の付加的な機能性（上述された解決策をサポートするために必要な任意の機能性を含む）を含む、ワイヤレスデバイスの機能性の一定の態様を提供する責任を負い得る、図２に示される構成要素以外の付加的な構成要素を含んでもよい。
【００４７】
図１に戻ると、１つの例示的なシナリオは、ＰＣｅｌｌ１４０Ａが第１のキャリア周波数（ｆ１）上で動作する状態で、ワイヤレスデバイス１１０Ａが第１のネットワークノード１１５Ａによってサーブされ、かつ、ワイヤレスデバイス１１０Ａが少なくとも２つのセカンダリサービングセル（ＳＣｅｌｌ）１５０Ａおよび１５０Ｂによってサーブされることも可能であることを含む。図示される例示的な実施形態において、ワイヤレスデバイス１１０Ａは、第１のＳＣｅｌｌ１５０Ａ上でネットワークノード１１５Ｂによって、および第２のＳＣｅｌｌ１５０Ｂ上でネットワークノード１１５Ｃによって、サーブされることが可能である。少なくとも２つのＳＣｅｌｌ１５０Ａ〜Ｂは、第２のキャリア周波数（ｆ２）上で動作する第１のＳＣｅｌｌ１５０Ａと、第３のキャリア周波数（ｆ３）上で動作する第２のＳＣｅｌｌ１５０Ｂとから構成され得る。いくつかの実施形態において、ワイヤレスデバイス１１０Ａは、キャリア周波数（ｆ４）上で動作する第３のＳＣｅｌｌ（図示せず）によってサーブされることも可能であり得る。キャリアｆ１は、ＰＣＣと互換的に呼ばれるのに対して、キャリアｆ２、ｆ３およびｆ４は、それぞれＳＣＣ１、ＳＣＣ２およびＳＣＣ３と互換的に呼ばれ得る。
【００４８】
本明細書において、「サーブされる、またはサーブされている」という用語は、ワイヤレスデバイス１１０Ａが、対応するセルにより設定され、サービングセル上で、例えば、ＰＣｅｌｌ１４０ＡまたはＳＣｅｌｌ１５０Ａ〜Ｂのうちのいずれか上で、関連付けられたネットワークノードからデータを受信し、関連付けられたネットワークノードへデータを送信することができることを意味する。データは、物理チャネル、例えば、ＤＬにおけるＰＤＳＣＨ、ＵＬにおけるＰＵＳＣＨ、または任意の他の適切な物理チャネルなどを介して、送信または受信され得る。
【００４９】
ワイヤレスデバイス１１０Ａは、下記のように、１つまたは複数のＳＣｅｌｌ１５０Ａ〜Ｂをセットアップまたは解放することを要求され得る。
・第１のＳＣｅｌｌ１５０Ａをセットアップまたは解放するための、第１のＳＣｅｌｌ１５０Ａセットアップもしくは解除要求メッセージまたは第１のＳＣｅｌｌ１５０Ａセットアップもしくは解除要求コマンドを、第２のネットワークノード１１５Ｂから受信すること。
・第２のＳＣｅｌｌ１５０Ｂをセットアップまたは解放するための、第２のＳＣｅｌｌ１５０Ｂセットアップもしくは解除要求メッセージまたは第２のＳＣｅｌｌ１５０Ｂセットアップもしくは解除要求コマンドを、第３のネットワークノード１１５Ｃから受信すること。
・第３のＳＣｅｌｌをセットアップまたは解放するための、第３のＳＣｅｌｌセットアップもしくは解除要求メッセージまたは第３のＳＣｅｌｌセットアップもしくは解除要求コマンドを、第４のネットワークノード（図示せず）から受信すること。
実施形態は、少なくとも２つのＳＣｅｌｌ、または、いくつかの場合には、３つのＳＣｅｌｌ、または、いくつかの場合には、任意の数（Ｎ）のＳＣｅｌｌについて、説明されている。ただし、実施形態は、任意の数（Ｎ）のＳＣｅｌｌに対して適用可能である。
【００５０】
一定の実施形態において、第１、第２、第３および第４のネットワークノード１１５Ｂ〜Ｃのうちの少なくともいくつかは、同じであり、または、同じサイトもしくはロケーションに配置される。例えば、そのような実施形態において、ワイヤレスデバイス１１０Ａは、１つまたは複数のＳＣｅｌｌ１５０Ａ〜Ｂをセットアップまたは解放するための、１つまたは複数のメッセージまたはコマンドを、第１のネットワークノード１１５Ａから受信してもよい。また、例えば、そのような実施形態において、ワイヤレスデバイス１１０Ａは、１つまたは複数のＳＣｅｌｌ１５０Ａ〜Ｂをセットアップまたは解放するための、１つまたは複数のメッセージを、ＰＣｅｌｌ１４０Ａから受信してもよい。
【００５１】
いくつかの実施形態において、第１、第２、第３および第４のネットワークノード１１５Ａ〜Ｃの任意の組み合わせは、異なってもよく、異なるサイトもしくはロケーションに配置されてもよく、または、同じサイトもしくはロケーションに配置され得るにもかかわらず論理的に異なるノードであってもよい。そのような実施形態において、ワイヤレスデバイス１１０Ａは、１つまたは複数のＳＣｅｌｌ１５０Ａ〜Ｂをセットアップまたは解放するための、１つまたは複数のメッセージを、それぞれのＳＣｅｌｌから受信し得る。
【００５２】
いくつかの実施形態において、ＳＣｅｌｌセットアップまたは解放メッセージは、下記のうちの１つまたは複数から構成され得る。
・ＳＣｅｌｌの設定またはＳＣｅｌｌの追加
・ＳＣｅｌｌの設定解除またはＳＣｅｌｌの解放
・ＳＣｅｌｌのアクティブ化
・ＳＣｅｌｌの非アクティブ化
【００５３】
いくつかの実施形態において、１つまたは複数のＳＣｅｌｌセットアップまたは解放メッセージは、ワイヤレスデバイス１１０Ａによって、ＲＲＣシグナリングを介して受信され得る。いくつかの実施形態において、１つまたは複数のＳＣｅｌｌセットアップまたは解放メッセージは、ワイヤレスデバイス１１０Ａによって、ＭＡＣ  ＣＥコマンドを介して受信され得る。
【００５４】
一定の実施形態において、ワイヤレスデバイス１１０Ａは、接続されたネットワークノード１１５Ａのフレームタイミング変化に追随するための能力を有するべきである。アップリンクフレーム送信は、基準セルからの対応するダウンリンクフレームの第１の検出されたパス（時間的）の受信前に生じる（ＮＴＡ×ＮＴＡ  ｏｆｆｓｅｔ）×Ｔｓ。ワイヤレスデバイス１１０Ａは、ＰＣｅｌｌを含有するｐＴＡＧにより設定されるべきである。ｐＴＡＧは、設定に応じて、１つのＳＣｅｌｌまたは２つのＳＣｅｌｌも含有し得る。複数のタイミングアドバンス［２］をサポートすることが可能なワイヤレスデバイス１１０Ａは、１つのｓＴＡＧにより設定されてもよく、この場合において、
・ｐＴＡＧは、１つのＰＣｅｌｌを含有すべきであり、ｓＴＡＧは、設定されたアップリンクを有する１つのＳＣｅｌｌを含有すべきであり、または、
・ｐＴＡＧは、１つのＰＣｅｌｌを含有すべきであり、ｓＴＡＧは、設定されたアップリンクを有する２つのＳＣｅｌｌを含有すべきであり、
・ｐＴＡＧは、１つのＰＣｅｌｌと１つのＳＣｅｌｌとを含有すべきであり、ｓＴＡＧは、設定されたアップリンクを有する１つのＳＣｅｌｌを含有すべきである
ｐＴＡＧにおいて、ワイヤレスデバイス１１０Ａは、ＰＣｅｌｌ１４０Ａを、ｐＴＡＧにおけるセルについてのＵＳ送信タイミングを得るための基準セルとして使用し得る。複数のタイミングアドバンス［２］をサポートすることが可能なワイヤレスデバイス１１０Ａが、ｓＴＡＧにより設定される場合、ワイヤレスデバイス１１０Ａは、ｓＴＡＧにおけるセルについてのＵＳ送信タイミングを得るために、ｓＴＡＧからの非アクティブ化されたＳＣｅｌｌ１５０Ａ〜Ｂを使用し得る。ＵＥ初期送信タイミング精度、１回の調整におけるタイミング変更の最大量、最小調整レートおよび最大調整レートは、下記の要件において規定される。第７項における要件は、両方のＴＡＧに対して適用される。
【００５５】
上述されたように、ワイヤレスデバイス１１０Ａは、一定の実施形態によれば、２つ以上のＳＣｅｌｌ１５０Ａ〜Ｂのセットアップまたは解放のための要件を満たすように適応されたプロシージャを含み得る。特定の実施形態において、第１のネットワークノード１１５Ａと異なっていても、異なっていなくてもよい第２のネットワークノード１１５Ｂは、第１のＳＣｅｌｌ１５０Ａのセットアップまたは解放を実行するために、第１のＳＣｅｌｌ１５０Ａのセットアップまたは解放メッセージをワイヤレスデバイス１１０Ａへ送ると仮定され得る。ワイヤレスデバイス１１０Ａは、ワイヤレスデバイス１１０Ａが第１のメッセージを受信したかを決定し得る。ワイヤレスデバイス１１０Ａが第１のメッセージを受信したと決定されると、ワイヤレスデバイス１１０Ａは、受信された要求に従って、第１のＳＣｅｌｌ１５０Ａのセットアップまたは解放を実行し得る。次いで、ワイヤレスデバイス１１０Ａは、ワイヤレスデバイス１１０Ａが第２のＳＣｅｌｌセットアップまたは解放メッセージも第３のネットワークノード１１５Ｃから受信したか否かをさらに決定し得る。付加的に、または代替的に、いくつかの実施形態において、ワイヤレスデバイス１１０Ａは、ワイヤレスデバイス１１０Ａが第３のＳＣｅｌｌセットアップまたは解放メッセージを第４のネットワークノード（図示せず）から受信したかも決定し得る。
【００５６】
上記決定に応じて、ワイヤレスデバイス１１０Ａは、以下で説明されるような下記ルールに従って、第１のＳＣｅｌｌのセットアップまたは解放を実行し得る。
１．ワイヤレスデバイス１１０Ａが、ワイヤレスデバイス１１０Ａは第１のＳＣｅｌｌ１５０Ａのみをセットアップまたは解放するための第１のメッセージのみを受信した（すなわち、第１のＳＣｅｌｌ１５０Ａ以外の、任意の付加的なＳＣｅｌｌのセットアップまたは解放のための要求は存在しない）と決定する場合、ワイヤレスデバイス１１０Ａは、少なくとも１つの第１の既定の要件に従って、第１のＳＣｅｌｌ１５０Ａのセットアップまたは解放を実行する。第１の既定の要件の例は、第１の持続期間または遅延（Ｔ１）である。例えば、ワイヤレスデバイス１１０Ａは、第１のＳＣｅｌｌ１５０ＡのＳＣｅｌｌセットアップまたは解放を持続期間Ｔ１で成功裏に完了させることを要求され得る。いくつかの実施形態においては、既定の異なる条件下で満たされるべき持続期間（Ｔ１１）および持続期間（Ｔ１２）などの、２つ以上の既定の要件が存在してもよい。既定の条件の例は、ワイヤレスデバイス１１０Ａが第１のＳＣｅｌｌ１５０Ａを前回の一定の期間（例えば、５秒）で測定したか否か、ワイヤレスデバイス１１０Ａが第１のＳＣｅｌｌ１５０Ａと同期されているか否か、または、他の適切な既定の条件を含み得る。例えば、サブフレームｎにおいてＳＣｅｌｌセットアップまたは解放メッセージを受信すると、ワイヤレスデバイス１１０Ａは、１つまたは複数の第１の既定の条件が満たされる場合、サブフレームｎ＋２４（すなわち、Ｔ１１＝２４ｍｓ）において第１のＳＣｅｌｌ１５０Ａのセットアップまたは解放を完了させ得る。別の例において、サブフレームｎにおいてＳＣｅｌｌセットアップまたは解放メッセージを受信すると、ワイヤレスデバイス１１０Ａは、１つまたは複数の第２の既定の条件が満たされる場合、サブフレームｎ＋３４（すなわち、Ｔ１２＝３４ｍｓ）において第１のＳＣｅｌｌ１５０Ａのセットアップまたは解放を完了させ得る。第１のＳＣｅｌｌ１５０Ａのセットアップまたは解放の完了が成功すると、ワイヤレスデバイス１１０Ａは、１つまたは複数の既定のＵＬ信号、例えば、ＣＳＩ、ＳＲＳ等を、または、第１のＳＣｅｌｌ１５０Ａがセットアップもしくは解除されたことを示すためのメッセージを、送り得る。
２．他方で、ワイヤレスデバイス１１０Ａは、第１のＳＣｅｌｌ１５０Ａがセットアップまたは解放されている間に、少なくとも、第２のＳＣｅｌｌ１５０Ｂをセットアップまたは解放するためのメッセージも受信したとワイヤレスデバイス１１０Ａが決定する場合、ワイヤレスデバイス１１０Ａは、少なくとも１つの第２の既定の要件に従って、第１のＳＣｅｌｌ１５０Ａのセットアップまたは解放を行う。換言すれば、ワイヤレスデバイス１１０Ａは、１つまたは複数の第２の既定の要件を満たすために、ＳＣｅｌｌセットアップまたは解放に関連する１つまたは複数のプロシージャを、修正もしくは適応させ、修正もしくは変更し、または拡張し得る。例えば、ワイヤレスデバイス１１０Ａは、ワイヤレスデバイス１１０Ａが第１のＳＣｅｌｌのセットアップまたは解放を、任意の他のＳＣｅｌｌのセットアップまたは解放を実行するための要求を受信せずに行う場合、第１のプロシージャを使用し得、既定の要件の第１のセットを満たすことが必要とされる。他方で、ワイヤレスデバイス１１０Ａは、ワイヤレスデバイス１１０Ａが第１のＳＣｅｌｌのセットアップまたは解放を、少なくとも１つまたは複数のＳＣｅｌｌのセットアップまたは解放を行うための要求を受信する間に行う場合、第２のプロシージャを使用し、既定の要件の第２のセットを満たすことを必要とされる。第２の既定の要件の例は、第２の持続期間または遅延（Ｔ１）である。例えば、この場合において、ワイヤレスデバイス１１０Ａは、第１のＳＣｅｌｌ１５０ＡのＳＣｅｌｌセットアップまたは解放を持続期間Ｔ２で成功裏に完了させることを必要とされる。いくつかの実施形態において、上記ステップ１において説明されたような、異なる既定の条件下で満たされるべき持続期間（Ｔ２１）および持続期間（Ｔ２２）などの、２つ以上の第２の既定の要件が存在し得る。既定の持続期間Ｔ２は、少なくともＴ１の関数であり、Ｔ２＞Ｔ１である。同様に、Ｔ２１およびＴ２２は、それぞれＴ１１およびＴ１２の関数であり、Ｔ２１＞Ｔ１１かつＴ２２＞Ｔ１２である。いくつかの実施形態において、ワイヤレスデバイス１１０Ａが、ワイヤレスデバイス１１０Ａは第１のＳＣｅｌｌ１５０Ａがセットアップまたは解放されている間に、少なくとも、第２のＳＣｅｌｌ１５０Ｂをセットアップまたは解放するためのメッセージも受信したと決定する場合、ワイヤレスデバイス１１０Ａは、第１のＳＣｅｌｌ１５０Ａのセットアップまたは解放を部分的または完全に再開し得る。別の例において、ワイヤレスデバイス１１０Ａは、第１のＳＣｅｌｌのセットアップまたは解放が完了されるまで、第２のＳＣｅｌｌ１５０Ｂのセットアップまたは解放を遅延させ得る。さらに、この例において、ワイヤレスデバイス１１０Ａは、第２のＳＣｅｌｌ１５０Ｂのセットアップ／解除のための最大許容時間を拡張することを許容され得る。なぜなら、ＳＣｅｌｌのセットアップ／解除のための要求は、第１のＳＣｅｌｌ１５０Ａのセットアップ／解除が完了されていない間に受信されたためである。
持続期間Ｔ２のいくつかの一般的な例および具体的な例は、下記のように提供される。
例１：少なくともＴ１の関数としてのＴ２についての一般式の例は、（１）によって表現される。
Ｔ２＝ｇ（Ｔ１、Ｋ、Ｄ、Δ）      （１）
ただし、
・Ｋは、第１のＳＣｅｌｌ１５０Ａがワイヤレスデバイス１１０Ａによってセットアップまたは解放されている間に（すなわち、期間中に）、ワイヤレスデバイス１１０Ａが、少なくとも第２のＳＣｅｌｌ１５０Ｂをセットアップまたは解放することを行うように要求される回数である。
・Ｋは、第１のＳＣｅｌｌ１５０Ａのアクティブ化／非アクティブ化および第１のＳＣｅｌｌの設定／設定解除について異なっていても、異なっていなくてもよい
・Ｋ＝１は、（例えば、ダウンリンクのみの周波数帯域、例えば、ＬＴＥ  ＦＤＤ帯域３０とは異なり、ＤＬとＵＬとの両方が存在する場合には、１つのＳＣｅｌｌのアクティブ化／非アクティブ化について）ＤＬとＵＬとの両方をカバーし得る
・Ｋ＝１は、（例えば、１つのＳＣｅｌｌの設定／設定解除について）ＤＬのみ、ＤＬとＵＬとの両方、およびＵＬのみ、のうちのいずれかであり得る
・Ｄは、少なくとも第２のＳＣｅｌｌのセットアップまたは解放（ＵＬ、ＤＬ、またはこれらの両方）に起因する中断である。
・Δは、全ての中断を考慮するための付加的なマージンおよび／またはＵＥ実装マージンであり、ただし、Δ≧０である。（この例および下記の他の例においても）パラメータΔは、第１のＳＣｅｌｌのセットアップ／解除についての要求が受信された時に、第３のＳＣｅｌｌについての進行中のセットアップ／解除プロシージャが存在するかも考慮し得る。
（上記の例および下記の他の例においても）関数ｇは、黙示的に（例えば、Ｋパラメータを通じて）または明示的に（例えば、Ｔ２＝ｇ（Ｔ１、ｎ、Ｋ、Ｄ、Δ））、ＳＣｅｌｌ１５０Ａ〜Ｂの数の関数であることも観察され得る。ただし、ｎは、ＳＣｅｌｌの数またはその関数である。別の例において、ＳＣｅｌｌの数が３である場合、時間Ｔ３は、Ｔ２等の関数、すなわち、Ｔ３＝ｇ（Ｔ２、Ｋ、Ｄ、Δ）であり得る。ただし、Ｋは、ＵＥによって第１のＳＣｅｌｌ１５０Ａがセットアップまたは解放されている間に（すなわち、期間中に）、少なくとも第３のＳＣｅｌｌをセットアップまたは解放することを行うようにＵＥが要求される回数であり、Ｄは、少なくとも第３のＳＣｅｌｌのセットアップまたは解放に起因する中断であり、Δは、付加的なマージンである。
上記式は、Ｔ２１およびＴ２２について、下記のように（２）および（３）によって一般化もされ得る。
Ｔ２１＝ｇ（Ｔ１１、Ｋ、Ｄ、Δ）      （２）
Ｔ２２＝ｇ（Ｔ１２、Ｋ、Ｄ，Δ）      （３）
例２：少なくともＴ１の関数としてのＴ２についての一般式の別の例は、（４）によって表現される。
Ｔ２＝ｇ（Ｔ１、Ｋｉ、Ｄｉ、Δｉ）      （４）
ただし、
・Ｋｉは、ワイヤレスデバイス１１０Ａによって第１のＳＣｅｌｌ１５０Ａがセットアップまたは解放されている間に（すなわち、期間中に）、ｉ番目のＳＣｅｌｌをセットアップまたは解放することを行うようにワイヤレスデバイス１１０Ａが要求される回数である。ただし、ｉ番目のＳＣｅｌｌは、第１のＳＣｅｌｌ１５０Ａとは異なる。
・Ｄｉは、ｉ番目のＳＣｅｌｌのセットアップまたは解放に起因する中断である。
・Δｉは、ｉ番目のＳＣｅｌｌのセットアップまたは解放に起因する中断を考慮するための付加的なマージンおよび／またはワイヤレスデバイス１１０Ａの実装マージンであり、ただし、Δ≧０である。
例３：少なくともＴ１の関数としてのＴ２についての一般式のさらに別の例は、（５）によって表現される。
Ｔ２＝ｇ（Ｔ１、Ｋｉｊ、Ｄｉｊ、Δｉｊ）      （５）
ただし、
・Ｋは、ワイヤレスデバイス１１０Ａによって第１のＳＣｅｌｌ１５０Ａがセットアップまたは解放されている間に（すなわち、期間中に）、ｉ番目のＳＣｅｌｌをセットアップまたは解放するために特定のタイプのＳＣｅｌｌメッセージ（ｊ）を行うようにワイヤレスデバイス１１０Ａが要求される回数である。ただし、ｉ番目のＳＣｅｌｌは、ＳＣｅｌｌ１５０Ａとは異なる。
・Ｄｉｊは、ｉ番目のＳＣｅｌｌの特定のタイプ（ｊ）のセットアップまたは解放に起因する中断である。
・Δｉは、ｉ番目のＳＣｅｌｌの特定のタイプ（ｊ）のセットアップまたは解放に起因する中断を考慮するための付加的なマージンおよび／またはワイヤレスデバイス１１０Ａの実装マージンであり、ただし、Δ≧０である。
ＳＣｅｌｌの特定のタイプ（ｊ）のセットアップまたは解放の例は、ＳＣｅｌｌのアクティブ化、非アクティブ化、設定または設定解除である。
例４：少なくともＴ１の関数としてのＴ２についての一般式のさらに他の例は、（６）、（７）または（８）によって表現される。
Ｔ２＝Ｔ１＋ｇ（Ｋ、Ｄ、Δ）                  （６）
Ｔ２＝Ｔ１＋ｇ（Ｋｉ、Ｄｉ、Δｉ）            （７）
Ｔ２＝Ｔ１＋ｇ（Ｋｉｊ、Ｄｉｊ、Δｉｊ）      （８）
少なくともＴ１の関数としてのＴ２についての特定の式の例は、（９）または（１０）によって表現される。
Ｔ２＝Ｔ１＋Ｋ＊Ｄ＋Δ      （９）
Ｔ２＝Ｔ１＋Ｋ１＊Ｄ１＋Ｋ２＊Ｄ２＋Δ１＋Δ２      （１０）
ただし、
・Ｋ１は、ワイヤレスデバイス１１０Ａが第１のＳＣｅｌｌ１５０Ａをアクティブ化または非アクティブ化している間に（すなわち、期間中に）、第１のＳＣｅｌｌ１５０Ａ以外の少なくとも１つのＳＣｅｌｌをアクティブ化または非アクティブ化するためのアクティブ化コマンドまたは非アクティブ化コマンドをワイヤレスデバイス１１０Ａが受信する回数に対応する。
・Ｋ２は、ワイヤレスデバイス１１０Ａが第１のＳＣｅｌｌ１５０Ａをアクティブ化または非アクティブ化している間に（すなわち、期間中に）、第１のＳＣｅｌｌ１５０Ａ以外の少なくとも１つのＳＣｅｌｌを設定（追加）または設定解除（解除）するための設定メッセージまたは設定解除メッセージをワイヤレスデバイス１１０Ａが受信する回数に対応する。
・Ｄ１は、第１のＳＣｅｌｌ１５０Ａ以外の少なくとも１つのＳＣｅｌｌのアクティブ化または非アクティブ化に起因する中断である。
・Ｄ２は、第１のＳＣｅｌｌ１５０Ａ以外の少なくとも１つのＳＣｅｌｌの設定または設定解除に起因する中断である。
・Δ１は、全ての中断を考慮するための付加的なマージン、および／または、第１のＳＣｅｌｌ１５０Ａ以外の少なくとも１つのＳＣｅｌｌのアクティブ化または非アクティブ化に起因するワイヤレスデバイス１１０Ａの実装マージンであり、ただし、Δ１≧０である。
・Δ２は、全ての中断を考慮するための付加的なマージン、および／または、第１のＳＣｅｌｌ１５０Ａ以外の少なくとも１つのＳＣｅｌｌの設定または設定解除に起因するワイヤレスデバイス１１０Ａの実装マージンであり、ただし、Δ２≧０である。
少なくともＴ１の関数としてのＴ２についての特定の式のさらに他の例は、（１１）、（１２）および（１３）によって表現される。
Ｔ２＝Ｋ＊Ｔ１＋Δ      （１１）
Ｔ２＝（Ｋ１＋Ｋ２）＊Ｔ１＋Δ１＋Δ２      （１２）
（１１）〜（１３）の例は、ワイヤレスデバイス１１０Ａが、ＳＣｅｌｌ１５０Ｂなどの付加的なＳＣｅｌｌのセットアップまたは解放のための各ＳＣｅｌｌセットアップまたは解放メッセージを受信した後に、第１のＳＣｅｌｌ１５０ＡについてのＳＣｅｌｌセットアップまたは解放プロシージャを再開する場合に対応する。
【００５７】
第２の既定の条件を満たすようにプロシージャを適応させ、または修正するための上記例のうちのいずれにおいても、ワイヤレスデバイス１１０Ａは、ＳＣｅｌｌ１５０Ｂなどの他のＳＣｅｌｌのセットアップまたは解放に起因する中断中に、第１のＳＣｅｌｌ１５０Ａから取得された信号を記憶する必要があり得る。第１のＳＣｅｌｌ１５０Ａのセットアップまたは解放の目的のために、ワイヤレスデバイス１１０Ａは、古い信号を再使用し、または、中断後の第１のＳＣｅｌｌ１５０Ａからの新たな信号のみを使用し得る。例えば、いくつかの場合において、ワイヤレスデバイス１１０Ａは、古い信号と、中断後の新たな信号とを組み合わせてもよい（例えば、式６〜１０の例）。この場合、ワイヤレスデバイス１１０Ａは、メモリに影響をもたらす過去の信号を記憶する必要があり得る。ただし、式（１１〜１２）の場合には、ワイヤレスデバイス１１０Ａは、各中断前に取得された古い信号を破棄し、中断後の最新の信号のみを使用してもよい。この場合、ワイヤレスデバイス１１０Ａは、過去の信号、すなわち、中断前に取得された信号を記憶する必要がない。
【００５８】
一定の実施形態において、ワイヤレスデバイス１１０Ａ〜Ｃは、コンピュータネットワーキング仮想装置として動作し得る。図３は、コンピュータネットワーキング仮想装置３００として動作する例示的な無線デバイスを例示するブロック図である。図示されるように、仮想装置３００は、少なくとも１つの第１の受信モジュール３１０と、開始モジュール３２０と、第２の受信モジュール３３０と、修正モジュール３４０とを含む。第１の受信モジュール３１０は、本明細書において説明されるような、ワイヤレスデバイス１１０の受信機能の少なくとも一部を行うように構成される。例えば、第１の受信モジュールは、第１のキャリアについて第１のＳＣｅｌｌ１５０Ａのアクティブ化または非アクティブ化を要求する第１のメッセージを受信し得る。
【００５９】
開始モジュール３２０は、本明細書において説明されるような、第１のＳＣｅｌｌ１５０Ａをアクティブ化または非アクティブ化するための第１のプロシージャを開始するための、仮想装置３００の動作を行うように構成され得る。一定の実施形態において、ワイヤレスデバイス１１０Ａは、ワイヤレスデバイス１１０Ａが第１のプロシージャを完了させるべき、第１の遅延期間（Ｔａｃｔｉｖａｔｅ＿ｂａｓｉｃ）を有し得る。
【００６０】
第２の受信モジュール３３０は、第１のＳＣｅｌｌ１５０Ａをアクティブ化または非アクティブ化するための第１のプロシージャを行っている間に、第２のメッセージを受信するように構成され得る。一定の実施形態において、例えば、第２のメッセージは、第２のキャリアについて第２のＳＣｅｌｌ１５０Ｂをアクティブ化し、非アクティブ化し、設定し、または設定解除するための要求であり得る。
【００６１】
修正モジュール３４０は、第２のＳＣｅｌｌ１５０Ｂをアクティブ化し、非アクティブ化し、設定し、または設定解除するための第２のメッセージに応じて、第１のプロシージャを修正するように構成され得る。一定の実施形態において、第１のプロシージャを修正することは、第１の遅延期間を、ワイヤレスデバイス１１０Ａが第１のＳＣｅｌｌ１５０Ａをアクティブ化または非アクティブ化するための第１のプロシージャを完了させるべき第２の遅延期間（Ｔａｃｔｉｖａｔｅ＿ｔｏｔａｌ）に置換することを含み得る。一定の実施形態において、第２の遅延期間（Ｔａｃｔｉｖａｔｅ＿ｔｏｔａｌ）は、第１の遅延期間（Ｔａｃｔｉｖａｔｅ＿ｂａｓｉｃ）よりも大きくてもよい。
【００６２】
図４は、特定の実施形態に係る、ワイヤレスデバイス１１０Ａ〜Ｃによって、および／またはコンピュータネットワーキング仮想装置３００によって、複数のＳＣｅｌｌ１５０Ａ〜Ｂをアクティブ化および非アクティブ化するための例示的な方法を例示するフローチャートである。本方法は、第１のキャリアについて第１のＳＣｅｌｌ１５０Ａのアクティブ化または非アクティブ化を要求する第１のメッセージをワイヤレスデバイスが受信する、ステップ４１０において始まる。様々な特定の実施形態において、第１のメッセージは、第１のＳＣｅｌｌ１５０Ａの設定、第１のＳＣｅｌｌ１５０Ａの追加、第１のＳＣｅｌｌ１５０Ａの設定解除、第１のＳＣｅｌｌ１５０Ａの解放、第１のＳＣｅｌｌ１５０Ａのアクティブ化、および第１のＳＣｅｌｌ１５０Ａの非アクティブ化のうちの少なくとも１つを行うように、ワイヤレスデバイス１１０Ａに要求またはコマンドし得る。
【００６３】
特定の実施形態において、第１のメッセージは、第１のＳＣｅｌｌ１５０Ａを設定または設定解除するようにワイヤレスデバイス１１０Ａに要求し、第１のメッセージは、ワイヤレスデバイス１１０ＡによってＲＲＣシグナリングを介して受信される。他の特定の実施形態において、第１のメッセージは、第１のＳＣｅｌｌ１５０Ａをアクティブ化または非アクティブ化するように、ワイヤレスデバイス１１０Ａに要求し、第１のメッセージは、ワイヤレスデバイス１１０ＡによってＭＡＣ  ＣＥコマンドまたはシグナリングを介して受信される。
【００６４】
本方法は、第１のメッセージに応じて、ワイヤレスデバイス１１０Ａが第１のＳＣｅｌｌ１５０Ａをアクティブ化または非アクティブ化するための第１のプロシージャを開始する、ステップ４２０へ続く。第１のプロシージャは、ワイヤレスデバイス１１０Ａが第１のプロシージャを完了させなければならない、第１の遅延期間（Ｔａｃｔｉｖａｔｅ＿ｂａｓｉｃ）を有し得る。例えば、１つまたは複数の既定の要件が満たされる場合、Ｔａｃｔｉｖａｔｅ＿ｂａｓｉｃは、２４個のサブフレームに等しくなり得る。１つまたは複数の既定の要件が満たされない場合、Ｔａｃｔｉｖａｔｅ＿ｂａｓｉｃは、３４個のサブフレームに等しくなり得る。
【００６５】
本方法は、ワイヤレスデバイス１１０Ａが第１のプロシージャを行っている間に、第２のキャリアについて第２のＳＣｅｌｌ１５０Ｂのアクティブ化、非アクティブ化、設定、または設定解除を要求またはコマンドする第２のメッセージが受信される、ステップ４３０へ続く。第２のＳＣｅｌｌ１５０Ｂをアクティブ化し、非アクティブ化し、設定し、または設定解除するための第２のメッセージに応じて、ワイヤレスデバイス１１０Ａは、第１の遅延期間（Ｔａｃｔｉｖａｔｅ＿ｂａｓｉｃ）を、ワイヤレスデバイス１１０Ａが第１のＳＣｅｌｌ１５０Ａをアクティブ化または非アクティブ化するための第１のプロシージャを完了させるべき第２の遅延期間（Ｔａｃｔｉｖａｔｅ＿ｔｏｔａｌ）に置換することによって、ステップ４４０において、第１のプロシージャを変更し得る。一定の実施形態において、第２の遅延期間（Ｔａｃｔｉｖａｔｅ＿ｔｏｔａｌ）は、第１の遅延期間（Ｔａｃｔｉｖａｔｅ＿ｂａｓｉｃ）よりも大きくてもよい。したがって、ワイヤレスデバイス１１０Ａが、第１のＳＣｅｌｌ１５０Ａをセットアップまたは解放している間に、第２のＳＣｅｌｌ１５０Ｂをアクティブ化し、非アクティブ化し、設定し、または設定解除するための第２のメッセージを受信する場合、ワイヤレスデバイス１１０Ａは、セットアップまたは解放プロシージャを行うための、より多くの時間を与えられる。
【００６６】
特定の実施形態において、第２の遅延期間（Ｔａｃｔｉｖａｔｅ＿ｔｏｔａｌ）は、少なくとも整数Ｋの関数であり、整数Ｋは、第１のＳＣｅｌｌ１５０Ａをアクティブ化または非アクティブ化するために第１のプロシージャが行われている間に、第２のＳＣｅｌｌ１５０Ｂのアクティブ化、非アクティブ化、設定、または設定解除を行うように、ワイヤレスデバイスが要求される回数である。特定の実施形態において、第２の遅延期間（Ｔａｃｔｉｖａｔｅ＿ｔｏｔａｌ）は、第１の遅延期間（Ｔａｃｔｉｖａｔｅ＿ｂａｓｉｃ）と、Ｋに５を乗算した値との和として表現され得る。
【００６７】
一定の実施形態において、ワイヤレスデバイス１１０Ａは、第１のプロシージャを行っている間に、第３のＳＣｅｌｌのアクティブ化、非アクティブ化、設定、または設定解除を要求する第３のメッセージを受信し得る。特定の実施形態において、各メッセージまたは各コマンドは、異なるネットワークノードから受信され得る。例えば、第１のメッセージは、第１のネットワークノード１１５Ａから受信され得る。ただし、第２のメッセージは、第２のネットワークノード１１５Ｂから受信され得、第３のメッセージは、第３のネットワークノード１１５Ｃから受信され得る。いくつかの実施形態において、第１、第２、および第３のネットワークノード１１５Ａ〜Ｃは、同じサイトに配置され得、または同じネットワークノード内に存在し得る。特定の実施形態において、例えば、第１、第２、および第３のノードは、第１のネットワークノード１１５Ａから受信され得る。また、第１、第２、および第３のメッセージのうちの少なくとも１つは、ＰＣｅｌｌ１４０Ａ上で受信され得る。
【００６８】
一定の実施形態によれば、ネットワークノード１１５Ａなどの無線ネットワークノードは、ＳＣｅｌｌのセットアップまたは解放のために適応され得る。図５は、無線ネットワークノード１１５Ａ〜Ｃの一定の実施形態を例示するブロック図である。無線ネットワークノード１１５Ａ〜Ｃの例は、ｅノードＢ、ノードＢ、基地局、ワイヤレスアクセスポイント（例えば、Ｗｉ−Ｆｉアクセスポイント）、低電力ノード、ベーストランシーバステーション（ＢＴＳ）、送信ポイント、送信ノード、リモートＲＦユニット（ＲＲＵ：ｒｅｍｏｔｅ  ＲＦ  ｕｎｉｔ）、リモート無線ヘッド（ＲＲＨ：ｒｅｍｏｔｅ  ｒａｄｉｏ  ｈｅａｄ）等を含む。無線ネットワークノード１１５Ａ〜Ｃは、均一な配置、ヘテロジニアス配置、または混合配置として、ネットワーク１００全体に配置され得る。均一な配置は、一般に、同じ（または類似した）タイプの無線ネットワークノード１１５Ａ〜Ｃならびに／または類似したカバレッジおよびセルサイズおよびサイト間距離から構成される配置を説明し得る。ヘテロジニアス配置は、一般に、異なるセルサイズ、送信電力、容量、およびサイト間距離を有する、多様なタイプの無線ネットワークノード１１５Ａ〜Ｃを使用する配置を説明し得る。例えば、ヘテロジニアス配置は、マクロセルレイアウト全体に位置付けられる複数の低電力ノードを含んでもよい。混合配置は、均一な部分とヘテロジニアスな部分との混合を含み得る。
【００６９】
無線ネットワークノード１１５Ａ〜Ｃは、送受信器５１０と、プロセッサ５２０と、メモリ５３０と、ネットワークインターフェース５４０とのうちの１つまたは複数を含み得る。いくつかの実施形態において、送受信器５１０は、（例えば、アンテナを介して）ワイヤレスデバイス１１０へワイヤレス信号を送信すること、およびワイヤレスデバイス１１０からワイヤレス信号を受信することを促進し、プロセッサ５２０は、無線ネットワークノード１１５Ａ〜Ｃによって提供されるものとして上述された機能性のうちの一部または全部を提供するための命令を実行し、メモリ５３０は、プロセッサ５２０によって実行される命令を記憶し、ネットワークインターフェース５４０は、信号をバックエンドネットワークコンポーネント、例えば、ゲートウェイ、スイッチ、ルータ、インターネット、公衆交換電話網（ＰＳＴＮ）、コアネットワークノード１３０、無線ネットワークコントローラ１２０等へ通信する。
【００７０】
プロセッサ５２０は、無線ネットワークノード１１５Ａ〜Ｃの説明された機能のうちの一部または全部を行うべく命令を実行し、データを操作するために、１つまたは複数のモジュールにおいて実装される、ハードウェアとソフトウェアとの任意の適切な組み合わせを含み得る。いくつかの実施形態において、プロセッサ５２０は、例えば、１つもしくは複数のコンピュータ、１つもしくは複数の中央処理装置（ＣＰＵ）、１つもしくは複数のマイクロプロセッサ、１つもしくは複数のアプリケーション、および／または、他のロジックを含んでもよい。
【００７１】
メモリ５３０は、一般に、命令、例えば、コンピュータプログラム、ソフトウェア、ロジック、ルール、アルゴリズム、コード、テーブル等のうちの１つもしくは複数を含むアプリケーション、および／または、プロセッサによって実行されることが可能な他の命令などを記憶するように動作可能である。メモリ５３０の例は、コンピュータメモリ（例えば、ランダムアクセスメモリ（ＲＡＭ）もしくは読み出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／または、情報を記憶する任意の他の揮発性もしくは不揮発性の、非一時的なコンピュータ読取可能および／もしくはコンピュータ実行可能なメモリデバイスを含む。
【００７２】
いくつかの実施形態において、ネットワークインターフェース５４０は、プロセッサ５２０に通信可能に結合されており、無線ネットワークノード１１５のための入力を受信し、無線ネットワークノード１１５からの出力を送り、入力もしくは出力もしくはこれらの両方の適切な処理を行い、他のデバイスへ通信し、または、これらの任意の組み合わせを行うように動作可能な任意の適切なデバイスを指し得る。ネットワークインターフェース５４０は、ネットワークを通じて通信するための、プロトコル変換およびデータ処理能力を含む、適当なハードウェア（例えば、ポート、モデム、ネットワークインターフェースカード等）およびソフトウェアを含み得る。
【００７３】
無線ネットワークノード１１５Ａ〜Ｃの他の実施形態は、上述された機能性のうちのいずれかおよび／または任意の付加的な機能性（上述された解決策をサポートするために必要な任意の機能性を含む）を含む、無線ネットワークノードの機能性の一定の態様を提供する責任を負い得る、図５に示される構成要素以外の付加的な構成要素を含んでもよい。様々な異なるタイプの無線ネットワークノードは、同じ物理ハードウェアを有するが、異なる無線アクセス技術をサポートするように（例えば、プログラミングにより）構成された構成要素を含んでもよく、または、部分的もしくは全体的に異なる物理構成要素を表してもよい。
【００７４】
また、いくつかの実施形態においては、「無線ネットワークノード」または単純に「ネットワークノード（ＮＷノード）」という包括的な専門用語が使用され得る。これらの用語は、基地局、無線基地局、ベーストランシーバステーション、基地局コントローラ、ネットワークコントローラ、エボルブドノードＢ（ｅＮＢ）、ノードＢ、ＲＮＣ、中継ノード、測位ノード、Ｅ−ＳＭＬＣ、ロケーションサーバ、リピータ、アクセスポイント、無線アクセスポイント、リモートラジオユニット（ＲＲＵ）、リモート無線ヘッド（ＲＲＨ）、分散アンテナシステム（ＤＡＳ：ｄｉｓｔｒｉｂｕｔｅｄ  ａｎｔｅｎｎａ  ｓｙｓｔｅｍ）におけるＭＳＲ  ＢＳノードなどのマルチスタンダード無線（ＭＳＲ：ｍｕｌｔｉ−ｓｔａｎｄａｒｄ  ｒａｄｉｏ）無線ノード、自律的ノード（ＳＯＮ：Ｓｅｌｆ  Ｏｒｇａｎｉｚｉｎｇ  Ｎｏｄｅ）、運用および保守（Ｏ＆Ｍ：Ｏｐｅｒａｔｉｏｎａｌ  ＆  Ｍａｉｎｔｅｎａｎｃｅ）、運用サポートシステム（ＯＳＳ：Ｏｐｅｒａｔｉｏｎａｌ  Ｓｕｐｐｏｒｔ  Ｓｙｓｔｅｍ）、ＭＤＴノード、コアネットワークノード、ＭＭＥ等から構成され得る任意の種類のネットワークノードを指し得る。
【００７５】
一定の実施形態において、ワイヤレスデバイス１１０Ａ〜Ｃは、コンピュータネットワーキング仮想装置として動作し得る。図６は、コンピュータネットワーキング仮想装置６００として動作する例示的なネットワークノードを例示するブロック図である。図示されるように、仮想装置６００は、少なくとも１つの第１の決定モジュール６１０と、第２の決定モジュール６２０と、遅延モジュール６３０とを含む。第１の決定モジュール６１０は、第１のキャリアについて第１のＳＣｅｌｌ１５０Ａをアクティブ化または非アクティブ化するようにワイヤレスデバイス１１０Ａに要求する第１のメッセージを、ワイヤレスデバイス１１０Ａが受信したと決定するように構成され得る。
【００７６】
第２の決定モジュール６２０は、ワイヤレスデバイス１１０Ａが第１のプロシージャを完了させるべき、遅延期間（Ｔａｃｔｉｖａｔｅ＿ｂａｓｉｃ）を決定するように構成され得る。例えば、遅延期間（Ｔａｃｔｉｖａｔｅ＿ｂａｓｉｃ）は、ワイヤレスデバイス１１０Ａが第１のＳＣｅｌｌ１５０Ａをアクティブ化または非アクティブ化しなければならない時間であってもよい。
【００７７】
遅延モジュール６３０は、第２のＳＣｅｌｌ１５０Ｂのアクティブ化、非アクティブ化、設定、または設定解除を要求する第２のメッセージを送ることを遅延させるように構成され得る。一定の実施形態において、第２のメッセージは、遅延期間（Ｔａｃｔｉｖａｔｅ＿ｂａｓｉｃ）の関数である時間だけ遅延されてもよい。
【００７８】
図７は、特定の実施形態に係る、ネットワークノード１１５Ａ〜Ｃおよび／またはコンピュータネットワーキング仮想装置６００による、複数のセカンダリセル１５０Ａ〜Ｂのアクティブ化および非アクティブ化を生じさせるための例示的な方法を例示するフローチャートである。一定の実施形態において、ネットワークノード１１５Ａは、１つまたは複数のＳＣｅｌｌ１５０Ａ〜Ｂをセットアップまたは解放するようにワイヤレスデバイス１１０Ａに要求する、ＳＣｅｌｌセットアップもしくは解除メッセージまたはＳＣｅｌｌセットアップもしくは解除コマンドを、ワイヤレスデバイス１１０Ａへ送ることを意図し得る。しかしながら、ワイヤレスデバイス１１０Ａが、別のＳＣｅｌｌ１５０Ａ〜Ｂを既にセットアップまたは解放している場合、ネットワークノード１１５Ａは、意図された要求を送ることを遅延させ得る。したがって、ネットワークノード１１５Ａは、ワイヤレスデバイス１１０Ａが第１のＳＣｅｌｌ１５０Ａのセットアップまたは解放を行っており、または行うことが予期され、または実行するように要求されたという決定に基づいて、第２のＳＣｅｌｌ１５０Ｂについてのセットアップまたは解放コマンドをワイヤレスデバイス１１０Ａへ送るべきかを決め得る。
【００７９】
本方法は、第１のキャリアについて第１のＳＣｅｌｌ１５０Ａをアクティブ化または非アクティブ化するようにワイヤレスデバイス１１０Ａに要求する第１のメッセージを、ワイヤレスデバイス１１０Ａが受信したという決定と共に、ステップ７１０において始まる。様々な実施形態において、第１のメッセージは、第１のＳＣｅｌｌ１５０Ａの設定、追加、設定解除、解除、アクティブ化、および非アクティブ化のうちのいずれか１つまたはこれらの組み合わせをワイヤレスデバイス１１０Ａに行わせるための要求を含んでもよい。
【００８０】
一定の実施形態において、ワイヤレスデバイス１１０Ａが第１のメッセージを受信したと決定することは、ワイヤレスデバイス１１０Ａが第１のＳＣｅｌｌ１５０Ａのセットアップまたは解放を行うように要求された、または行っているという標識をネットワークノード１１５Ａ〜Ｃのうちの１つから受信することを含み得る。例えば、標識は、ＰＣｅｌｌ１４０Ａに関連付けられた第１のネットワークノード１１５Ａから受信されてもよい。代替的に、標識は、第１のＳＣｅｌｌ１５０Ａに関連付けられた第２のネットワークノード１１５Ｂから、または第２のＳＣｅｌｌ１５０Ｂに関連付けられた第３のネットワークノード１１５Ｃから受信されてもよい。特定の実施形態において、第３のネットワークノード１１５Ｃが、ＳＣｅｌｌセットアップまたは解放についてのコマンドを最近送った場合、そのような情報は、第３のネットワークノード１１５Ｃにおいて利用可能であり、そのメモリから取り出され得る。
【００８１】
他の実施形態において、標識は、ワイヤレスデバイス１１０Ａから受信されてもよく、ワイヤレスデバイス１１０Ａが第１のＳＣｅｌｌ１５０ＡのＳＣｅｌｌセットアップまたは解放を行っており、または行うことが予期されることを識別し得る。ワイヤレスデバイス１１０Ａからの標識は、独立して受信されてもよく、または、情報についてのワイヤレスデバイス１１０Ａに対する要求に応じて受信されてもよい。
【００８２】
また他の実施形態において、ワイヤレスデバイス１１０Ａが第１のメッセージを受信したという、ネットワークノード１１５Ａによる決定は、標識がワイヤレスデバイス１１０Ａまたは別のネットワークノード１１５Ｂ〜Ｃから受信されるか否かに関わらず、ネットワークノード１１５Ａによって独立して行われ得る。例えば、第１のＳＣｅｌｌ１５０Ａのセットアップまたは解放が完了したことを示す、確認または既定の信号またはメッセージが、ワイヤレスデバイス１１０Ａから受信されない場合、ネットワークノード１１５Ａは、ワイヤレスデバイス１１０Ａが第１のＳＣｅｌｌ１５０Ａのセットアップまたは解放を行っていると決定し得る。例えば、特定の実施形態において、ネットワークノード内のタイマが閾値と比較され、または、ＵＥが少なくとも第１のＳＣｅｌｌをセットアップまたは解放するように要求して以降の、タイマの状態がチェックされる（例えば、経過した／経過していない）。
【００８３】
ステップ７２０において、ネットワークノード１１５Ａは、ワイヤレスデバイス１１０Ａが第１のＳＣｅｌｌ１５０Ａをアクティブ化し、非アクティブ化し、設定し、または設定解除すべき、遅延期間（Ｔａｃｔｉｖａｔｅ＿ｂａｓｉｃ）を決定する。上述されたように、遅延期間（Ｔａｃｔｉｖａｔｅ＿ｂａｓｉｃ）は、既定の情報、例えば、標準において仕様化されている既定の要件に基づいて、決定され得る。
【００８４】
ステップ７３０において、ネットワークノード１１５Ａは、次いで、第２のＳＣｅｌｌ１５０Ｂのアクティブ化または非アクティブ化を要求する第２のメッセージを送ることを遅延させ得る。様々な実施形態において、第２のメッセージは、遅延期間（Ｔａｃｔｉｖａｔｅ＿ｂａｓｉｃ）の関数である時間だけ遅延されてもよい。特定の実施形態において、第２のメッセージは、遅延期間（Ｔａｃｔｉｖａｔｅ＿ｂａｓｉｃ）よりも既定の分だけ大きい、総遅延期間（Ｔａｃｔｉｖａｔｅ＿ｔｏｔａｌ）だけ遅延されてもよい。総遅延期間（Ｔａｃｔｉｖａｔｅ＿ｔｏｔａｌ）および遅延期間（Ｔａｃｔｉｖａｔｅ＿ｂａｓｉｃ）の決定は、既定のルールに基づき得る。この方法を使用することによって、ネットワークノードは、２つを超えるＳＣｅｌｌのセットアップまたは解放が部分的または完全に時間的に重複する状況を回避することができる。部分的または完全に重複する時間における、２つを超えるＳＣｅｌｌのセットアップまたは解放の結果は、既定の要件によって知られている（上記を参照）。そのため、ネットワークノードにおける本方法は、上記に開示されたＳＣｅｌｌセットアップまたは解放についての、ＵＥの既定の要件に基づいてトリガされる。
【００８５】
別の実施形態において、ネットワークノード１１５Ａは、第１のＳＣｅｌｌ１５０Ａがセットアップまたは解放されたという標識をネットワークノード１１５Ａが受信するまで、第２のメッセージの送信を遅延させ得る。上述されたように、標識は、ワイヤレスデバイス１１０Ａから、または別のネットワークノード１１５Ｂ〜Ｃから、受信され得る。ワイヤレスデバイス１１０Ａからの標識は、有効なＵＬ信号（例えば、ＣＱＩインデックス＝非ゼロを有するＣＱＩ）からも構成され得る。例えば、ある時間（Ｔ３）後および／または標識を受信した後に、ネットワークノード１１５Ａは、第２のメッセージをワイヤレスデバイス１１０Ａへ送り得る。Ｔ３の例は、下記を含むが、これに限定されない。
・Ｔ３＝Ｔ２
・Ｔ３＝Ｔ２＋α  ただし、αは、不完全さおよび遅延を考慮するためのマージンである。
【００８６】
特定の実施形態において、本方法は、第３のＳＣｅｌｌをアクティブ化または非アクティブ化するようにワイヤレスデバイス１１０Ａに要求する第３のメッセージをワイヤレスデバイス１１０Ａが受信したと決定することも含み得る。本方法は、ワイヤレスデバイス１１０Ａが第３のＳＣｅｌｌ１５０Ｃのアクティブ化、非アクティブ化、設定、または設定解除を完了させるべき、総遅延期間（Ｔａｃｔｉｖａｔｅ＿ｔｏｔａｌ）を決定することも含み得る。第３のＳＣｅｌｌをアクティブ化または非アクティブ化するための総遅延期間（Ｔａｃｔｉｖａｔｅ＿ｔｏｔａｌ）は、第２のＳＣｅｌｌ１５０Ｂをアクティブ化または非アクティブ化するための遅延期間（Ｔａｃｔｉｖａｔｅ＿ｂａｓｉｃ）よりも大きくてもよい。特定の実施形態において、第１、第２、第３、および第４のネットワークノードの組み合わせは異なり得る。ネットワークノード１１５Ａ〜Ｃは、異なるサイトもしくはロケーションに位置してもよく、または、ネットワークノード１１５Ａ〜Ｃのうちの１つもしくは複数は、１つのサイトもしくはロケーションに存在してもよい。ネットワークノード１１５Ａ〜Ｃは、同じサイトにまたは同じネットワークノード内に配置され得るにもかかわらず、論理的に異なるノードであってもよい。
【００８７】
図８は、無線ネットワークコントローラ１２０またはコアネットワークノード１３０の一定の実施形態を例示するブロック図である。ネットワークノードの例は、モバイルスイッチングセンタ（ＭＳＣ）、サービングＧＰＲＳサポートノード（ＳＧＳＮ）、モビリティ管理エンティティ（ＭＭＥ：ｍｏｂｉｌｉｔｙ  ｍａｎａｇｅｍｅｎｔ  ｅｎｔｉｔｙ）、無線ネットワークコントローラ（ＲＮＣ）、基地局コントローラ（ＢＳＣ）などを含み得る。ネットワークノードは、プロセッサ８２０と、メモリ８３０と、ネットワークインターフェース８４０とを含む。いくつかの実施形態において、プロセッサ８２０は、ネットワークノードによって提供されるものとして上述された機能性のうちの一部または全部を提供するための命令を実行し、メモリ８３０は、プロセッサ８２０によって実行される命令を記憶し、ネットワークインターフェース８４０は、信号を適切なノードへ、例えば、ゲートウェイ、スイッチ、ルータ、インターネット、公衆交換電話網（ＰＳＴＮ）、無線ネットワークノード１１５、無線ネットワークコントローラ１２０、コアネットワークノード１３０等などへ通信する。
【００８８】
プロセッサ８２０は、ネットワークノードの説明された機能のうちの一部または全部を行うべく命令を実行し、データを操作するために、１つまたは複数のモジュールにおいて実装される、ハードウェアとソフトウェアとの任意の適切な組み合わせを含み得る。いくつかの実施形態において、プロセッサ８２０は、例えば、１つもしくは複数のコンピュータ、１つもしくは複数の中央処理装置（ＣＰＵ）、１つもしくは複数のマイクロプロセッサ、１つもしくは複数のアプリケーション、および／または、他のロジックを含んでもよい。
【００８９】
メモリ８３０は、一般に、命令、例えば、コンピュータプログラム、ソフトウェア、ロジック、ルール、アルゴリズム、コード、テーブル等のうちの１つもしくは複数を含むアプリケーション、および／または、プロセッサによって実行されることが可能な他の命令などを記憶するように動作可能である。メモリ８３０の例は、コンピュータメモリ（例えば、ランダムアクセスメモリ（ＲＡＭ）もしくは読み出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／または、情報を記憶する任意の他の揮発性もしくは不揮発性の、非一時的なコンピュータ読取可能および／もしくはコンピュータ実行可能なメモリデバイスを含む。
【００９０】
いくつかの実施形態において、ネットワークインターフェース８４０は、プロセッサ８２０に通信可能に結合されており、ネットワークノードのための入力を受信し、ネットワークノードからの出力を送り、入力もしくは出力もしくはこれらの両方の適切な処理を行い、他のデバイスへ通信し、または、これらの任意の組み合わせを行うように動作可能な任意の適切なデバイスを指し得る。ネットワークインターフェース８４０は、ネットワークを通じて通信するための、プロトコル変換およびデータ処理能力を含む、適当なハードウェア（例えば、ポート、モデム、ネットワークインターフェースカード等）およびソフトウェアを含み得る。
【００９１】
ネットワークノードの他の実施形態は、上述された機能性のうちのいずれかおよび／または任意の付加的な機能性（上述された解決策をサポートするために必要な任意の機能性を含む）を含む、ネットワークノードの機能性の一定の態様を提供する責任を負い得る、図８に示される構成要素以外の付加的な構成要素を含んでもよい。
【００９２】
本開示のいくつかの実施形態は、１つまたは複数の技術的利点を提供し得る。例えば、一定の実施形態において、採用される技法は、ワイヤレスデバイス（すなわち、ユーザ機器）が、１つまたは複数の付加的なＳＣｅｌｌをアクティブ化し、非アクティブ化し、設定し、または設定解除することが要求されている間に、ＳＣｅｌｌを正確にアクティブ化または非アクティブ化することを可能にし得る。別の技術的利点は、ユーザ機器が２つ以上のＳＣｅｌｌのセットアップまたは解放を少なくとも部分的に重複する時間中に行う場合に、ネットワークノードがユーザ機器性能（例えば、ＳＣｅｌｌセットアップまたは解放を行うための時間）を認識することを、本技法が可能にし得ることであり得る。また別の技術的利点は、ユーザ機器がいくつかのＳＣｅｌｌを少なくとも部分的に重複する時間中にセットアップまたは解放することを要求される場合であっても、ユーザ機器の振る舞いが明確に規定されており、一貫していることを、本技法が確実にすることであり得る。また別の技術的利点は、ネットワークノードが、あるＳＣｅｌｌについてのＳＣｅｌｌセットアップまたは解放の完了を、別のＳＣｅｌｌのセットアップまたは解放のために待つ必要がないということであり得る。つまり、ネットワークノードは、２つ以上のＳＣｅｌｌについてのＳＣｅｌｌセットアップまたは解放を行うように、ユーザ機器に独立して要求することができる。
【００９３】
いくつかの実施形態は、これらの利点のうちの一部の利益を享受し、これらの利点から利益を享受せず、または、これらの利点のうちの全部の利益を享受し得る。他の技術的利点は、当業者によって容易に確認され得る。
【００９４】
修正、追加、または削除は、本明細書において開示される方法、システム、および装置に対して、本発明の範囲から逸脱することなく、行われ得る。例えば、方法は、より多くのステップ、より少ないステップ、または他のステップを含んでもよく、これらのステップは、任意の適切な順序で行われ得る。別の例として、システムおよび装置の構成要素は、一体化されても、または分離されてもよい。また、システムおよび装置の動作は、より多くの構成要素、より少ない構成要素、または他の構成要素によって行われてもよい。さらに、システムおよび装置の動作は、ソフトウェア、ハードウェア、および／または他のロジックを含む、任意の適切なロジックを使用して行われてもよい。本文書においては、「各」は、あるセットの各メンバー、または、あるセットのあるサブセットの各メンバーを指す。
【００９５】
例えば、特定の実施形態に係る１つの実装例において、プライマリセル（ＰＣｅｌｌ）１４０Ａおよび複数のセカンダリセルＳＣｅｌｌ１５０Ａ〜Ｃにおいて複数のキャリアから信号を受信するために、キャリアアグリゲーションを使用して、ワイヤレスデバイス１１０Ａによって複数のセカンダリセル１５０Ａ〜Ｂをアクティブ化および非アクティブ化するための方法が提供される。第１のキャリアについて第１のセカンダリセル（第１のＳＣｅｌｌ）１５０Ａのアクティブ化または非アクティブ化を要求する第１のメッセージが受信される。第１のメッセージに応じて、第１のＳＣｅｌｌ１５０Ａをアクティブ化または非アクティブ化するための第１のプロシージャが開始される。ワイヤレスデバイス１１０Ａは、第１のプロシージャを完了させるべき第１の遅延期間（Ｔａｃｔｉｖａｔｅ＿ｂａｓｉｃ）を有する。第１のＳＣｅｌｌ１５０Ａをアクティブ化または非アクティブ化するための第１のプロシージャを行っている間に、第２のキャリアについて第２のＳＣｅｌｌ１５０Ｂをアクティブ化し、非アクティブ化し、設定し、または設定解除するための第２のメッセージが受信される。第２のＳＣｅｌｌ１５０Ｂをアクティブ化し、非アクティブ化し、設定し、または設定解除するための第２のメッセージを受信することに応じて、第１のプロシージャは、第１の遅延期間を、第１のＳＣｅｌｌ１５０Ａをアクティブ化または非アクティブ化するための第１のプロシージャを完了させるべき第２の遅延期間（Ｔａｃｔｉｖａｔｅ＿ｔｏｔａｌ）に置換することによって修正される。第２の遅延期間（Ｔａｃｔｉｖａｔｅ＿ｔｏｔａｌ）は、第１の遅延期間（Ｔａｃｔｉｖａｔｅ＿ｂａｓｉｃ）よりも大きい。
【００９６】
特定の実施形態に係る別の実装例において、プライマリセル（ＰＣｅｌｌ）１４０Ａおよび複数のセカンダリセル（ＳＣｅｌｌ）１５０Ａ〜Ｂにおいて複数のキャリアから信号を受信するために、キャリアアグリゲーションを使用するワイヤレスデバイス１１０Ａは、実行可能な命令を含有するメモリ２３０と、メモリ２３０と通信する１つまたは複数のプロセッサ２２０とを含む。１つまたは複数のプロセッサ２２０は、命令を実行して、ワイヤレスデバイス１１０Ａに、第１のキャリアについて第１のセカンダリセル（第１のＳＣｅｌｌ）１５０Ａのアクティブ化または非アクティブ化を要求する第１のメッセージを受信させるように動作可能である。第１のメッセージに応じて、第１のＳＣｅｌｌ１５０Ａをアクティブ化または非アクティブ化するための第１のプロシージャが開始される。ワイヤレスデバイス１１０Ａは、第１のプロシージャを完了させるべき第１の遅延期間（Ｔａｃｔｉｖａｔｅ＿ｂａｓｉｃ）を有する。第１のＳＣｅｌｌ１５０Ａをアクティブ化または非アクティブ化するための第１のプロシージャを行っている間に、第２のキャリアについて第２のＳＣｅｌｌ１５０Ｂをアクティブ化し、非アクティブ化し、設定し、または設定解除するための第２の要求が受信される。第２のＳＣｅｌｌ１５０Ｂをアクティブ化し、非アクティブ化し、設定し、または設定解除するための第２のメッセージを受信することに応じて、第１のプロシージャは、第１の遅延期間を、第１のＳＣｅｌｌ１５０Ａをアクティブ化または非アクティブ化するための第１のプロシージャを完了させるべき第２の遅延期間（Ｔａｃｔｉｖａｔｅ＿ｔｏｔａｌ）に置換することによって修正される。第２の遅延期間（Ｔａｃｔｉｖａｔｅ＿ｔｏｔａｌ）は、第１の遅延期間（Ｔａｃｔｉｖａｔｅ＿ｂａｓｉｃ）よりも大きい。
【００９７】
特定の実施形態に係る別の実装例において、プライマリセル（ＰＣｅｌｌ）１４０Ａおよび複数のセカンダリセル（ＳＣｅｌｌ）１５０Ａ〜Ｂにおいて複数のキャリアから信号を受信するためにキャリアアグリゲーションを使用しているワイヤレスデバイス１１０Ａをサーブする第１のネットワークノード１１５Ａにおける方法は、第１のネットワークノード１１５Ａによって、第１のキャリアについて第１のＳＣｅｌｌ１５０Ａをアクティブ化または非アクティブ化するようにワイヤレスデバイス１１０Ａに要求する第１のメッセージをワイヤレスデバイス１１０Ａが受信したと決定することを含む。ワイヤレスデバイス１１０Ａが第１のＳＣｅｌｌ１５０Ａをアクティブ化または非アクティブ化するべき遅延期間（Ｔａｃｔｉｖａｔｅ＿ｂａｓｉｃ）は、第１のネットワークノード１１５Ａによって決定される。第１のネットワークノード１１５Ａは、第２のＳＣｅｌｌ１５０Ｂのアクティブ化、非アクティブ化、設定、または設定解除を要求する第２のメッセージを送ることを遅延させる。第２のメッセージは、遅延期間の関数である時間だけ遅延される。
【００９８】
特定の実施形態に係る別の実装例において、プライマリセル（ＰＣｅｌｌ）１４０Ａおよび複数のセカンダリセル（ＳＣｅｌｌ）１５０Ａ〜Ｂにおいて複数のキャリアから信号を受信するためにキャリアアグリゲーションを使用するワイヤレスデバイス１１０Ａをサーブする第１のネットワークノード１１５Ａは、実行可能な命令を含有するメモリ５３０と、メモリ５３０と通信する１つまたは複数のプロセッサ５２０とを含む。１つまたは複数のプロセッサ５２０は、命令を実行して、第１のネットワークノード１１５Ａに、第１のキャリアについて第１のＳＣｅｌｌ１５０Ａをアクティブ化または非アクティブ化するようにワイヤレスデバイス１１０Ａに要求する第１のメッセージをワイヤレスデバイス１１０Ａが受信したと決定させるように動作可能である。ワイヤレスデバイス１１０Ａが第１のＳＣｅｌｌ１５０Ａをアクティブ化または非アクティブ化するべき遅延期間（Ｔａｃｔｉｖａｔｅ＿ｂａｓｉｃ）が決定される。第２のＳＣｅｌｌ１５０Ｂのアクティブ化、非アクティブ化、設定、または設定解除を要求する第２のメッセージを送ることは、遅延される。第２のメッセージは、遅延期間の関数である時間だけ遅延される。
【００９９】
別の実装例において、ワイヤレスデバイスは、コンピュータネットワーキング仮想装置として動作し得る。特定の実施形態によれば、装置３００は、第１のキャリアについて第１のセカンダリセル（第１のＳＣｅｌｌ）１５０Ａのアクティブ化または非アクティブ化を要求する第１のメッセージを受信するように構成された第１の受信モジュール３１０を含み得る。開始モジュール３２０は、第１のメッセージに応じて、第１のＳＣｅｌｌ１５０Ａをアクティブ化または非アクティブ化するための第１のプロシージャを開始するように構成される。装置３００は、第１のプロシージャを完了させるべき第１の遅延期間（Ｔａｃｔｉｖａｔｅ＿ｂａｓｉｃ）を有する。第２の受信モジュール３３０は、第１のＳＣｅｌｌ１５０Ａをアクティブ化または非アクティブ化するための第１のプロシージャを行っている間に、第２のキャリアについて第２のＳＣｅｌｌ１５０Ｂをアクティブ化し、非アクティブ化し、設定し、または設定解除するための第２のメッセージを受信するように構成される。修正モジュール３４０は、第２のＳＣｅｌｌ１５０Ｂをアクティブ化し、非アクティブ化し、設定し、または設定解除するための第２のメッセージを受信することに応じて、第１のプロシージャを修正するように構成される。第１のプロシージャを修正することは、第１の遅延期間を、第１のＳＣｅｌｌ１５０Ａをアクティブ化または非アクティブ化するための第１のプロシージャを完了させるべき第２の遅延期間（Ｔａｃｔｉｖａｔｅ＿ｔｏｔａｌ）に置換することを含み得る。第２の遅延期間（Ｔａｃｔｉｖａｔｅ＿ｔｏｔａｌ）は、第１の遅延期間（Ｔａｃｔｉｖａｔｅ＿ｂａｓｉｃ）よりも大きい。
【０１００】
別の実装例においては、ネットワークノードが、コンピュータネットワーキング仮想装置として動作し得る。特定の実施形態によれば、装置６００は、第１のキャリアについて第１のＳＣｅｌｌ１５０Ａをアクティブ化または非アクティブ化することをワイヤレスデバイス１１０Ａに要求する第１のメッセージをワイヤレスデバイス１１０Ａが受信したと決定するように構成された第１の決定モジュール６１０を含む。第２の決定モジュール６２０は、ワイヤレスデバイス１１０Ａが第１のＳＣｅｌｌ１５０Ａをアクティブ化または非アクティブ化するべき遅延期間（Ｔａｃｔｉｖａｔｅ＿ｂａｓｉｃ）を決定するように構成される。遅延モジュール６３０は、第２のＳＣｅｌｌ１５０Ｂのアクティブ化、非アクティブ化、設定、または設定解除を要求する第２のメッセージを送ることを遅延させるように構成される。第２のメッセージは、遅延期間の関数である時間だけ遅延される。
【０１０１】
複数のＳＣｅｌｌをアクティブ化および非アクティブ化するための別の実装例において、方法は、ＰＣｅｌｌ上で第１のネットワークノードによってサーブされるユーザ機器によって行われ得る。ワイヤレスデバイス１１０Ａなどのユーザ機器が、上述されたように、少なくとも２つのセカンダリサービングセル（ＳＣｅｌｌ）１５０Ａ〜Ｂを使用することが可能である場合、方法は、第２のネットワークノード１１５Ｂから、第１のＳＣｅｌｌ１５０Ａをセットアップまたは解放するための第１のＳＣｅｌｌセットアップまたは解放メッセージを受信することを含み得る。第１のＳＣｅｌｌ１５０Ａは、受信された第１のＳＣｅｌｌセットアップまたは解放メッセージに基づいて、セットアップまたは解放され得る。決定は、ワイヤレスデバイス１１０Ａが第１のＳＣｅｌｌ１５０Ａをセットアップまたは解放している間に、第２のＳＣｅｌｌをセットアップまたは解放するための第２のＳＣｅｌｌセットアップまたは解放メッセージを第３のネットワークノード１１５Ｃから受信したかに関して行われ得る。第１のプロシージャまたは第２のプロシージャは、決定に基づいて第１のＳＣｅｌｌ１５０Ａをセットアップまたは解放するために使用され、または適応され得る。
【０１０２】
随意的に、ワイヤレスデバイス１１０Ａが、第２のＳＣｅｌｌセットアップまたは解放メッセージを受信していない場合には、第１のプロシージャが使用されてもよく、ワイヤレスデバイス１１０Ａが、第２のＳＣｅｌｌセットアップまたは解放メッセージを受信した場合には、第２のプロシージャが使用されてもよい。特定の実施形態において、ワイヤレスデバイス１１０Ａが、１つまたは複数の第１の予め既定された要件を満たす場合には、第１のプロシージャが使用されてもよく、１つまたは複数の第２の予め既定された要件が満たされる場合には、第２のプロシージャが使用されてもよい。特定の実施形態において、第２のＳＣｅｌｌ１５０Ｂをセットアップまたは解放するための第３のセットアップまたは解放メッセージは、第１のＳＣｅｌｌ１５０Ａをセットアップまたは解放している間に、第４のネットワークノードから受信され得る。特定の実施形態において、第１、第２、第３および第４のネットワークノードは、同じであっても、または同じサイトに配置されてもよい。随意的に、第１、第２および第３のＳＣｅｌｌセットアップまたは解放メッセージは、ＰＣｅｌｌ上で受信されてもよい。随意的に、ＳＣｅｌｌセットアップまたは解放メッセージは、ワイヤレスデバイスに対する、下記のタスクのうちのいずれか１つまたは複数を行うための要求を含有し得る：ＳＣｅｌｌの設定またはＳＣｅｌｌの追加、ＳＣｅｌｌの設定解除またはＳＣｅｌｌの解放、ＳＣｅｌｌのアクティブ化、およびＳＣｅｌｌの非アクティブ化。特定の実施形態において、ＳＣｅｌｌの設定または設定解除を含むメッセージは、ＲＲＣシグナリングを介してワイヤレスデバイス１１０Ａによって受信され得る。代替的に、ＳＣｅｌｌのアクティブ化または非アクティブ化を含有するメッセージは、ＭＡＣ  ＣＥコマンドまたはシグナリングを介してＵＥによって受信され得る。
【０１０３】
特定の実施形態において、第１の予め既定された要件は、第１のＳＣｅｌｌ１５０Ａのセットアップまたは解放がワイヤレスデバイス１１０Ａによって第１のプロシージャを使用して行われる第１の持続期間または遅延（Ｔ１）を含み得る。随意的に、第２の予め既定された要件は、第１のＳＣｅｌｌ１５０Ａのセットアップまたは解放がワイヤレスデバイス１１０Ａによって行われる第２の持続期間または遅延（Ｔ２）を含み得る。特定の実施形態において、Ｔ２は、Ｔ１よりも大きくてもよい。また、Ｔ２は、Ｔ１、Ｋ＊ＤおよびΔの関数であってもよく、ただし、Ｋは、ワイヤレスデバイス１１０Ａによって第１のＳＣｅｌｌ１５０Ａがセットアップまたは解放されている間に、少なくとも第２のＳＣｅｌｌ１５０Ｂをセットアップまたは解放することを行うようにワイヤレスデバイスが要求される回数である。Ｄは、少なくとも第２のＳＣｅｌｌのセットアップまたは解放に起因する中断であり、Δは、あらゆる中断を考慮するための付加的なマージンであり得る。
【０１０４】
別の実装例において、方法は、少なくともＰＣｅｌｌ１４０Ａによってワイヤレスデバイス１１０Ａにサーブするネットワークノード１１５Ａによって行われ得る。本方法は、ワイヤレスデバイス１１０Ａが第１のＳＣｅｌｌ１５０Ａのセットアップまたは解放を行っており、または行うように要求されたという、ネットワークノード１１５Ａによる決定を含み得る。ワイヤレスデバイス１１０Ａが第１のＳＣｅｌｌのセットアップまたは解放を行い、または行っている、第１の持続期間または遅延（Ｔａｃｔｉｖａｔｅ＿ｂａｓｉｃまたはＴ１）が決定され得る。ネットワークノード１１５Ａは、決定された第１の持続期間または遅延（Ｔ１）に基づいて、第２のＳＣｅｌｌ１５０Ｂをセットアップまたは解放するための第２のＳＣｅｌｌセットアップまたは解放メッセージをワイヤレスデバイス１１０Ａへ送ることを遅延させ得る。
【０１０５】
特定の実施形態において、ワイヤレスデバイス１１０Ａが第１のＳＣｅｌｌ１５０Ａのセットアップまたは解放を行っており、または行うように要求されたという決定は、第１のネットワークノード１１５Ａまたは第２のネットワークノード１１５Ｂから受信される標識、ワイヤレスデバイス１１０Ａからの標識、および第３のネットワークノード１１５Ｃによってワイヤレスデバイス１１０Ａへ送られる要求のうちの１つまたは複数に基づき得る。
【０１０６】
特定の実施形態において、ワイヤレスデバイス１１０Ａが少なくとも第２のＳＣｅｌｌ１５０Ｂのセットアップまたは解放も行うように要求される間に、ワイヤレスデバイス１１０Ａが第１のＳＣｅｌｌ１５０Ａのセットアップまたは解放を行い、または行うことが予期される、第２の持続期間または遅延（Ｔａｃｔｉｖａｔｅ＿ｔｏｔａｌまたはＴ２）が決定され得る。ただし、Ｔ２＞Ｔ１である。随意的に、第２のＳＣｅｌｌセットアップまたは解放メッセージをワイヤレスデバイス１１０Ａへ送ることは、Ｔ２がＴ１よりも一定のマージンだけ大きい場合に遅延され得る。随意的に、Ｔ１およびＴ２の決定は、予め既定されたルールまたは情報に基づいてもよい。随意的に、ＳＣｅｌｌセットアップまたは解放メッセージは、ＵＥに対する、下記のタスクのうちのいずれか１つまたは複数を行うための要求を含有し得る：ＳＣｅｌｌの設定またはＳＣｅｌｌの追加、ＳＣｅｌｌの設定解除またはＳＣｅｌｌの解放、ＳＣｅｌｌのアクティブ化、およびＳＣｅｌｌの非アクティブ化。随意的に、Ｔ１およびＴ２は、ＳＣｅｌｌアクティブ化遅延またはＳＣｅｌｌ非アクティブ化遅延に対応し得る。
【０１０７】
特定の実施形態において、第１、第２および第３のネットワークノード１１５Ａ〜Ｃは、同じであってもよく、または同じサイトに配置されてもよい。特定の実施形態において、ＰＣｅｌｌ１４０Ａ、第１のＳＣｅｌｌ１５０Ａ、第２のＳＣｅｌｌ１５０Ｂ、および第３のＳＣｅｌｌは、それぞれ第１のキャリア周波数（ｆ１）、第２のキャリア周波数（ｆ２）、第３のキャリア周波数（ｆ３）および第４のキャリア周波数（ｆ４）上で動作し得る。
【０１０８】
他の実装例は、説明された方法を実装するように構成されたワイヤレス通信デバイスおよび／もしくはアクセスノード、または、説明された方法をワイヤレス通信デバイスおよび／もしくはアクセスノードが実装するワイヤレス通信システムを含み得る。
【０１０９】
本開示のいくつかの実施形態は、１つまたは複数の技術的利点を提供し得る。例えば、一定の実施形態において、採用される技法は、ワイヤレスデバイス（すなわち、ユーザ機器）が、１つまたは複数の付加的なＳＣｅｌｌをアクティブ化し、非アクティブ化し、設定し、または設定解除するように要求される間に、ＳＣｅｌｌを正確にアクティブ化または非アクティブ化することを可能にし得る。別の技術的利点は、ユーザ機器が２つ以上のＳＣｅｌｌのセットアップまたは解放を少なくとも部分的に重複する時間中に行う場合に、ネットワークノードがユーザ機器性能（例えば、ＳＣｅｌｌセットアップまたは解放を行うための時間）を認識することを本技法が可能にし得ることであり得る。また別の技術的利点は、ユーザ機器がいくつかのＳＣｅｌｌを少なくとも部分的に重複する時間中にセットアップまたは解放することを要求される場合であっても、ユーザ機器の振る舞いが明確に規定されており、一貫していることを、本技法が確実にすることであり得る。また別の技術的利点は、ネットワークノードが、あるＳＣｅｌｌについてのＳＣｅｌｌセットアップまたは解放の完了を、別のＳＣｅｌｌのセットアップまたは解放のために待つ必要がないということであり得る。つまり、ネットワークノードは、２つ以上のＳＣｅｌｌについてのＳＣｅｌｌセットアップまたは解放を行うように、ユーザ機器に独立して要求することができる。
【０１１０】
いくつかの実施形態は、これらの利点のうちの一部の利益を享受し、これらの利点から利益を享受せず、または、これらの利点のうちの全部の利益を享受し得る。他の技術的利点は、当業者によって容易に確認され得る。
【０１１１】
修正、追加、または削除は、本明細書において開示されるシステムおよび装置に対して、本発明の範囲から逸脱することなく、行われ得る。システムおよび装置の構成要素は、一体化されても、または分離されてもよい。また、システムおよび装置の動作は、より多くの構成要素、より少ない構成要素、または他の構成要素によって行われてもよい。さらに、システムおよび装置の動作は、ソフトウェア、ハードウェア、および／または他のロジックを含む、任意の適切なロジックを使用して行われてもよい。本文書においては、「各」は、あるセットの各メンバー、または、あるセットのあるサブセットの各メンバーを指す。
【０１１２】
修正、追加、または削除は、本明細書において開示される方法に対して、本発明の範囲から逸脱することなく、行われ得る。本方法は、より多くのステップ、より少ないステップ、または他のステップを含んでもよい。また、ステップは、任意の適切な順序で行われ得る。
【０１１３】
本開示は、一定の実施形態の観点から説明されてきたが、実施形態の修正および置換は、当業者には明らかであろう。したがって、上記の実施形態の説明は、本開示を制約しない。他の変更、置き換え、および修正は、下記の特許請求の範囲によって規定されるように、本開示の精神および範囲から逸脱することなく可能である。
【図１】
2017513379.tif 000003
【図２】
2017513379.tif 000004
【図３】
2017513379.tif 000005
【図４】
2017513379.tif 000006
【図５】
2017513379.tif 000007
【図６】
2017513379.tif 000008
【図７】
2017513379.tif 000009
【図８】
2017513379.tif 000010
【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
プライマリセル（ＰＣｅｌｌ）（１４０Ａ）および複数のセカンダリセル（ＳＣｅｌｌ）（１５０Ａ〜Ｃ）において複数のキャリアから信号を受信するためにキャリアアグリゲーションを使用するワイヤレスデバイス（１１０Ａ）によって、複数のセカンダリセル（１５０Ａ〜Ｂ）をアクティブ化および非アクティブ化するための方法であって、
第１のキャリアについて第１のセカンダリセル（第１のＳＣｅｌｌ）（１５０Ａ）のアクティブ化または非アクティブ化を要求する第１のメッセージを受信することと、
前記第１のメッセージに応じて、前記第１のＳＣｅｌｌ（１５０Ａ）をアクティブ化または非アクティブ化するための第１のプロシージャを開始することであって、前記ワイヤレスデバイス（１１０Ａ）は、前記第１のプロシージャを完了させるべき第１の遅延期間（Ｔａｃｔｉｖａｔｅ＿ｂａｓｉｃ）を有する、開始することと、
前記第１のＳＣｅｌｌ（１５０Ａ）をアクティブ化または非アクティブ化するための前記第１のプロシージャを行っている間に、第２のキャリアについて第２のＳＣｅｌｌ（１５０Ｂ）をアクティブ化し、非アクティブ化し、設定し、または設定解除するための第２のメッセージを受信することと、
前記第２のＳＣｅｌｌ（１５０Ｂ）をアクティブ化し、非アクティブ化し、設定し、または設定解除するための前記第２のメッセージを受信することに応じて、前記第１の遅延期間を、前記第１のＳＣｅｌｌ（１５０Ａ）をアクティブ化または非アクティブ化するための前記第１のプロシージャを完了すべき第２の遅延期間（Ｔａｃｔｉｖａｔｅ＿ｔｏｔａｌ）に置換することによって、前記第１のプロシージャを修正することであって、前記第２の遅延期間（Ｔａｃｔｉｖａｔｅ＿ｔｏｔａｌ）は、前記第１の遅延期間（Ｔａｃｔｉｖａｔｅ＿ｂａｓｉｃ）よりも大きい、修正することと、
を含む、方法。
【請求項２】
前記第２の遅延期間（Ｔａｃｔｉｖａｔｅ＿ｔｏｔａｌ）は、少なくとも、整数Ｋの関数であり、前記Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように前記ワイヤレスデバイス（１１０Ａ）が要求される回数である、請求項１に記載の方法。
【請求項３】
前記第１のＳＣｅｌｌ（１５０Ａ）が、前記第１のプロシージャ中に検出可能なままであり、
前記第１のメッセージの前記受信前の少なくとも第３の遅延期間中に、前記ワイヤレスデバイス（１１０Ａ）が前記第１のＳＣｅｌｌ（１５０Ａ）についての測定レポートを送信しており、前記第１のＳＣｅｌｌ（１５０Ａ）が検出可能なままである場合、
Ｔａｃｔｉｖａｔｅ＿ｂａｓｉｃ＝２４サブフレームであり、
さもなければ、前記ワイヤレスデバイス（１１０Ａ）が、前記第１のプロシージャ中に前記第１のＳＣｅｌｌ（１４０Ａ）を検出するための最初の試行で前記第１のＳＣｅｌｌ（１４０Ａ）を成功裏に検出する場合、Ｔａｃｔｉｖａｔｅ＿ｂａｓｉｃ＝３４サブフレームである、
請求項１または２に記載の方法。
【請求項４】
前記第２の遅延期間（Ｔａｃｔｉｖａｔｅ＿ｔｏｔａｌ）が、
（Ｔａｃｔｉｖａｔｅ＿ｔｏｔａｌ）＝Ｔａｃｔｉｖａｔｅ＿ｂａｓｉｃ＋Ｋ＊５
として表され、ただし、Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように、前記ワイヤレスデバイス（１１０Ａ）が要求される回数を表す整数である、
請求項１から３のいずれか一項に記載の方法。
【請求項５】
前記第１のプロシージャを行っている間に、第３のセカンダリセル（第３のＳＣｅｌｌ）（１５０Ｃ）のアクティブ化、非アクティブ化、設定、または設定解除を要求する第３のメッセージを受信すること
をさらに含む、請求項１から４のいずれか一項に記載の方法。
【請求項６】
前記第１のメッセージが、第１のネットワークノード（１１５Ａ）から受信され、
前記第２のメッセージが、第２のネットワークノード（１１５Ｂ）から受信され、
前記第３メッセージが、第３のネットワークノード（１１５Ｃ）から受信される、
請求項５に記載の方法。
【請求項７】
前記第１のネットワークノード、前記第２のネットワークノード、および前記第３のネットワークノード（１１５Ａ〜Ｃ）が、同じサイトに配置され、または同じネットワークノードに存在する、請求項６に記載の方法。
【請求項８】
前記第１のメッセージ、前記第２のメッセージ、および前記第３のメッセージが、第１のネットワークノード（１１５Ａ）から受信される、請求項６または７に記載の方法。
【請求項９】
前記第１のメッセージ、前記第２のメッセージ、および前記第３のメッセージのうちの少なくとも１つが、前記ＰＣｅｌｌ（１４０Ａ）上で受信される、請求項６または７に記載の方法。
【請求項１０】
前記第１のメッセージが、前記ワイヤレスデバイス（１１０Ａ）に、下記のタスク、すなわち、
前記第１のＳＣｅｌｌ（１５０Ａ）の設定、
前記第１のＳＣｅｌｌ（１５０Ａ）の追加、
前記第１のＳＣｅｌｌ（１５０Ａ）の設定解除、
前記第１のＳＣｅｌｌ（１５０Ａ）の解放、
前記第１のＳＣｅｌｌ（１５０Ａ）のアクティブ化、および
前記第１のＳＣｅｌｌ（１５０Ａ）の非アクティブ化
のうちの１つまたは複数を行うように要求する、請求項１から９のいずれか一項に記載の方法。
【請求項１１】
前記第１のメッセージが、前記第１のＳＣｅｌｌ（１５０Ａ）を設定または設定解除するように、前記ワイヤレスデバイス（１１０Ａ）に要求し、
前記第１のメッセージが、ＲＲＣシグナリングを介して前記ワイヤレスデバイス（１１０Ａ）によって受信される、
請求項１から９のいずれか一項に記載の方法。
【請求項１２】
前記第１のメッセージが、前記第１のＳＣｅｌｌ（１５０Ａ）をアクティブ化または非アクティブ化するように、前記第１のワイヤレスデバイス（１１０Ａ）に要求し、
前記第１のメッセージが、ＭＡＣ  ＣＥコマンドまたはシグナリングを介して前記ワイヤレスデバイス（１１０Ａ）によって受信される、
請求項１から９のいずれか一項に記載の方法。
【請求項１３】
プライマリセル（ＰＣｅｌｌ）（１４０Ａ）および複数のセカンダリセル（ＳＣｅｌｌ）（１５０Ａ〜Ｂ）において複数のキャリアから信号を受信するためにキャリアアグリゲーションを使用するワイヤレスデバイス（１１０Ａ）であって、
実行可能な命令を含有するメモリ（２３０）と、
前記メモリ（２３０）と通信する１つまたは複数のプロセッサ（２２０）と、
を備え、前記１つまたは複数のプロセッサ（２２０）は、前記命令を実行して、前記ワイヤレスデバイス（１１０Ａ）に、
第１のキャリアについて第１のセカンダリセル（第１のＳＣｅｌｌ）（１５０Ａ）のアクティブ化または非アクティブ化を要求する第１のメッセージを受信させ、
前記第１のメッセージに応じて、前記第１のＳＣｅｌｌ（１５０Ａ）をアクティブ化または非アクティブ化するための第１のプロシージャを開始させ、前記ワイヤレスデバイス（１１０Ａ）は、前記第１のプロシージャを完了させるべき第１の遅延期間（Ｔａｃｔｉｖａｔｅ＿ｂａｓｉｃ）を有し、
前記第１のＳＣｅｌｌ（１５０Ａ）をアクティブ化または非アクティブ化するための前記第１のプロシージャを行っている間に、第２のキャリアについて第２のＳＣｅｌｌ（１５０Ｂ）をアクティブ化し、非アクティブ化し、設定し、または設定解除するための第２のメッセージを受信させ、
前記第２のＳＣｅｌｌ（１５０Ｂ）をアクティブ化し、非アクティブ化し、設定し、または設定解除するための前記第２のメッセージを受信することに応じて、前記第１の遅延期間を、前記第１のＳＣｅｌｌ（１５０Ａ）をアクティブ化または非アクティブ化するための前記第１のプロシージャを完了すべき第２の遅延期間（Ｔａｃｔｉｖａｔｅ＿ｔｏｔａｌ）に置換することによって、前記第１のプロシージャを修正させるように動作可能であり、前記第２の遅延期間（Ｔａｃｔｉｖａｔｅ＿ｔｏｔａｌ）は、前記第１の遅延期間（Ｔａｃｔｉｖａｔｅ＿ｂａｓｉｃ）よりも大きい、
ワイヤレスデバイス（１１０Ａ）。
【請求項１４】
前記第２の遅延期間（Ｔａｃｔｉｖａｔｅ＿ｔｏｔａｌ）は、少なくとも、整数Ｋの関数であり、前記Ｋは、前記第２のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように前記ワイヤレスデバイス（１１０Ａ）が要求される回数である、請求項１３に記載のワイヤレスデバイス（１１０Ａ）。
【請求項１５】
前記第１のＳＣｅｌｌ（１５０Ａ）が、前記第１のプロシージャ中に検出可能なままであり、
前記第１のメッセージの前記受信前の少なくとも第３の遅延期間中に、前記ワイヤレスデバイス（１１０Ａ）が前記第１のＳＣｅｌｌ（１５０Ａ）についての測定レポートを送信しており、前記第１のＳＣｅｌｌ（１５０Ａ）が検出可能なままである場合、
Ｔａｃｔｉｖａｔｅ＿ｂａｓｉｃ＝２４サブフレームであり、
さもなければ、前記ワイヤレスデバイス（１１０Ａ）が、前記第１のプロシージャ中に前記第１のＳＣｅｌｌ（１４０Ａ）を検出するための最初の試行で前記第１のＳＣｅｌｌ（１４０Ａ）を成功裏に検出する場合、Ｔａｃｔｉｖａｔｅ＿ｂａｓｉｃ＝３４サブフレームである、
請求項１３または１４に記載のワイヤレスデバイス（１１０Ａ）。
【請求項１６】
前記第２の遅延期間（Ｔａｃｔｉｖａｔｅ＿ｔｏｔａｌ）が、
（Ｔａｃｔｉｖａｔｅ＿ｔｏｔａｌ）＝Ｔａｃｔｉｖａｔｅ＿ｂａｓｉｃ＋Ｋ＊５
として表され、ただし、Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように、前記ワイヤレスデバイス（１１０Ａ）が要求される回数を表す整数である、
請求項１３から１５のいずれか一項に記載のワイヤレスデバイス（１１０Ａ）。
【請求項１７】
前記１つまたは複数のプロセッサ（２２０）が、前記命令を実行して、前記ワイヤレスデバイス（１１０Ａ）に、
前記第１のプロシージャを行っている間に、第３のセカンダリセル（第３のＳＣｅｌｌ）（１５０Ｃ）のアクティブ化、非アクティブ化、設定、または設定解除を要求する第３のメッセージを受信させる
ようにさらに動作可能である、請求項１３から１６のいずれか一項に記載のワイヤレスデバイス（１１０Ａ）。
【請求項１８】
前記第１のメッセージが、第１のネットワークノードから受信され、
前記第２のメッセージが、第２のネットワークノードから受信され、
前記第３メッセージが、第３のネットワークノードから受信される、
請求項１７に記載のワイヤレスデバイス（１１０Ａ）。
【請求項１９】
前記第１のネットワークノード、前記第２のネットワークノード、および前記第３のネットワークノード１１５Ａ〜Ｃが、同じサイトに配置され、または同じネットワークノードに存在する、請求項１８に記載のワイヤレスデバイス（１１０Ａ）。
【請求項２０】
前記第１のメッセージ、前記第２のメッセージ、および前記第３のメッセージが、第１のネットワークノード（１１５Ａ）から受信される、請求項１８または１９に記載のワイヤレスデバイス（１１０Ａ）。
【請求項２１】
前記第１のメッセージ、前記第２のメッセージ、および前記第３のメッセージのうちの少なくとも１つが、ＰＣｅｌｌ（１４０Ａ）上で受信される、請求項１８または１９に記載のワイヤレスデバイス（１１０Ａ）。
【請求項２２】
前記第１のメッセージが、下記のタスク、すなわち、
前記第１のＳＣｅｌｌ（１５０Ａ）の設定、
前記第１のＳＣｅｌｌ（１５０Ａ）の追加、
前記第１のＳＣｅｌｌ（１５０Ａ）の設定解除、
前記第１のＳＣｅｌｌ（１５０Ａ）の解放、
前記第１のＳＣｅｌｌ（１５０Ａ）のアクティブ化、および
前記第１のＳＣｅｌｌ（１５０Ａ）の非アクティブ化
のうちの１つまたは複数を行うように、前記ワイヤレスデバイス（１１０Ａ）に要求する、請求項１３から２１のいずれか一項に記載のワイヤレスデバイス（１１０Ａ）。
【請求項２３】
前記第１のメッセージが、前記第１のＳＣｅｌｌ（１５０Ａ）を設定または設定解除するように、前記ワイヤレスデバイス（１１０Ａ）に要求し、
前記第１のメッセージが、ＲＲＣシグナリングを介して前記ワイヤレスデバイス（１１０Ａ）によって受信される、
請求項２１に記載のワイヤレスデバイス（１１０Ａ）。
【請求項２４】
前記第１のメッセージが、前記第１のＳＣｅｌｌ（１５０Ａ）をアクティブ化または非アクティブ化するように、前記第１のワイヤレスデバイス（１１０Ａ）に要求し、
前記第１のメッセージが、ＭＡＣ  ＣＥコマンドまたはシグナリングを介して前記ワイヤレスデバイス（１１０Ａ）によって受信される、
請求項２１に記載のワイヤレスデバイス（１１０Ａ）。
【請求項２５】
プライマリセル（ＰＣｅｌｌ）（１４０Ａ）および複数のセカンダリセル（ＳＣｅｌｌ）（１５０Ａ〜Ｂ）において複数のキャリアから信号を受信するためにキャリアアグリゲーションを使用しているワイヤレスデバイス（１１０Ａ）にサーブする第１のネットワークノード（１１５Ａ）における方法であって、
第１のキャリアについて第１のＳＣｅｌｌ（１５０Ａ）をアクティブ化または非アクティブ化するように前記ワイヤレスデバイス（１１０Ａ）に要求する第１のメッセージを前記ワイヤレスデバイス（１１０Ａ）が受信したと、前記第１のネットワークノード（１１５Ａ）によって決定することと、
前記ワイヤレスデバイス（１１０Ａ）が前記第１のＳＣｅｌｌ（１５０Ａ）をアクティブ化または非アクティブ化するべき遅延期間（Ｔａｃｔｉｖａｔｅ＿ｂａｓｉｃ）を前記第１のネットワークノード（１１５Ａ）によって決定することと、
第２のＳＣｅｌｌ（１５０Ａ）のアクティブ化、非アクティブ化、設定、または設定解除を要求する第２のメッセージを送ることを前記第１のネットワークノード（１１５Ａ）によって遅延させることであって、前記第２のメッセージは、前記遅延期間の関数である時間だけ遅延される、遅延させることと、
を含む、方法。
【請求項２６】
前記第１のメッセージを前記ワイヤレスデバイス（１１０Ａ）が受信したと決定することが、
前記ＰＣｅｌｌ（１４０Ａ）に関連付けられた第１のネットワークノード（１１５Ａ）から標識を取り出すことと、
前記第１のＳＣｅｌｌ（１５０Ａ）に関連付けられた第２のネットワークノード（１１５Ｂ）から標識を受信することと、
前記ワイヤレスデバイス（１１０Ａ）から標識を受信することと、
前記ネットワークノード（１１５Ａ）によって、前記ワイヤレスデバイス（１１０Ａ）へ要求を送ることと、
のうちの１つまたは複数を含む、請求項２５に記載の方法。
【請求項２７】
第３のＳＣｅｌｌをアクティブ化し、非アクティブ化し、設定し、または設定解除するように前記ワイヤレスデバイス（１１０Ａ）に要求する第３のメッセージを前記ワイヤレスデバイス（１１０Ａ）が受信したと、前記第１のネットワークノード（１１５Ａ）によって決定することと、
前記ワイヤレスデバイス（１１０Ａ）が前記第１のＳＣｅｌｌの前記アクティブ化または非アクティブ化を完了すべき総遅延期間（Ｔａｃｔｉｖａｔｅ＿ｔｏｔａｌ）を前記第１のネットワークノード（１１５Ａ）によって決定することであって、前記ワイヤレスデバイス（１１０Ａ）が、前記第１のＳＣｅｌｌ（１５０Ａ）をアクティブ化または非アクティブしている間に、前記第３のＳＣｅｌｌ（１５０Ｃ）をアクティブ化し、非アクティブ化し、設定し、または設定解除するための前記第３のメッセージを受信する場合、前記第１のＳＣｅｌｌをアクティブ化または非アクティブ化するための前記総遅延期間（Ｔａｃｔｉｖａｔｅ＿ｔｏｔａｌ）は、前記遅延期間（Ｔａｃｔｉｖａｔｅ＿ｂａｓｉｃ）よりも大きい、決定することと、
をさらに含む、請求項２５または２６に記載の方法。
【請求項２８】
前記第２のＳＣｅｌｌ（１５０Ｂ）の前記アクティブ化、非アクティブ化、設定または設定解除を要求する前記第２のメッセージを送ることを前記第１のネットワークノード（１１５Ａ）によって遅延させることをさらに含み、総遅延期間（Ｔａｃｔｉｖａｔｅ＿ｔｏｔａｌ）は、前記遅延期間（Ｔａｃｔｉｖａｔｅ＿ｂａｓｉｃ）よりも既定の量だけ大きい、
請求項２７に記載の方法。
【請求項２９】
前記総遅延期間（Ｔａｃｔｉｖａｔｅ＿ｔｏｔａｌ）および前記遅延期間（Ｔａｃｔｉｖａｔｅ＿ｂａｓｉｃ）の前記決定が、既定のルールに基づく、請求項２７または２８に記載の方法。
【請求項３０】
前記第１のメッセージは、前記第１のネットワークノード（１１５Ａ）から前記ワイヤレスデバイスによって受信され、
前記第２のメッセージは、第２のネットワークノード（１１５Ｂ）から送られるべきであり、
前記第３のメッセージは、第３のネットワークノード（１１５Ｃ）から受信される、
請求項２７または２８に記載の方法。
【請求項３１】
前記第１のネットワークノード（１１５Ａ）、前記第２のネットワークノード（１１５Ｂ）、および前記第３のネットワークノード（１１５Ｃ）が、同じサイトに配置され、または同じネットワークノードにある、請求項３０に記載の方法。
【請求項３２】
前記第１のメッセージが、前記第１のネットワークノードからのものである、請求項２５から３１のいずれか一項に記載の方法。
【請求項３３】
前記第１のメッセージおよび前記第３のメッセージのうちの少なくとも１つが、ＰＣｅｌｌ（１４０Ａ）上で前記ワイヤレスデバイス（１１０Ａ）によって受信される、請求項３０から３２のいずれか一項に記載の方法。
【請求項３４】
前記第２のメッセージが、前記ＰＣｅｌｌ（１４０Ａ）上で前記ワイヤレスデバイス１１０Ａへ送られるべきである、請求項２５から３２のいずれか一項に記載の方法。
【請求項３５】
前記第１のメッセージが、下記のタスク、すなわち、
前記第１のＳＣｅｌｌ（１５０Ａ）の設定、
前記第１のＳＣｅｌｌ（１５０Ａ）の追加、
前記第１のＳＣｅｌｌ（１５０Ａ）の設定解除、
前記第１のＳＣｅｌｌ（１５０Ａ）の解放、
前記第１のＳＣｅｌｌ（１５０Ａ）のアクティブ化、および
前記第１のＳＣｅｌｌ（１５０Ａ）の非アクティブ化
のうちの１つまたは複数を行うための、前記ワイヤレスデバイス（１１０Ａ）に対する要求を含む、請求項２５から３４のいずれか一項に記載の方法。
【請求項３６】
プライマリセル（ＰＣｅｌｌ）（１４０Ａ）および複数のセカンダリセル（ＳＣｅｌｌ）（１５０Ａ〜Ｂ）において複数のキャリアから信号を受信するためにキャリアアグリゲーションを使用するワイヤレスデバイス（１１０Ａ）をサーブする第１のネットワークノード（１１５Ａ）であって、
実行可能な命令を含有するメモリ（５３０）と、
前記メモリ（５３０）と通信する１つまたは複数のプロセッサ（５２０）と、
を備え、前記１つまたは複数のプロセッサ（５２０）は、前記命令を実行して、前記第１のネットワークノード（１１５Ａ）に、
第１のキャリアについて第１のＳＣｅｌｌ（１５０Ａ）をアクティブ化または非アクティブ化するように前記ワイヤレスデバイス（１１０Ａ）に要求する第１のメッセージを前記ワイヤレスデバイス（１１０Ａ）が受信したと決定させ、
前記ワイヤレスデバイス（１１０Ａ）が前記第１のＳＣｅｌｌ（１５０Ａ）をアクティブ化または非アクティブするべき遅延期間（Ｔａｃｔｉｖａｔｅ＿ｂａｓｉｃ）を決定させ、
第２のＳＣｅｌｌ（１５０Ｂ）のアクティブ化、非アクティブ化、設定、または設定解除を要求する第２のメッセージを送ることを遅延させ、前記第２のメッセージは、前記遅延期間の関数である時間だけ遅延させるように動作可能である、
第１のネットワークノード（１１５Ａ）。
【請求項３７】
前記第１のメッセージを前記ワイヤレスデバイス（１１０Ａ）が受信したと決定することが、
前記ＰＣｅｌｌ（１４０Ａ）に関連付けられた第１のネットワークノード（１１５Ａ）から標識を取り出すことと、
前記第１のＳＣｅｌｌ（１５０Ａ）に関連付けられた第２のネットワークノード（１１５Ｂ）から標識を受信することと、
前記ワイヤレスデバイス（１１０Ａ）から標識を受信することと、
前記ネットワークノード（１１５Ａ）によって、前記ワイヤレスデバイス（１１０Ａ）へ要求を送ることと、
のうちの１つまたは複数を含む、請求項３６に記載の第１のネットワークノード（１１５Ａ）。
【請求項３８】
前記１つまたは複数のプロセッサ（５２０）が、前記命令を実行して、前記第１のネットワークノード（１１５Ａ）に、
第３のＳＣｅｌｌ（１４０Ｃ）をアクティブ化し、非アクティブ化し、設定し、または設定解除することを前記ワイヤレスデバイス（１１０Ａ）に要求する第３のメッセージを前記ワイヤレスデバイス（１１０Ａ）が受信したと決定させ、
前記ワイヤレスデバイス（１１０Ａ）が前記第１のＳＣｅｌｌの前記アクティブ化または非アクティブ化を完了すべき総遅延期間（Ｔａｃｔｉｖａｔｅ＿ｔｏｔａｌ）を決定させるようにさらに動作可能であり、前記ワイヤレスデバイス（１１０Ａ）が、前記第１のＳＣｅｌｌ（１５０Ａ）をアクティブ化または非アクティブしている間に、前記第３のＳＣｅｌｌ（１５０Ｃ）をアクティブ化し、非アクティブ化し、設定し、または設定解除するための前記第３のメッセージを受信する場合、前記第１のＳＣｅｌｌをアクティブ化または非アクティブ化するための前記総遅延期間（Ｔａｃｔｉｖａｔｅ＿ｔｏｔａｌ）は、前記遅延期間（Ｔａｃｔｉｖａｔｅ＿ｂａｓｉｃ）よりも大きい、
請求項３６または３７に記載の第１のネットワークノード（１１５Ａ）。
【請求項３９】
前記１つまたは複数のプロセッサ（５２０）が、前記命令を実行して、前記第１のネットワークノード（１１５Ａ）に、
前記第２のＳＣｅｌｌ（１５０Ｂ）のアクティブ化、非アクティブ化、設定、または設定解除を要求する前記第２のメッセージを送ることを前記第１のネットワークノード（１１５Ａ）によって遅延させるようにさらに動作可能であり、総遅延期間（Ｔａｃｔｉｖａｔｅ＿ｔｏｔａｌ）は、前記遅延期間（Ｔａｃｔｉｖａｔｅ＿ｂａｓｉｃ）よりも既定の量だけ大きい、
請求項３８に記載の第１のネットワークノード（１１５Ａ）。
【請求項４０】
前記総遅延期間（Ｔａｃｔｉｖａｔｅ＿ｔｏｔａｌ）および前記遅延期間（Ｔａｃｔｉｖａｔｅ＿ｂａｓｉｃ）の前記決定が、既定のルールに基づく、請求項３８または３９に記載の第１のネットワークノード（１１５Ａ）。
【請求項４１】
前記第１のメッセージは、前記第１のネットワークノード（１１５Ａ）から受信され、
前記第２のメッセージは、第２のネットワークノード（１１５Ｂ）から送られるべきであり、
前記第３のメッセージは、第３のネットワークノード（１１５Ｃ）から受信される、
請求項３８または３９に記載の第１のネットワークノード（１１５Ａ）。
【請求項４２】
前記第１のネットワークノード（１１５Ａ）、前記第２のネットワークノード（１１５Ｂ）、および前記第３のネットワークノード（１１５Ｃ）が、同じサイトに配置され、または同じネットワークノードにある、請求項４１に記載の第１のネットワークノード（１１５Ａ）。
【請求項４３】
前記第１のメッセージが、前記第１のネットワークノード（１１５Ａ）からのものである、請求項３６から４２のいずれか一項に記載の第１のネットワークノード（１１５Ａ）。
【請求項４４】
前記第１のメッセージおよび前記第３のメッセージのうちの少なくとも１つが、ＰＣｅｌｌ（１４０Ａ）上で前記ワイヤレスデバイス（１１０Ａ）によって受信される、請求項４２または４３に記載の第１のネットワークノード（１１５Ａ）。
【請求項４５】
前記第２のメッセージが、前記ＰＣｅｌｌ（１４０Ａ）上で前記ワイヤレスデバイス（１１０Ａ）へ送られるべきである、請求項３６から４４のいずれか一項に記載の第１のネットワークノード（１１５Ａ）。
【請求項４６】
前記第１のメッセージが、下記のタスク、すなわち、
前記第１のＳＣｅｌｌ（１５０Ａ）の設定、
前記第１のＳＣｅｌｌ（１５０Ａ）の追加、
前記第１のＳＣｅｌｌ（１５０Ａ）の設定解除、
前記第１のＳＣｅｌｌ（１５０Ａ）の解放、
前記第１のＳＣｅｌｌ（１５０Ａ）のアクティブ化、および
前記第１のＳＣｅｌｌ（１５０Ａ）の非アクティブ化
のうちの１つまたは複数を行うための、前記ワイヤレスデバイス（１１０Ａ）に対する要求を含む、請求項４３または４４に記載の第１のネットワークノード（１１５Ａ）。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
プライマリセル（ＰＣｅｌｌ）（１４０Ａ）および複数のセカンダリセル（ＳＣｅｌｌ）（１５０Ａ〜Ｃ）において複数のキャリアから信号を受信するためにキャリアアグリゲーションを使用するワイヤレスデバイス（１１０Ａ）によって、複数のセカンダリセル（１５０Ａ〜Ｂ）をアクティブ化および非アクティブ化するための方法であって、
第１のキャリアについて第１のセカンダリセル（第１のＳＣｅｌｌ）（１５０Ａ）のアクティブ化または非アクティブ化を要求する第１のメッセージを受信することと、
前記第１のメッセージに応じて、前記第１のＳＣｅｌｌ（１５０Ａ）をアクティブ化または非アクティブ化するための第１のプロシージャを開始することであって、前記ワイヤレスデバイス（１１０Ａ）は、前記第１のプロシージャを完了させるべき第１の遅延期間（Ｔａｃｔｉｖａｔｅ＿ｂａｓｉｃ）を有する、開始することと、
前記第１のＳＣｅｌｌ（１５０Ａ）をアクティブ化または非アクティブ化するための前記第１のプロシージャを行っている間に、第２のキャリアについて第２のＳＣｅｌｌ（１５０Ｂ）をアクティブ化し、非アクティブ化し、設定し、または設定解除するための第２のメッセージを受信することと、
前記第２のＳＣｅｌｌ（１５０Ｂ）をアクティブ化し、非アクティブ化し、設定し、または設定解除するための前記第２のメッセージを受信することに応じて、前記第１の遅延期間を、前記第１のＳＣｅｌｌ（１５０Ａ）をアクティブ化または非アクティブ化するための前記第１のプロシージャを完了すべき第２の遅延期間（Ｔａｃｔｉｖａｔｅ＿ｔｏｔａｌ）に置換することによって、前記第１のプロシージャを修正することであって、前記第２の遅延期間（Ｔａｃｔｉｖａｔｅ＿ｔｏｔａｌ）は、前記第１の遅延期間（Ｔａｃｔｉｖａｔｅ＿ｂａｓｉｃ）よりも大きい、修正することと、
を含む、方法。
【請求項２】
前記第２の遅延期間（Ｔａｃｔｉｖａｔｅ＿ｔｏｔａｌ）は、少なくとも、整数Ｋの関数であり、前記Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように前記ワイヤレスデバイス（１１０Ａ）が要求される回数である、請求項１に記載の方法。
【請求項３】
前記第１のＳＣｅｌｌ（１５０Ａ）が、前記第１のプロシージャ中に検出可能なままであり、
前記第１のメッセージの前記受信前の少なくとも第３の遅延期間中に、前記ワイヤレスデバイス（１１０Ａ）が前記第１のＳＣｅｌｌ（１５０Ａ）についての測定レポートを送信しており、前記第１のＳＣｅｌｌ（１５０Ａ）が検出可能なままである場合、
Ｔａｃｔｉｖａｔｅ＿ｂａｓｉｃ＝２４サブフレームであり、
さもなければ、前記ワイヤレスデバイス（１１０Ａ）が、前記第１のプロシージャ中に前記第１のＳＣｅｌｌ（１４０Ａ）を検出するための最初の試行で前記第１のＳＣｅｌｌ（１４０Ａ）を成功裏に検出する場合、Ｔａｃｔｉｖａｔｅ＿ｂａｓｉｃ＝３４サブフレームである、
請求項１または２に記載の方法。
【請求項４】
前記第２の遅延期間（Ｔａｃｔｉｖａｔｅ＿ｔｏｔａｌ）が、
（Ｔａｃｔｉｖａｔｅ＿ｔｏｔａｌ）＝Ｔａｃｔｉｖａｔｅ＿ｂａｓｉｃ＋Ｋ＊５
として表され、ただし、Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように、前記ワイヤレスデバイス（１１０Ａ）が要求される回数を表す整数である、
請求項１から３のいずれか一項に記載の方法。
【請求項５】
前記第１のメッセージが、前記第１のＳＣｅｌｌ（１５０Ａ）をアクティブ化または非アクティブ化するように、前記第１のワイヤレスデバイス（１１０Ａ）に要求し、
前記第１のメッセージが、ＭＡＣ  ＣＥコマンドまたはシグナリングを介して前記ワイヤレスデバイス（１１０Ａ）によって受信される、
請求項１から４のいずれか一項に記載の方法。
【請求項６】
プライマリセル（ＰＣｅｌｌ）（１４０Ａ）および複数のセカンダリセル（ＳＣｅｌｌ）（１５０Ａ〜Ｂ）において複数のキャリアから信号を受信するためにキャリアアグリゲーションを使用するワイヤレスデバイス（１１０Ａ）であって、
実行可能な命令を含有するメモリ（２３０）と、
前記メモリ（２３０）と通信する１つまたは複数のプロセッサ（２２０）と、
を備え、前記１つまたは複数のプロセッサ（２２０）は、前記命令を実行して、前記ワイヤレスデバイス（１１０Ａ）に、
第１のキャリアについて第１のセカンダリセル（第１のＳＣｅｌｌ）（１５０Ａ）のアクティブ化または非アクティブ化を要求する第１のメッセージを受信させ、
前記第１のメッセージに応じて、前記第１のＳＣｅｌｌ（１５０Ａ）をアクティブ化または非アクティブ化するための第１のプロシージャを開始させ、前記ワイヤレスデバイス（１１０Ａ）は、前記第１のプロシージャを完了させるべき第１の遅延期間（Ｔａｃｔｉｖａｔｅ＿ｂａｓｉｃ）を有し、
前記第１のＳＣｅｌｌ（１５０Ａ）をアクティブ化または非アクティブ化するための前記第１のプロシージャを行っている間に、第２のキャリアについて第２のＳＣｅｌｌ（１５０Ｂ）をアクティブ化し、非アクティブ化し、設定し、または設定解除するための第２のメッセージを受信させ、
前記第２のＳＣｅｌｌ（１５０Ｂ）をアクティブ化し、非アクティブ化し、設定し、または設定解除するための前記第２のメッセージを受信することに応じて、前記第１の遅延期間を、前記第１のＳＣｅｌｌ（１５０Ａ）をアクティブ化または非アクティブ化するための前記第１のプロシージャを完了すべき第２の遅延期間（Ｔａｃｔｉｖａｔｅ＿ｔｏｔａｌ）に置換することによって、前記第１のプロシージャを修正させるように動作可能であり、前記第２の遅延期間（Ｔａｃｔｉｖａｔｅ＿ｔｏｔａｌ）は、前記第１の遅延期間（Ｔａｃｔｉｖａｔｅ＿ｂａｓｉｃ）よりも大きい、
ワイヤレスデバイス（１１０Ａ）。
【請求項７】
前記第２の遅延期間（Ｔａｃｔｉｖａｔｅ＿ｔｏｔａｌ）は、少なくとも、整数Ｋの関数であり、前記Ｋは、前記第２のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように前記ワイヤレスデバイス（１１０Ａ）が要求される回数である、請求項６に記載のワイヤレスデバイス（１１０Ａ）。
【請求項８】
前記第１のＳＣｅｌｌ（１５０Ａ）が、前記第１のプロシージャ中に検出可能なままであり、
前記第１のメッセージの前記受信前の少なくとも第３の遅延期間中に、前記ワイヤレスデバイス（１１０Ａ）が前記第１のＳＣｅｌｌ（１５０Ａ）についての測定レポートを送信しており、前記第１のＳＣｅｌｌ（１５０Ａ）が検出可能なままである場合、
Ｔａｃｔｉｖａｔｅ＿ｂａｓｉｃ＝２４サブフレームであり、
さもなければ、前記ワイヤレスデバイス（１１０Ａ）が、前記第１のプロシージャ中に前記第１のＳＣｅｌｌ（１４０Ａ）を検出するための最初の試行で前記第１のＳＣｅｌｌ（１４０Ａ）を成功裏に検出する場合、Ｔａｃｔｉｖａｔｅ＿ｂａｓｉｃ＝３４サブフレームである、
請求項６または７に記載のワイヤレスデバイス（１１０Ａ）。
【請求項９】
前記第２の遅延期間（Ｔａｃｔｉｖａｔｅ＿ｔｏｔａｌ）が、
（Ｔａｃｔｉｖａｔｅ＿ｔｏｔａｌ）＝Ｔａｃｔｉｖａｔｅ＿ｂａｓｉｃ＋Ｋ＊５
として表され、ただし、Ｋは、前記第１のＳＣｅｌｌ（１５０Ａ）をアクティブ化または非アクティブ化するために前記第１のプロシージャが行われている間に、前記第２のＳＣｅｌｌ（１５０Ｂ）のアクティブ化、非アクティブ化、設定、または設定解除を行うように、前記ワイヤレスデバイス（１１０Ａ）が要求される回数を表す整数である、
請求項６から８のいずれか一項に記載のワイヤレスデバイス（１１０Ａ）。
【請求項１０】
プライマリセル（ＰＣｅｌｌ）（１４０Ａ）および複数のセカンダリセル（ＳＣｅｌｌ）（１５０Ａ〜Ｂ）において複数のキャリアから信号を受信するためにキャリアアグリゲーションを使用しているワイヤレスデバイス（１１０Ａ）にサーブする第１のネットワークノード（１１５Ａ）における方法であって、
第１のキャリアについて第１のＳＣｅｌｌ（１５０Ａ）をアクティブ化または非アクティブ化するように前記ワイヤレスデバイス（１１０Ａ）に要求する第１のメッセージを前記ワイヤレスデバイス（１１０Ａ）が受信したと、前記第１のネットワークノード（１１５Ａ）によって決定することと、
前記ワイヤレスデバイス（１１０Ａ）が前記第１のＳＣｅｌｌ（１５０Ａ）をアクティブ化または非アクティブ化するべき遅延期間（Ｔａｃｔｉｖａｔｅ＿ｂａｓｉｃ）を前記第１のネットワークノード（１１５Ａ）によって決定することと、
第２のＳＣｅｌｌ（１５０Ａ）のアクティブ化、非アクティブ化、設定、または設定解除を要求する第２のメッセージを送ることを前記第１のネットワークノード（１１５Ａ）によって遅延させることであって、前記第２のメッセージは、前記遅延期間の関数である時間だけ遅延される、遅延させることと、
を含む、方法。
【請求項１１】
前記第１のメッセージを前記ワイヤレスデバイス（１１０Ａ）が受信したと決定することが、
前記ＰＣｅｌｌ（１４０Ａ）に関連付けられた第１のネットワークノード（１１５Ａ）から標識を取り出すことと、
前記第１のＳＣｅｌｌ（１５０Ａ）に関連付けられた第２のネットワークノード（１１５Ｂ）から標識を受信することと、
前記ワイヤレスデバイス（１１０Ａ）から標識を受信することと、
前記ネットワークノード（１１５Ａ）によって、前記ワイヤレスデバイス（１１０Ａ）へ要求を送ることと、
のうちの１つまたは複数を含む、請求項１０に記載の方法。
【請求項１２】
第３のＳＣｅｌｌをアクティブ化し、非アクティブ化し、設定し、または設定解除するように前記ワイヤレスデバイス（１１０Ａ）に要求する第３のメッセージを前記ワイヤレスデバイス（１１０Ａ）が受信したと、前記第１のネットワークノード（１１５Ａ）によって決定することと、
前記ワイヤレスデバイス（１１０Ａ）が前記第１のＳＣｅｌｌの前記アクティブ化または非アクティブ化を完了すべき総遅延期間（Ｔａｃｔｉｖａｔｅ＿ｔｏｔａｌ）を前記第１のネットワークノード（１１５Ａ）によって決定することであって、前記ワイヤレスデバイス（１１０Ａ）が、前記第１のＳＣｅｌｌ（１５０Ａ）をアクティブ化または非アクティブしている間に、前記第３のＳＣｅｌｌ（１５０Ｃ）をアクティブ化し、非アクティブ化し、設定し、または設定解除するための前記第３のメッセージを受信する場合、前記第１のＳＣｅｌｌをアクティブ化または非アクティブ化するための前記総遅延期間（Ｔａｃｔｉｖａｔｅ＿ｔｏｔａｌ）は、前記遅延期間（Ｔａｃｔｉｖａｔｅ＿ｂａｓｉｃ）よりも大きい、決定することと、
をさらに含む、請求項１０または１１に記載の方法。
【請求項１３】
前記第２のＳＣｅｌｌ（１５０Ｂ）の前記アクティブ化、非アクティブ化、設定または設定解除を要求する前記第２のメッセージを送ることを前記第１のネットワークノード（１１５Ａ）によって遅延させることをさらに含み、総遅延期間（Ｔａｃｔｉｖａｔｅ＿ｔｏｔａｌ）は、前記遅延期間（Ｔａｃｔｉｖａｔｅ＿ｂａｓｉｃ）よりも既定の量だけ大きい、
請求項１２に記載の方法。
【請求項１４】
プライマリセル（ＰＣｅｌｌ）（１４０Ａ）および複数のセカンダリセル（ＳＣｅｌｌ）（１５０Ａ〜Ｂ）において複数のキャリアから信号を受信するためにキャリアアグリゲーションを使用するワイヤレスデバイス（１１０Ａ）をサーブする第１のネットワークノード（１１５Ａ）であって、
実行可能な命令を含有するメモリ（５３０）と、
前記メモリ（５３０）と通信する１つまたは複数のプロセッサ（５２０）と、
を備え、前記１つまたは複数のプロセッサ（５２０）は、前記命令を実行して、前記第１のネットワークノード（１１５Ａ）に、
第１のキャリアについて第１のＳＣｅｌｌ（１５０Ａ）をアクティブ化または非アクティブ化するように前記ワイヤレスデバイス（１１０Ａ）に要求する第１のメッセージを前記ワイヤレスデバイス（１１０Ａ）が受信したと決定させ、
前記ワイヤレスデバイス（１１０Ａ）が前記第１のＳＣｅｌｌ（１５０Ａ）をアクティブ化または非アクティブするべき遅延期間（Ｔａｃｔｉｖａｔｅ＿ｂａｓｉｃ）を決定させ、
第２のＳＣｅｌｌ（１５０Ｂ）のアクティブ化、非アクティブ化、設定、または設定解除を要求する第２のメッセージを送ることを遅延させ、前記第２のメッセージは、前記遅延期間の関数である時間だけ遅延させるように動作可能である、
第１のネットワークノード（１１５Ａ）。
【請求項１５】
前記第１のメッセージを前記ワイヤレスデバイス（１１０Ａ）が受信したと決定することが、
前記ＰＣｅｌｌ（１４０Ａ）に関連付けられた第１のネットワークノード（１１５Ａ）から標識を取り出すことと、
前記第１のＳＣｅｌｌ（１５０Ａ）に関連付けられた第２のネットワークノード（１１５Ｂ）から標識を受信することと、
前記ワイヤレスデバイス（１１０Ａ）から標識を受信することと、
前記ネットワークノード（１１５Ａ）によって、前記ワイヤレスデバイス（１１０Ａ）へ要求を送ることと、
のうちの１つまたは複数を含む、請求項１４に記載の第１のネットワークノード（１１５Ａ）。
【請求項１６】
前記１つまたは複数のプロセッサ（５２０）が、前記命令を実行して、前記第１のネットワークノード（１１５Ａ）に、
第３のＳＣｅｌｌ（１４０Ｃ）をアクティブ化し、非アクティブ化し、設定し、または設定解除することを前記ワイヤレスデバイス（１１０Ａ）に要求する第３のメッセージを前記ワイヤレスデバイス（１１０Ａ）が受信したと決定させ、
前記ワイヤレスデバイス（１１０Ａ）が前記第１のＳＣｅｌｌの前記アクティブ化または非アクティブ化を完了すべき総遅延期間（Ｔａｃｔｉｖａｔｅ＿ｔｏｔａｌ）を決定させるようにさらに動作可能であり、前記ワイヤレスデバイス（１１０Ａ）が、前記第１のＳＣｅｌｌ（１５０Ａ）をアクティブ化または非アクティブしている間に、前記第３のＳＣｅｌｌ（１５０Ｃ）をアクティブ化し、非アクティブ化し、設定し、または設定解除するための前記第３のメッセージを受信する場合、前記第１のＳＣｅｌｌをアクティブ化または非アクティブ化するための前記総遅延期間（Ｔａｃｔｉｖａｔｅ＿ｔｏｔａｌ）は、前記遅延期間（Ｔａｃｔｉｖａｔｅ＿ｂａｓｉｃ）よりも大きい、
請求項１４または１５に記載の第１のネットワークノード（１１５Ａ）。
【請求項１７】
前記１つまたは複数のプロセッサ（５２０）が、前記命令を実行して、前記第１のネットワークノード（１１５Ａ）に、
前記第２のＳＣｅｌｌ（１５０Ｂ）のアクティブ化、非アクティブ化、設定、または設定解除を要求する前記第２のメッセージを送ることを前記第１のネットワークノード（１１５Ａ）によって遅延させるようにさらに動作可能であり、総遅延期間（Ｔａｃｔｉｖａｔｅ＿ｔｏｔａｌ）は、前記遅延期間（Ｔａｃｔｉｖａｔｅ＿ｂａｓｉｃ）よりも既定の量だけ大きい、
請求項１６に記載の第１のネットワークノード（１１５Ａ）。
【国際調査報告】
2017513379.tif 000011
2017513379.tif 000012
2017513379.tif 000013